(57)【要約】  本発明の実施形態は、アップリンク制御チャネル送信方法、アップリンク制御チャネル受信方法、および装置を提供する。送信方法は、UEにより、第1のサブフレームセット内の各サブフレーム内でネットワークデバイスによって送信されたダウンリンクデータを受信するステップと、UEにより、ネットワークデバイスによって送信された第1のダウンリンク制御情報を取得するステップと、UEにより、第1のダウンリンク制御情報の指示に従って第1のアップリンクサブフレーム内でターゲット物理アップリンク制御チャネルを送信するステップとを含む。このようにして、UEが無認可スペクトルリソース上で物理アップリンク制御チャネルをどのように送信するかという問題が解決される。
2019520759.tif 000002
【特許請求の範囲】
【請求項１】
端末デバイスUEにより、第1のサブフレームセット内の各サブフレーム内でネットワークデバイスによって送信されたダウンリンクデータを受信するステップであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数である、ステップと、
前記UEにより、前記ネットワークデバイスによって送信された第1のダウンリンク制御情報を取得するステップと、
前記UEにより、前記第1のダウンリンク制御情報の指示に従って第1のアップリンクサブフレーム内でターゲット物理アップリンク制御チャネルを送信するステップであって、前記ターゲット物理アップリンク制御チャネルが第1のアップリンク制御情報を備え、前記第1のアップリンク制御情報が、前記第1のサブフレームセット内の各サブフレーム内にあり、前記UEによって受信された前記ダウンリンクデータに対応するハイブリッド自動再送要求確認応答情報を備える、ステップと
を備える、アップリンク制御チャネル送信方法。
【請求項２】
前記第1のダウンリンク制御情報が第1のタイプのダウンリンク制御情報であり、前記ターゲット物理アップリンク制御チャネルのリソースが、第1の物理アップリンク制御チャネルリソースセット内の物理アップリンク制御チャネルリソースであるか、または
前記第1のダウンリンク制御情報が第2のタイプのダウンリンク制御情報であり、前記ターゲット物理アップリンク制御チャネルのリソースが、第2の物理アップリンク制御チャネルリソースセット内の物理アップリンク制御チャネルリソースであり、
前記第1のタイプのダウンリンク制御情報がUE固有の物理ダウンリンク制御情報であり、前記第2のタイプのダウンリンク制御情報が、UEグループ固有の物理ダウンリンク制御情報または共通の物理ダウンリンク制御情報であり、前記第1の物理アップリンク制御チャネルリソースセットおよび前記第2の物理アップリンク制御チャネルリソースセットの各々が、前記UE向けに前記ネットワークデバイスによって構成された物理アップリンク制御チャネルリソースのセットである、
請求項1に記載の方法。
【請求項３】
前記第1の物理アップリンク制御チャネルリソースセットおよび前記第2の物理アップリンク制御チャネルリソースセットが、前記UE向けに前記ネットワークデバイスによって別々に構成されたセットであるか、または
前記第1の物理アップリンク制御チャネルリソースセットが、前記UE向けに前記ネットワークデバイスによって構成されたセットであり、前記第2の物理アップリンク制御チャネルリソースセットが、前記第1の物理アップリンク制御チャネルリソースセットのサブセットである、
請求項2に記載の方法。
【請求項４】
前記第1の物理アップリンク制御チャネルリソースセットが少なくとも2つの物理アップリンク制御チャネルリソースを備え、前記第2の物理アップリンク制御チャネルリソースセットが1つの物理アップリンク制御チャネルリソースを備える、請求項2または3に記載の方法。
【請求項５】
前記第1のダウンリンク制御情報が前記第2のタイプのダウンリンク制御情報であり、前記第2の物理アップリンク制御チャネルリソースセットが空のセットであり、前記方法が、
前記UEにより、前記第1のアップリンクサブフレーム内で前記第1のアップリンク制御情報を送信することをスキップするステップ
をさらに備える、請求項2または3に記載の方法。
【請求項６】
前記第1のアップリンクサブフレームが第1のタイプのアップリンクサブフレームであり、前記ターゲット物理アップリンク制御チャネルのリソースが第3の物理アップリンク制御チャネルリソースセット内の物理アップリンク制御チャネルリソースであるか、または
前記第1のアップリンクサブフレームが第2のタイプのアップリンクサブフレームであり、前記ターゲット物理アップリンク制御チャネルのリソースが第4の物理アップリンク制御チャネルリソースセット内の物理アップリンク制御チャネルリソースであり、
前記第1のタイプのアップリンクサブフレームが、前記UEによって送信された物理アップリンク制御チャネルがR個のシンボルを占有するアップリンクサブフレームであり、前記第2のタイプのアップリンクサブフレームが、前記UEによって送信された物理アップリンク制御チャネルがR個より少ないシンボルを占有するアップリンクサブフレームであり、前記第3の物理アップリンク制御チャネルリソースセットおよび前記第4の物理アップリンク制御チャネルリソースセットの各々が、前記UE向けに前記ネットワークデバイスによって構成された物理アップリンク制御チャネルリソースのセットであり、Rが整数である、
請求項1に記載の方法。
【請求項７】
前記第3の物理アップリンク制御チャネルリソースセットおよび前記第4の物理アップリンク制御チャネルリソースセットが、前記UE向けに前記ネットワークデバイスによって別々に構成されたセットであるか、または
前記第3の物理アップリンク制御チャネルリソースセットが、前記UE向けに前記ネットワークデバイスによって構成されたセットであり、前記第4の物理アップリンク制御チャネルリソースセットが、前記第3の物理アップリンク制御チャネルリソースセットのサブセットである、
請求項6に記載の方法。
【請求項８】
前記第1のアップリンクサブフレームが前記第2のタイプのアップリンクサブフレームであり、前記第4の物理アップリンク制御チャネルリソースセットが空のセットであり、前記方法が、
前記UEにより、前記第1のアップリンクサブフレーム内で前記第1のアップリンク制御情報を送信することをスキップするステップ
をさらに備える、請求項6に記載の方法。
【請求項９】
前記第1のダウンリンク制御情報が第1の指示情報を備え、前記第1の指示情報が第1の情報であるとき、前記第1のダウンリンク制御情報が、前記ターゲット物理アップリンク制御チャネルを送信するように前記UEに指示するために使用され、前記第1の指示情報が第2の情報であるとき、前記第1のダウンリンク制御情報が、ターゲット物理アップリンク共有チャネルを送信するように前記UEに指示するために使用され、前記ターゲット物理アップリンク共有チャネルが、アップリンクデータを搬送するか、またはアップリンクデータおよびハイブリッド自動再送要求確認応答情報を搬送する、請求項1から8のいずれか一項に記載の方法。
【請求項１０】
前記第1のダウンリンク制御情報が第2の指示情報を備え、前記第2の指示情報が、前記UEによって前記ターゲット物理アップリンク制御チャネルを送信するための第1の電力調整値を示すために使用され、前記UEによって前記ターゲット物理アップリンク制御チャネルを送信するための送信電力が、前記第1の電力調整値によって示される電力調整量を備える、請求項1から9のいずれか一項に記載の方法。
【請求項１１】
前記ターゲット物理アップリンク制御チャネルの前記送信電力が、第2の電力調整値によって示される電力調整量を備え、前記第2の電力調整値が、第1の制御情報グループに備えられるダウンリンク制御情報内の電力調整フィールドの指示値に従って、前記UEによって決定される電力調整値であり、前記第1の制御情報グループが、第2のサブフレームセット内の各サブフレーム内のダウンリンクデータに対応するダウンリンク制御情報から構成され、
前記第2のサブフレームセットが前記第1のサブフレームセットと同等であるか、または前記第2のサブフレームセットが、第1のキャリア上に位置する前記第1のサブフレームセット内のサブフレームのセットであるか、または前記第2のサブフレームセットが、前記第1のサブフレームセット内にあり、その中のダウンリンクデータが前記第1のキャリア上に位置するダウンリンク制御情報に対応する、サブフレームのセットであり、
前記第1のキャリアが前記ターゲット物理アップリンク制御チャネルが位置するキャリアであるか、または前記第1のキャリアが前記第1のダウンリンク制御情報が位置するキャリアである、
請求項1から10のいずれか一項に記載の方法。
【請求項１２】
前記第1のキャリアがキャリア構成セット内のキャリアであり、前記キャリア構成セットが、前記UEが前記ネットワークデバイスと通信するために構成されたキャリアのセットであり、前記キャリア構成セットがH個のキャリアを備え、前記第1のキャリアが前記キャリア構成セット内のG番目のキャリアであり、GとHの両方が正の整数であり、H≧2、1≦G≦Hであり、Gの値がすべてのサブフレーム内で変わることができる、請求項11に記載の方法。
【請求項１３】
前記第2のサブフレームセットが、前記第1のキャリア上に位置する前記第1のサブフレームセット内のすべてのサブフレームのセットであるか、または
前記第2のサブフレームセットが、前記第1のサブフレームセット内にあり、その中のダウンリンクデータが前記第1のキャリア上に位置するダウンリンク制御情報に対応する、すべてのサブフレームのセットであるか、または
前記第2のサブフレームセットが、前記第1のキャリア上に位置する前記第1のサブフレームセット内にあり、その中の対応するダウンリンク制御情報が前記第1のキャリア上に位置する、すべてのサブフレームのセットである、
請求項11または12に記載の方法。
【請求項１４】
前記第1の制御情報グループ内で同じ時間を示すサブフレーム内のダウンリンク制御情報内の電力調整フィールドの指示値が同じである、請求項11から13のいずれか一項に記載の方法。
【請求項１５】
ネットワークデバイスにより、第1のサブフレームセット内の各サブフレーム内で端末デバイスUEにダウンリンクデータを送信するステップであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数である、ステップと、
前記ネットワークデバイスにより、前記UEに第1のダウンリンク制御情報を送信するステップと、
前記ネットワークデバイスにより、前記第1のダウンリンク制御情報の指示に従って第1のアップリンクサブフレーム内で前記UEによって送信されたターゲット物理アップリンク制御チャネルを受信するステップであって、前記ターゲット物理アップリンク制御チャネルが第1のアップリンク制御情報を備え、前記第1のアップリンク制御情報が、前記第1のサブフレームセット内の各サブフレーム内にあり、前記UEによって受信された前記ダウンリンクデータに対応するハイブリッド自動再送要求確認応答情報を備える、ステップと
を備える、アップリンク制御チャネル受信方法。
【請求項１６】
前記第1のダウンリンク制御情報が第1のタイプのダウンリンク制御情報であり、前記ターゲット物理アップリンク制御チャネルのリソースが、第1の物理アップリンク制御チャネルリソースセット内の物理アップリンク制御チャネルリソースであるか、または
前記第1のダウンリンク制御情報が第2のタイプのダウンリンク制御情報であり、前記ターゲット物理アップリンク制御チャネルのリソースが、第2の物理アップリンク制御チャネルリソースセット内の物理アップリンク制御チャネルリソースであり、
前記第1のタイプのダウンリンク制御情報がUE固有の物理ダウンリンク制御情報であり、前記第2のタイプのダウンリンク制御情報が、UEグループ固有の物理ダウンリンク制御情報または共通の物理ダウンリンク制御情報であり、前記第1の物理アップリンク制御チャネルリソースセットおよび前記第2の物理アップリンク制御チャネルリソースセットの各々が、前記UE向けに前記ネットワークデバイスによって構成された物理アップリンク制御チャネルリソースのセットである、
請求項15に記載の方法。
【請求項１７】
前記ネットワークデバイスにより、前記UE向けに前記第1の物理アップリンク制御チャネルリソースセットおよび前記第2の物理アップリンク制御チャネルリソースセットを別々に構成するステップ、または
前記ネットワークデバイスにより、前記UE向けに前記第1の物理アップリンク制御チャネルリソースセットを構成するステップであって、前記第2の物理アップリンク制御チャネルリソースセットが、前記第1の物理アップリンク制御チャネルリソースセットのサブセットである、ステップ
をさらに備える、請求項16に記載の方法。
【請求項１８】
前記第1の物理アップリンク制御チャネルリソースセットが少なくとも2つの物理アップリンク制御チャネルリソースを備え、前記第2の物理アップリンク制御チャネルリソースセットが1つの物理アップリンク制御チャネルリソースを備える、請求項16または17に記載の方法。
【請求項１９】
前記第1のダウンリンク制御情報が前記第2のタイプのダウンリンク制御情報であり、前記第2の物理アップリンク制御チャネルリソースセットが空のセットであり、前記方法が、
前記ネットワークデバイスにより、前記第1のアップリンクサブフレーム内で前記第1のアップリンク制御情報を受信することをスキップするステップ
をさらに備える、請求項16または17に記載の方法。
【請求項２０】
前記第1のアップリンクサブフレームが第1のタイプのアップリンクサブフレームであり、前記ターゲット物理アップリンク制御チャネルのリソースが第3の物理アップリンク制御チャネルリソースセット内の物理アップリンク制御チャネルリソースであるか、または
前記第1のアップリンクサブフレームが第2のタイプのアップリンクサブフレームであり、前記ターゲット物理アップリンク制御チャネルのリソースが第4の物理アップリンク制御チャネルリソースセット内の物理アップリンク制御チャネルリソースであり、
前記第1のタイプのアップリンクサブフレームが、前記UEによって送信された物理アップリンク制御チャネルがR個のシンボルを占有するアップリンクサブフレームであり、前記第2のタイプのアップリンクサブフレームが、前記UEによって送信された物理アップリンク制御チャネルがR個より少ないシンボルを占有するアップリンクサブフレームであり、前記第3の物理アップリンク制御チャネルリソースセットおよび前記第4の物理アップリンク制御チャネルリソースセットの各々が、前記UE向けに前記ネットワークデバイスによって構成された物理アップリンク制御チャネルリソースのセットであり、Rが整数である、
請求項15に記載の方法。
【請求項２１】
前記ネットワークデバイスにより、前記UE向けに前記第3の物理アップリンク制御チャネルリソースセットおよび前記第4の物理アップリンク制御チャネルリソースセットを別々に構成するステップ、または
前記ネットワークデバイスにより、前記UE向けに前記第3の物理アップリンク制御チャネルリソースセットを構成するステップであって、前記第4の物理アップリンク制御チャネルリソースセットが、前記第3の物理アップリンク制御チャネルリソースセットのサブセットである、ステップ
をさらに備える、請求項20に記載の方法。
【請求項２２】
前記第1のアップリンクサブフレームが前記第2のタイプのアップリンクサブフレームであり、前記第4の物理アップリンク制御チャネルリソースセットが空のセットであり、前記方法が、
前記ネットワークデバイスにより、前記第1のアップリンクサブフレーム内で前記第1のアップリンク制御情報を受信することをスキップするステップ
をさらに備える、請求項20に記載の方法。
【請求項２３】
前記第1のダウンリンク制御情報が第1の指示情報を備え、前記第1の指示情報が第1の情報であるとき、前記第1のダウンリンク制御情報が、前記ターゲット物理アップリンク制御チャネルを送信するように前記UEに指示するために使用され、前記第1の指示情報が第2の情報であるとき、前記第1のダウンリンク制御情報が、ターゲット物理アップリンク共有チャネルを送信するように前記UEに指示するために使用され、前記ターゲット物理アップリンク共有チャネルが、アップリンクデータを搬送するか、またはアップリンクデータおよびハイブリッド自動再送要求確認応答情報を搬送する、請求項15から22のいずれか一項に記載の方法。
【請求項２４】
前記第1のダウンリンク制御情報が第2の指示情報を備え、前記第2の指示情報が、前記UEによって前記ターゲット物理アップリンク制御チャネルを送信するための第1の電力調整値を示すために使用され、前記UEによって前記ターゲット物理アップリンク制御チャネルを送信するための送信電力が、前記第1の電力調整値によって示される電力調整量を備える、請求項15から23のいずれか一項に記載の方法。
【請求項２５】
前記ターゲット物理アップリンク制御チャネルの前記送信電力が、第2の電力調整値によって示される電力調整量を備え、前記第2の電力調整値が、第1の制御情報グループに備えられるダウンリンク制御情報内の電力調整フィールドの指示値に従って、前記UEによって決定される電力調整値であり、前記第1の制御情報グループが、第2のサブフレームセット内の各サブフレーム内のダウンリンクデータに対応するダウンリンク制御情報から構成され、
前記第2のサブフレームセットが前記第1のサブフレームセットと同等であるか、または前記第2のサブフレームセットが、第1のキャリア上に位置する前記第1のサブフレームセット内のサブフレームのセットであるか、または前記第2のサブフレームセットが、前記第1のサブフレームセット内にあり、その中のダウンリンクデータが前記第1のキャリア上に位置するダウンリンク制御情報に対応する、サブフレームのセットであり、
前記第1のキャリアが前記ターゲット物理アップリンク制御チャネルが位置するキャリアであるか、または前記第1のキャリアが前記第1のダウンリンク制御情報が位置するキャリアである、
請求項15から24のいずれか一項に記載の方法。
【請求項２６】
前記第1のキャリアがキャリア構成セット内のキャリアであり、前記キャリア構成セットが、前記UEが前記ネットワークデバイスと通信するために構成されたキャリアのセットであり、前記キャリア構成セットがH個のキャリアを備え、前記第1のキャリアが前記キャリア構成セット内のG番目のキャリアであり、GとHの両方が正の整数であり、H≧2、1≦G≦Hであり、Gの値がすべてのサブフレーム内で変わることができる、請求項25に記載の方法。
【請求項２７】
前記第2のサブフレームセットが、前記第1のキャリア上に位置する前記第1のサブフレームセット内のすべてのサブフレームのセットであるか、または
前記第2のサブフレームセットが、前記第1のサブフレームセット内にあり、その中のダウンリンクデータが前記第1のキャリア上に位置するダウンリンク制御情報に対応する、すべてのサブフレームのセットであるか、または
前記第2のサブフレームセットが、前記第1のキャリア上に位置する前記第1のサブフレームセット内にあり、その中の対応するダウンリンク制御情報が前記第1のキャリア上に位置する、すべてのサブフレームのセットである、
請求項25または26に記載の方法。
【請求項２８】
前記第1の制御情報グループ内で同じ時間を示すサブフレーム内のダウンリンク制御情報内の電力調整フィールドの指示値が同じである、請求項25から27のいずれか一項に記載の方法。
【請求項２９】
第1のサブフレームセット内の各サブフレーム内でネットワークデバイスによって送信されたダウンリンクデータを受信するように構成された受信モジュールであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数であり、
前記受信モジュールが、前記ネットワークデバイスによって送信された第1のダウンリンク制御情報を取得するようにさらに構成される、受信モジュールと、
前記第1のダウンリンク制御情報の指示に従って第1のアップリンクサブフレーム内でターゲット物理アップリンク制御チャネルを送信するように構成された送信モジュールであって、前記ターゲット物理アップリンク制御チャネルが第1のアップリンク制御情報を備え、前記第1のアップリンク制御情報が、前記第1のサブフレームセット内の各サブフレーム内にあり、前記受信モジュールによって受信された前記ダウンリンクデータに対応するハイブリッド自動再送要求確認応答情報を備える、送信モジュールと
を備える、端末デバイス。
【請求項３０】
前記第1のダウンリンク制御情報が第1のタイプのダウンリンク制御情報であり、前記ターゲット物理アップリンク制御チャネルのリソースが、第1の物理アップリンク制御チャネルリソースセット内の物理アップリンク制御チャネルリソースであるか、または
前記第1のダウンリンク制御情報が第2のタイプのダウンリンク制御情報であり、前記ターゲット物理アップリンク制御チャネルのリソースが、第2の物理アップリンク制御チャネルリソースセット内の物理アップリンク制御チャネルリソースであり、
前記第1のタイプのダウンリンク制御情報が端末デバイス固有の物理ダウンリンク制御情報であり、前記第2のタイプのダウンリンク制御情報が、端末デバイスグループ固有の物理ダウンリンク制御情報または共通の物理ダウンリンク制御情報であり、前記第1の物理アップリンク制御チャネルリソースセットおよび前記第2の物理アップリンク制御チャネルリソースセットの各々が、前記端末デバイス向けに前記ネットワークデバイスによって構成された物理アップリンク制御チャネルリソースのセットである、
請求項29に記載の端末デバイス。
【請求項３１】
前記第1の物理アップリンク制御チャネルリソースセットおよび前記第2の物理アップリンク制御チャネルリソースセットが、前記端末デバイス向けに前記ネットワークデバイスによって別々に構成されたセットであるか、または
前記第1の物理アップリンク制御チャネルリソースセットが、前記端末デバイス向けに前記ネットワークデバイスによって構成されたセットであり、前記第2の物理アップリンク制御チャネルリソースセットが、前記第1の物理アップリンク制御チャネルリソースセットのサブセットである、
請求項30に記載の端末デバイス。
【請求項３２】
前記第1の物理アップリンク制御チャネルリソースセットが少なくとも2つの物理アップリンク制御チャネルリソースを備え、前記第2の物理アップリンク制御チャネルリソースセットが1つの物理アップリンク制御チャネルリソースを備える、請求項30または31に記載の端末デバイス。
【請求項３３】
前記第1のダウンリンク制御情報が前記第2のタイプのダウンリンク制御情報であり、前記第2の物理アップリンク制御チャネルリソースセットが空のセットであり、前記送信モジュールが、前記第1のアップリンクサブフレーム内で前記第1のアップリンク制御情報を送信しない、請求項30または31に記載の端末デバイス。
【請求項３４】
前記第1のアップリンクサブフレームが第1のタイプのアップリンクサブフレームであり、前記ターゲット物理アップリンク制御チャネルのリソースが第3の物理アップリンク制御チャネルリソースセット内の物理アップリンク制御チャネルリソースであるか、または
前記第1のアップリンクサブフレームが第2のタイプのアップリンクサブフレームであり、前記ターゲット物理アップリンク制御チャネルのリソースが第4の物理アップリンク制御チャネルリソースセット内の物理アップリンク制御チャネルリソースであり、
前記第1のタイプのアップリンクサブフレームが、前記送信モジュールによって送信された物理アップリンク制御チャネルがR個のシンボルを占有するアップリンクサブフレームであり、前記第2のタイプのアップリンクサブフレームが、前記送信モジュールによって送信された物理アップリンク制御チャネルがR個より少ないシンボルを占有するアップリンクサブフレームであり、前記第3の物理アップリンク制御チャネルリソースセットおよび前記第4の物理アップリンク制御チャネルリソースセットの各々が、前記端末デバイス向けに前記ネットワークデバイスによって構成された物理アップリンク制御チャネルリソースのセットであり、Rが整数である、
請求項29に記載の端末デバイス。
【請求項３５】
前記第3の物理アップリンク制御チャネルリソースセットおよび前記第4の物理アップリンク制御チャネルリソースセットが、前記端末デバイス向けに前記ネットワークデバイスによって別々に構成されたセットであるか、または
前記第3の物理アップリンク制御チャネルリソースセットが、前記端末デバイス向けに前記ネットワークデバイスによって構成されたセットであり、前記第4の物理アップリンク制御チャネルリソースセットが、前記第3の物理アップリンク制御チャネルリソースセットのサブセットである、
請求項34に記載の端末デバイス。
【請求項３６】
前記第1のアップリンクサブフレームが前記第2のタイプのアップリンクサブフレームであり、前記第4の物理アップリンク制御チャネルリソースセットが空のセットであり、前記送信モジュールが、前記第1のアップリンクサブフレーム内で前記第1のアップリンク制御情報を送信しない、請求項34に記載の端末デバイス。
【請求項３７】
前記第1のダウンリンク制御情報が第1の指示情報を備え、前記第1の指示情報が第1の情報であるとき、前記第1のダウンリンク制御情報が、前記ターゲット物理アップリンク制御チャネルを送信するように前記送信モジュールに指示するために使用され、前記第1の指示情報が第2の情報であるとき、前記第1のダウンリンク制御情報が、ターゲット物理アップリンク共有チャネルを送信するように前記送信モジュールに指示するために使用され、前記ターゲット物理アップリンク共有チャネルが、アップリンクデータを搬送するか、またはアップリンクデータおよびハイブリッド自動再送要求確認応答情報を搬送する、請求項29から36のいずれか一項に記載の端末デバイス。
【請求項３８】
前記第1のダウンリンク制御情報が第2の指示情報を備え、前記第2の指示情報が、前記送信モジュールによって前記ターゲット物理アップリンク制御チャネルを送信するための第1の電力調整値を示すために使用され、前記送信モジュールによって前記ターゲット物理アップリンク制御チャネルを送信するための送信電力が、前記第1の電力調整値によって示される電力調整量を備える、請求項29から37のいずれか一項に記載の端末デバイス。
【請求項３９】
前記ターゲット物理アップリンク制御チャネルの前記送信電力が、第2の電力調整値によって示される電力調整量を備え、前記第2の電力調整値が、第1の制御情報グループに備えられるダウンリンク制御情報内の電力調整フィールドの指示値に従って、前記端末デバイスによって決定される電力調整値であり、前記第1の制御情報グループが、第2のサブフレームセット内の各サブフレーム内のダウンリンクデータに対応するダウンリンク制御情報から構成され、
前記第2のサブフレームセットが前記第1のサブフレームセットと同等であるか、または前記第2のサブフレームセットが、第1のキャリア上に位置する前記第1のサブフレームセット内のサブフレームのセットであるか、または前記第2のサブフレームセットが、前記第1のサブフレームセット内にあり、その中のダウンリンクデータが前記第1のキャリア上に位置するダウンリンク制御情報に対応する、サブフレームのセットであり、
前記第1のキャリアが前記ターゲット物理アップリンク制御チャネルが位置するキャリアであるか、または前記第1のキャリアが前記第1のダウンリンク制御情報が位置するキャリアである、
請求項29から38のいずれか一項に記載の端末デバイス。
【請求項４０】
前記第1のキャリアがキャリア構成セット内のキャリアであり、前記キャリア構成セットが、前記端末デバイスが前記ネットワークデバイスと通信するために構成されたキャリアのセットであり、前記キャリア構成セットがH個のキャリアを備え、前記第1のキャリアが前記キャリア構成セット内のG番目のキャリアであり、GとHの両方が正の整数であり、H≧2、1≦G≦Hであり、Gの値がすべてのサブフレーム内で変わることができる、請求項39に記載の端末デバイス。
【請求項４１】
前記第2のサブフレームセットが、前記第1のキャリア上に位置する前記第1のサブフレームセット内のすべてのサブフレームのセットであるか、または
前記第2のサブフレームセットが、前記第1のサブフレームセット内にあり、その中のダウンリンクデータが前記第1のキャリア上に位置するダウンリンク制御情報に対応する、すべてのサブフレームのセットであるか、または
前記第2のサブフレームセットが、前記第1のキャリア上に位置する前記第1のサブフレームセット内にあり、その中の対応するダウンリンク制御情報が前記第1のキャリア上に位置する、すべてのサブフレームのセットである、
請求項39または40に記載の端末デバイス。
【請求項４２】
前記第1の制御情報グループ内で同じ時間を示すサブフレーム内のダウンリンク制御情報内の電力調整フィールドの指示値が同じである、請求項39から41のいずれか一項に記載の端末デバイス。
【請求項４３】
第1のサブフレームセット内の各サブフレーム内で端末デバイスUEにダウンリンクデータを送信するように構成された送信モジュールであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数であり、
前記送信モジュールが、前記UEに第1のダウンリンク制御情報を送信するようにさらに構成される、送信モジュールと、
前記第1のダウンリンク制御情報の指示に従って第1のアップリンクサブフレーム内で前記UEによって送信されたターゲット物理アップリンク制御チャネルを受信するように構成された受信モジュールであって、前記ターゲット物理アップリンク制御チャネルが第1のアップリンク制御情報を備え、前記第1のアップリンク制御情報が、前記第1のサブフレームセット内の各サブフレーム内にあり、前記UEによって受信された前記ダウンリンクデータに対応するハイブリッド自動再送要求確認応答情報を備える、受信モジュールと
を備える、ネットワークデバイス。
【請求項４４】
前記第1のダウンリンク制御情報が第1のタイプのダウンリンク制御情報であり、前記ターゲット物理アップリンク制御チャネルのリソースが、第1の物理アップリンク制御チャネルリソースセット内の物理アップリンク制御チャネルリソースであるか、または
前記第1のダウンリンク制御情報が第2のタイプのダウンリンク制御情報であり、前記ターゲット物理アップリンク制御チャネルのリソースが、第2の物理アップリンク制御チャネルリソースセット内の物理アップリンク制御チャネルリソースであり、
前記第1のタイプのダウンリンク制御情報がUE固有の物理ダウンリンク制御情報であり、前記第2のタイプのダウンリンク制御情報が、UEグループ固有の物理ダウンリンク制御情報または共通の物理ダウンリンク制御情報であり、前記第1の物理アップリンク制御チャネルリソースセットおよび前記第2の物理アップリンク制御チャネルリソースセットの各々が、前記UE向けに前記ネットワークデバイスによって構成された物理アップリンク制御チャネルリソースのセットである、
請求項43に記載のネットワークデバイス。
【請求項４５】
前記UE向けに前記第1の物理アップリンク制御チャネルリソースセットおよび前記第2の物理アップリンク制御チャネルリソースセットを別々に構成すること、または
前記UE向けに前記第1の物理アップリンク制御チャネルリソースセットを構成することであって、前記第2の物理アップリンク制御チャネルリソースセットが、前記第1の物理アップリンク制御チャネルリソースセットのサブセットである、構成すること
を行うように構成された第1の構成モジュール
をさらに備える、請求項44に記載のネットワークデバイス。
【請求項４６】
前記第1の物理アップリンク制御チャネルリソースセットが少なくとも2つの物理アップリンク制御チャネルリソースを備え、前記第2の物理アップリンク制御チャネルリソースセットが1つの物理アップリンク制御チャネルリソースを備える、請求項44または45に記載のネットワークデバイス。
【請求項４７】
前記第1のダウンリンク制御情報が前記第2のタイプのダウンリンク制御情報であり、前記第2の物理アップリンク制御チャネルリソースセットが空のセットであり、前記受信モジュールが、前記第1のアップリンクサブフレーム内で前記第1のアップリンク制御情報を受信しない、請求項44または45に記載のネットワークデバイス。
【請求項４８】
前記第1のアップリンクサブフレームが第1のタイプのアップリンクサブフレームであり、前記ターゲット物理アップリンク制御チャネルのリソースが第3の物理アップリンク制御チャネルリソースセット内の物理アップリンク制御チャネルリソースであるか、または
前記第1のアップリンクサブフレームが第2のタイプのアップリンクサブフレームであり、前記ターゲット物理アップリンク制御チャネルのリソースが第4の物理アップリンク制御チャネルリソースセット内の物理アップリンク制御チャネルリソースであり、
前記第1のタイプのアップリンクサブフレームが、前記UEによって送信された物理アップリンク制御チャネルがR個のシンボルを占有するアップリンクサブフレームであり、前記第2のタイプのアップリンクサブフレームが、前記UEによって送信された物理アップリンク制御チャネルがR個より少ないシンボルを占有するアップリンクサブフレームであり、前記第3の物理アップリンク制御チャネルリソースセットおよび前記第4の物理アップリンク制御チャネルリソースセットの各々が、前記UE向けに前記ネットワークデバイスによって構成された物理アップリンク制御チャネルリソースのセットであり、Rが整数である、
請求項43に記載のネットワークデバイス。
【請求項４９】
前記UE向けに前記第3の物理アップリンク制御チャネルリソースセットおよび前記第4の物理アップリンク制御チャネルリソースセットを別々に構成すること、または
前記UE向けに前記第3の物理アップリンク制御チャネルリソースセットを構成することであって、前記第4の物理アップリンク制御チャネルリソースセットが、前記第3の物理アップリンク制御チャネルリソースセットのサブセットである、構成すること
を行うように構成された第2の構成モジュール
をさらに備える、請求項48に記載のネットワークデバイス。
【請求項５０】
前記第1のアップリンクサブフレームが前記第2のタイプのアップリンクサブフレームであり、前記第4の物理アップリンク制御チャネルリソースセットが空のセットであり、前記受信モジュールが、前記第1のアップリンクサブフレーム内で前記第1のアップリンク制御情報を受信しない、請求項48に記載のネットワークデバイス。
【請求項５１】
前記第1のダウンリンク制御情報が第1の指示情報を備え、前記第1の指示情報が第1の情報であるとき、前記第1のダウンリンク制御情報が、前記ターゲット物理アップリンク制御チャネルを送信するように前記UEに指示するために使用され、前記第1の指示情報が第2の情報であるとき、前記第1のダウンリンク制御情報が、ターゲット物理アップリンク共有チャネルを送信するように前記UEに指示するために使用され、前記ターゲット物理アップリンク共有チャネルが、アップリンクデータを搬送するか、またはアップリンクデータおよびハイブリッド自動再送要求確認応答情報を搬送する、請求項43から50のいずれか一項に記載のネットワークデバイス。
【請求項５２】
前記第1のダウンリンク制御情報が第2の指示情報を備え、前記第2の指示情報が、前記UEによって前記ターゲット物理アップリンク制御チャネルを送信するための第1の電力調整値を示すために使用され、前記UEによって前記ターゲット物理アップリンク制御チャネルを送信するための送信電力が、前記第1の電力調整値によって示される電力調整量を備える、請求項43から51のいずれか一項に記載のネットワークデバイス。
【請求項５３】
前記ターゲット物理アップリンク制御チャネルの前記送信電力が、第2の電力調整値によって示される電力調整量を備え、前記第2の電力調整値が、第1の制御情報グループに備えられるダウンリンク制御情報内の電力調整フィールドの指示値に従って、前記UEによって決定される電力調整値であり、前記第1の制御情報グループが、第2のサブフレームセット内の各サブフレーム内のダウンリンクデータに対応するダウンリンク制御情報から構成され、
前記第2のサブフレームセットが前記第1のサブフレームセットと同等であるか、または前記第2のサブフレームセットが、第1のキャリア上に位置する前記第1のサブフレームセット内のサブフレームのセットであるか、または前記第2のサブフレームセットが、前記第1のサブフレームセット内にあり、その中のダウンリンクデータが前記第1のキャリア上に位置するダウンリンク制御情報に対応する、サブフレームのセットであり、
前記第1のキャリアが前記ターゲット物理アップリンク制御チャネルが位置するキャリアであるか、または前記第1のキャリアが前記第1のダウンリンク制御情報が位置するキャリアである、
請求項43から52のいずれか一項に記載のネットワークデバイス。
【請求項５４】
前記第1のキャリアがキャリア構成セット内のキャリアであり、前記キャリア構成セットが、前記UEが前記ネットワークデバイスと通信するために構成されたキャリアのセットであり、前記キャリア構成セットがH個のキャリアを備え、前記第1のキャリアが前記キャリア構成セット内のG番目のキャリアであり、GとHの両方が正の整数であり、H≧2、1≦G≦Hであり、Gの値がすべてのサブフレーム内で変わることができる、請求項53に記載のネットワークデバイス。
【請求項５５】
前記第2のサブフレームセットが、前記第1のキャリア上に位置する前記第1のサブフレームセット内のすべてのサブフレームのセットであるか、または
前記第2のサブフレームセットが、前記第1のサブフレームセット内にあり、その中のダウンリンクデータが前記第1のキャリア上に位置するダウンリンク制御情報に対応する、すべてのサブフレームのセットであるか、または
前記第2のサブフレームセットが、前記第1のキャリア上に位置する前記第1のサブフレームセット内にあり、その中の対応するダウンリンク制御情報が前記第1のキャリア上に位置する、すべてのサブフレームのセットである、
請求項53または54に記載のネットワークデバイス。
【請求項５６】
前記第1の制御情報グループ内で同じ時間を示すサブフレーム内のダウンリンク制御情報内の電力調整フィールドの指示値が同じである、請求項53から55のいずれか一項に記載のネットワークデバイス。
【請求項５７】
端末デバイスUEにより、第1のサブフレームセット内の各サブフレーム内でネットワークデバイスによって送信されたダウンリンクデータを受信するステップであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数である、ステップと、
前記UEにより、前記ネットワークデバイスによって送信された第1のダウンリンク制御情報を取得するステップと、
前記UEにより、リソース割振りインデックス値に基づいて、前記第1のダウンリンク制御情報の指示に従って第1のアップリンクサブフレーム内のターゲット物理アップリンク制御チャネルリソース上で第1のアップリンク制御情報を送信するべきかどうかを判定するステップと
を備え、
前記リソース割振りインデックス値が、前記ターゲット物理アップリンク制御チャネルリソースを決定するために前記UEによって使用され、前記第1のアップリンク制御情報が、前記第1のサブフレームセット内の各サブフレーム内にあり、前記UEによって受信された前記ダウンリンクデータに対応するハイブリッド自動再送要求確認応答情報を備える、
アップリンク制御チャネル送信方法。
【請求項５８】
前記リソース割振りインデックス値が、前記第1のサブフレームセット内のいくつかまたはすべてのサブフレーム内のダウンリンクデータに対応するダウンリンク制御情報内の指示情報である、請求項57に記載の方法。
【請求項５９】
前記リソース割振りインデックス値が第1のタイプのインデックス値または第2のタイプのインデックス値であり、前記第1のタイプのインデックス値が、基準物理アップリンク制御チャネルリソースセット内の前記ターゲット物理アップリンク制御チャネルリソースのインデックス値に対応し、前記第2のタイプのインデックス値が、ターゲット物理アップリンク制御チャネルリソースが存在しないことを示し、前記基準物理アップリンク制御チャネルリソースセットが、前記UE向けに前記ネットワークデバイスによって構成された物理アップリンク制御チャネルリソースのセットであり、
前記UEにより、リソース割振りインデックス値に基づいて、前記第1のダウンリンク制御情報の指示に従って第1のアップリンクサブフレーム内のターゲット物理アップリンク制御チャネルリソース上で第1のアップリンク制御情報を送信するべきかどうかを判定する前記ステップが、
前記リソース割振りインデックス値が前記第1のタイプのインデックス値である場合、前記UEにより、前記第1のアップリンクサブフレーム内にあり、前記リソース割振りインデックス値に対応する前記ターゲット物理アップリンク制御チャネルリソース上で前記第1のアップリンク制御情報を送信するステップ、または
前記リソース割振りインデックス値が前記第2のタイプのインデックス値である場合、前記UEにより、前記第1のアップリンクサブフレーム内で前記第1のアップリンク制御情報を送信することをスキップするステップ
を備える、請求項57または58に記載の方法。
【請求項６０】
ネットワークデバイスにより、第1のサブフレームセット内の各サブフレーム内で端末デバイスUEにダウンリンクデータを送信するステップであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数である、ステップと、
前記ネットワークデバイスにより、前記UEに第1のダウンリンク制御情報を送信するステップと、
前記ネットワークデバイスにより、第1のアップリンクサブフレーム内のターゲット物理アップリンク制御チャネルリソース上で、前記UEによって送信された第1のアップリンク制御情報を受信するステップ、または前記ネットワークデバイスにより、前記第1のアップリンクサブフレーム内の前記ターゲット物理アップリンク制御チャネルリソース上で前記第1のアップリンク制御情報を受信することをスキップするステップと
を備える、アップリンク制御チャネル受信方法。
【請求項６１】
前記リソース割振りインデックス値が、前記第1のサブフレームセット内のいくつかまたはすべてのサブフレーム内のダウンリンクデータに対応するダウンリンク制御情報内の指示情報である、請求項60に記載の方法。
【請求項６２】
前記リソース割振りインデックス値が第1のタイプのインデックス値または第2のタイプのインデックス値であり、前記第1のタイプのインデックス値が、基準物理アップリンク制御チャネルリソースセット内の前記ターゲット物理アップリンク制御チャネルリソースのインデックス値に対応し、前記第2のタイプのインデックス値が、ターゲット物理アップリンク制御チャネルリソースが存在しないことを示し、前記基準物理アップリンク制御チャネルリソースセットが、前記UE向けに前記ネットワークデバイスによって構成された物理アップリンク制御チャネルリソースのセットである、請求項60または61に記載の方法。
【請求項６３】
第1のサブフレームセット内の各サブフレーム内でネットワークデバイスによって送信されたダウンリンクデータを受信するように構成された受信モジュールであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数であり、
前記受信モジュールが、前記ネットワークデバイスによって送信された第1のダウンリンク制御情報を取得するようにさらに構成される、受信モジュールと、
リソース割振りインデックス値に基づいて、前記第1のダウンリンク制御情報の指示に従って第1のアップリンクサブフレーム内のターゲット物理アップリンク制御チャネルリソース上で第1のアップリンク制御情報を送信するべきかどうかを判定するように構成された送信モジュールと
を備え、
前記リソース割振りインデックス値が、前記ターゲット物理アップリンク制御チャネルリソースを決定するために前記UEによって使用され、前記第1のアップリンク制御情報が、前記第1のサブフレームセット内の各サブフレーム内にあり、前記UEによって受信された前記ダウンリンクデータに対応するハイブリッド自動再送要求確認応答情報を備える、
端末デバイス。
【請求項６４】
前記リソース割振りインデックス値が、前記第1のサブフレームセット内のいくつかまたはすべてのサブフレーム内のダウンリンクデータに対応するダウンリンク制御情報内の指示情報である、請求項63に記載の端末デバイス。
【請求項６５】
前記リソース割振りインデックス値が第1のタイプのインデックス値または第2のタイプのインデックス値であり、前記第1のタイプのインデックス値が、基準物理アップリンク制御チャネルリソースセット内の前記ターゲット物理アップリンク制御チャネルリソースのインデックス値に対応し、前記第2のタイプのインデックス値が、ターゲット物理アップリンク制御チャネルリソースが存在しないことを示し、前記基準物理アップリンク制御チャネルリソースセットが、前記UE向けに前記ネットワークデバイスによって構成された物理アップリンク制御チャネルリソースのセットであり、
前記送信モジュールが、具体的に、
前記リソース割振りインデックス値が前記第1のタイプのインデックス値である場合、前記第1のアップリンクサブフレーム内にあり、前記リソース割振りインデックス値に対応する前記ターゲット物理アップリンク制御チャネルリソース上で前記第1のアップリンク制御情報を送信すること、または
前記リソース割振りインデックス値が前記第2のタイプのインデックス値である場合、前記第1のアップリンクサブフレーム内で前記第1のアップリンク制御情報を送信することをスキップすること
を行うように構成される、請求項63または64に記載の端末デバイス。
【請求項６６】
第1のサブフレームセット内の各サブフレーム内で端末デバイスUEにダウンリンクデータを送信するように構成された送信モジュールであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数であり、
前記送信モジュールが、前記UEに第1のダウンリンク制御情報を送信するようにさらに構成される、送信モジュールと、
第1のアップリンクサブフレーム内のターゲット物理アップリンク制御チャネルリソース上で、前記UEによって送信された第1のアップリンク制御情報を受信すること、または前記第1のアップリンクサブフレーム内の前記ターゲット物理アップリンク制御チャネルリソース上で前記第1のアップリンク制御情報を受信することをスキップすることを行うように構成された受信モジュールと
を備える、ネットワークデバイス。
【請求項６７】
前記リソース割振りインデックス値が、前記第1のサブフレームセット内のいくつかまたはすべてのサブフレーム内のダウンリンクデータに対応するダウンリンク制御情報内の指示情報である、請求項66に記載のネットワークデバイス。
【請求項６８】
前記リソース割振りインデックス値が第1のタイプのインデックス値または第2のタイプのインデックス値であり、前記第1のタイプのインデックス値が、基準物理アップリンク制御チャネルリソースセット内の前記ターゲット物理アップリンク制御チャネルリソースのインデックス値に対応し、前記第2のタイプのインデックス値が、ターゲット物理アップリンク制御チャネルリソースが存在しないことを示し、前記基準物理アップリンク制御チャネルリソースセットが、前記UE向けに前記ネットワークデバイスによって構成された物理アップリンク制御チャネルリソースのセットである、請求項66または67に記載のネットワークデバイス。
【発明の詳細な説明】
【技術分野】
【０００１】
本発明は、通信技術の分野に関し、詳細には、アップリンク制御チャネル送信方法、アップリンク制御チャネル受信方法、および装置に関する。
【背景技術】
【０００２】
ロングタームエボリューション（Long Term Evolution、略してLTE）システムでは、時間周波数リソースは、時間領域内の時間領域シンボルと周波数領域内のサブキャリアに分割され、最小リソース粒度はリソース要素（Resource Element、略してRE）と呼ばれ、すなわち、時間領域内の時間領域シンボルおよび周波数領域内のサブキャリアを含む時間周波数グリッドである。LTEシステムにおけるサービス伝送は、基地局によるスケジューリングに基づいている。基地局によるスケジューリングの基本時間単位はサブフレームであり、1つのサブフレームは複数の時間領域シンボルを含む。具体的なスケジューリング手順は以下の通りである：基地局は、物理ダウンリンク制御チャネル（Physical Downlink Control Channel、略してPDCCH）または拡張PDCCH（Enhanced PDCCH、略してEPDCCH）などの制御チャネルを送信する。制御チャネルは、物理ダウンリンク共有チャネル（Physical Downlink Shared Channel、PDSCH）または物理アップリンク共有チャネル（Physical Uplink Shared Channel、PUSCH）などのデータチャネルのスケジューリング情報を搬送することができ、スケジューリング情報は、リソース割振り情報ならびに変調および符号化方式などの制御情報を含む。ユーザ機器（User Equipment、略してUE）は、サブフレーム内の制御チャネルを検出し、検出された制御チャネル上で搬送されるスケジューリング情報に基づいて、ダウンリンクデータチャネルを受信するか、またはアップリンクデータチャネルを送信する。LTEは、周波数分割複信（Frequency Division Duplex、略してFDD）および時分割複信（Time Division Duplex、略してTDD）をサポートする。FDDシステムでは、ダウンリンク送信およびアップリンク送信は異なるキャリア上で実行される。TDDシステムでは、ダウンリンク送信およびアップリンク送信は異なる時間に同じキャリア上で実行される。LTEは現在、7つの異なる固定TDDアップリンク−ダウンリンクサブフレーム構成をサポートしており、LTEではハイブリッド自動再送要求（Hybrid Automatic Repeat Request、略してHARQ）メカニズムが使用されている。一例として、ダウンリンク送信が使用される。PDSCHを受信した後に、UEは、物理アップリンク制御チャネル（Physical Uplink Control Channel、略してPUCCH）上で肯定応答（Acknowledgement、略してACK）または否定応答（Non acknowledgement、略してNACK）をフィードバックして、PDSCHが正しく受信されたかどうかを示す。FDDでは、UEは、PDSCHを受信する時間、およびPDSCHとHARQ−ACKとの間の事前設定されたタイミング関係に基づいて、PUCCHを送信することを決定する。たとえば、サブフレームn−4内でPDSCHを受信した後、UEはサブフレームn内でACK／NACKをフィードバックし、これはTDDでも同様である。LTEはさらに、キャリアアグリゲーション（Carrier Aggregation、CA）技術をサポートする、すなわち、基地局は、UEのデータレートを向上させるようにUE用の複数のキャリアを構成する。複数のキャリアは時間領域内で同期して送信され、UEは、PDCCH、および各キャリアをスケジュールするためのPDCCHに対応するPDSCHを別々に検出することができる。各キャリアの具体的な検出プロセスは、前述の単一キャリアの場合と同様である。
【０００３】
LTEは、エアインターフェース上の2つのフレーム構造：Type1およびType2をサポートする。Type1はFDDに使用される。Type2はTDDに使用され、無線フレームの長さは10msである。TDDにおける10msの無線フレームは10個のサブフレームを含む。10個のサブフレームの各々がダウンリンクサブフレームまたはアップリンクサブフレームまたは特殊サブフレームとして構成されることは、構成情報を使用することによってUE向けに事前構成される。無認可スペクトルリソース上で、複数の通信システムが互いに影響することなく無認可スペクトルリソースを占有するという共存特性を実現するために、リッスンビフォアトーク（Listen−Before−Talk、略してLBT）チャネルアクセスメカニズムが使用されてもよい。すなわち、UEが無認可スペクトルリソース上でデータを送信する前に、UEは最初に、リスニングを介して、チャネルがアイドルであるかどうかを検出し、チャネルがアイドルである場合、UEは無認可スペクトルリソース上でチャネルを使用することができる。既存のLTEシステムでは、UE向けに基地局によってダウンリンクデータをスケジュールするためのダウンリンク制御情報は、2つの制御情報を含む。第1の制御情報はデータ割当てインデックス（Downlink Assignment Index、略してDAI）であり、第2の制御情報は物理アップリンク制御チャネルの電力制御インデックスである。UEは、受信されたダウンリンクデータに対応するダウンリンク制御情報内の2つの制御情報に基づいて、物理アップリンク制御チャネルの電力調整値および物理アップリンク制御チャネルのリソースを決定する。アンカーキャリア上のDAI＝1のダウンリンク制御情報内の第2の制御情報は、UEによって物理アップリンク制御チャネルを送信するための電力調整値を決定するために使用され、他のダウンリンク制御情報内の第2の制御情報は、複数の事前構成されたリソースのうちのどれがUEによってPUCCHを送信するためのリソースであるかを判定するために使用される。
【０００４】
LBTメカニズムに起因して、任意のサブフレームがダウンリンクサブフレームであるかアップリンクサブフレームであるかを事前構成することはできない。基地局とUEの両方が無認可スペクトルを占有するという日和見的特性を有することを考慮すると、LTEシステムにおける固定サブフレーム比に基づいて、無認可スペクトル上のキャリア上で通信を実行することはできない。既存のLTEシステムにおいてPDSCHを受信することとPDSCHに対応するHARQ−ACKを送信することとの間のタイミング関係に基づいて、UEがPUCCHを送信することを決定することも困難である。加えて、LTEシステムにおいてダウンリンクサブフレームセット内のダウンリンクデータと固定されたタイミング関係のアップリンクサブフレームとの間の対応関係に基づいて、無認可キャリア上で通信を行うことができないので、UEは、アップリンクサブフレームに対応する固定ダウンリンクサブフレームセット内のダウンリンク制御情報内の2つの制御情報を使用して、PUCCHを送信するためのリソースおよびPUCCHを送信するための電力調整値を決定することができない。
【発明の概要】
【０００５】
したがって、UEが無認可スペクトルリソース上でPUCCHをどのように送信するか、ならびに、PUCCHを送信するとき、PUCCHを送信するためのリソース、およびPUCCHを送信するための電力調整値をUEがどのように決定するかは、解決される必要がある問題である。
【課題を解決するための手段】
【０００６】
本発明の実施形態は、UEが無認可スペクトルリソース上で物理アップリンク制御チャネルをどのように送信するかという問題を解決するために、アップリンク制御チャネル送信方法、アップリンク制御チャネル受信方法、および装置を提供する。
【０００７】
第1の態様によれば、本発明の一実施形態は、
UEにより、第1のサブフレームセット内の各サブフレーム内でネットワークデバイスによって送信されたダウンリンクデータを受信するステップであって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数である、ステップと、UEにより、ネットワークデバイスによって送信された第1のダウンリンク制御情報を取得するステップと、UEにより、第1のダウンリンク制御情報の指示に従って第1のアップリンクサブフレーム内でターゲット物理アップリンク制御チャネルを送信するステップであって、ターゲット物理アップリンク制御チャネルが第1のアップリンク制御情報を含み、第1のアップリンク制御情報が、第1のサブフレームセット内の各サブフレーム内にあり、UEによって受信されたダウンリンクデータに対応するハイブリッド自動再送要求確認応答情報を含む、ステップと
を含む、アップリンク制御チャネル送信方法を提供する。本発明のこの実施形態において提供されるアップリンク制御チャネル送信方法では、第1のサブフレームセット内の各サブフレーム内でUEにダウンリンクデータを送信した後、ネットワークデバイスは、トリガ情報（すなわち、第1のダウンリンク制御情報）をUEに送信して、第1のアップリンクサブフレーム内でターゲット物理アップリンク制御チャネルを送信するようにUEをトリガする。ターゲット物理アップリンク制御チャネルは、第1のサブフレームセット内の各サブフレーム内にあり、UEによって受信されたダウンリンクデータに対応するハイブリッド自動再送要求確認応答情報を含む、第1のアップリンク制御情報を搬送する。このようにして、UEが無認可スペクトルリソース上で物理アップリンク制御チャネルをどのように送信するかという問題が解決される。
【０００８】
可能な設計では、第1のダウンリンク制御情報は第1のタイプのダウンリンク制御情報であり、ターゲット物理アップリンク制御チャネルのリソースは、第1の物理アップリンク制御チャネルリソースセット内の物理アップリンク制御チャネルリソースであるか、または第1のダウンリンク制御情報は第2のタイプのダウンリンク制御情報であり、ターゲット物理アップリンク制御チャネルのリソースは、第2の物理アップリンク制御チャネルリソースセット内の物理アップリンク制御チャネルリソースである。第1のタイプのダウンリンク制御情報はUE固有の物理ダウンリンク制御情報であり、第2のタイプのダウンリンク制御情報は、UEグループ固有の物理ダウンリンク制御情報または共通の物理ダウンリンク制御情報であり、第1の物理アップリンク制御チャネルリソースセットおよび第2の物理アップリンク制御チャネルリソースセットの各々は、UE向けにネットワークデバイスによって構成された物理アップリンク制御チャネルリソースのセットである。この可能な設計では、UEによって物理アップリンク制御チャネルを送信するためのリソースは、時間領域内の最初のアップリンクサブフレームであり、周波数領域および／または直交符号リソース領域内でネットワークデバイスによって事前構成された物理アップリンク制御チャネルリソースセット内の物理アップリンク制御チャネルリソースであってもよい。第1のダウンリンク制御情報のタイプ（ユニキャストおよびブロードキャスト）に関して、ネットワークデバイスによって事前構成された物理アップリンク制御チャネルリソースセットは互いに独立しており、UEは、第1のダウンリンク制御情報のタイプに基づいて、事前構成された物理アップリンク制御チャネルリソースセットから物理アップリンク制御チャネルリソースを選択することができる。このようにして、UEが物理アップリンク制御チャネルを送信するためのリソースをどのように決定するかという問題が解決される。
【０００９】
可能な設計では、第1の物理アップリンク制御チャネルリソースセットおよび第2の物理アップリンク制御チャネルリソースセットは、UE向けにネットワークデバイスによって別々に構成されたセットであるか、または第1の物理アップリンク制御チャネルリソースセットは、UE向けにネットワークデバイスによって構成されたセットであり、第2の物理アップリンク制御チャネルリソースセットは、第1の物理アップリンク制御チャネルリソースセットのサブセットである。
【００１０】
可能な設計では、第1の物理アップリンク制御チャネルリソースセットは少なくとも2つの物理アップリンク制御チャネルリソースを含み、第2の物理アップリンク制御チャネルリソースセットは1つの物理アップリンク制御チャネルリソースを含む。
【００１１】
可能な設計では、第1のダウンリンク制御情報は第2のタイプのダウンリンク制御情報であり、第2の物理アップリンク制御チャネルリソースセットは空のセットであり、方法は、UEにより、第1のアップリンクサブフレーム内で第1のアップリンク制御情報を送信することをスキップするステップをさらに含む。
【００１２】
可能な設計では、第1のアップリンクサブフレームは第1のタイプのアップリンクサブフレームであり、ターゲット物理アップリンク制御チャネルのリソースは第3の物理アップリンク制御チャネルリソースセット内の物理アップリンク制御チャネルリソースであるか、または第1のアップリンクサブフレームは第2のタイプのアップリンクサブフレームであり、ターゲット物理アップリンク制御チャネルのリソースは第4の物理アップリンク制御チャネルリソースセット内の物理アップリンク制御チャネルリソースであり、第1のタイプのアップリンクサブフレームは、UEによって送信された物理アップリンク制御チャネルがR個のシンボルを占有するアップリンクサブフレームであり、第2のタイプのアップリンクサブフレームは、UEによって送信された物理アップリンク制御チャネルがR個より少ないシンボルを占有するアップリンクサブフレームであり、第3の物理アップリンク制御チャネルリソースセットおよび第4の物理アップリンク制御チャネルリソースセットの各々は、UE向けにネットワークデバイスによって構成された物理アップリンク制御チャネルリソースのセットであり、Rは整数である。
【００１３】
可能な設計では、第3の物理アップリンク制御チャネルリソースセットおよび第4の物理アップリンク制御チャネルリソースセットは、UE向けにネットワークデバイスによって別々に構成されたセットであるか、または第3の物理アップリンク制御チャネルリソースセットは、UE向けにネットワークデバイスによって構成されたセットであり、第4の物理アップリンク制御チャネルリソースセットは、第3の物理アップリンク制御チャネルリソースセットのサブセットである。
【００１４】
可能な設計では、第1のアップリンクサブフレームは第2のタイプのアップリンクサブフレームであり、第4の物理アップリンク制御チャネルリソースセットは空のセットであり、方法は、UEにより、第1のアップリンクサブフレーム内で第1のアップリンク制御情報を送信することをスキップするステップをさらに含む。
【００１５】
可能な設計では、第1のダウンリンク制御情報は第1の指示情報を含み、第1の指示情報が第1の情報であるとき、第1のダウンリンク制御情報は、ターゲット物理アップリンク制御チャネルを送信するようにUEに指示するために使用され、第1の指示情報が第2の情報であるとき、第1のダウンリンク制御情報は、ターゲット物理アップリンク共有チャネルを送信するようにUEに指示するために使用され、ターゲット物理アップリンク共有チャネルは、アップリンクデータを搬送するか、またはアップリンクデータおよびハイブリッド自動再送要求確認応答情報を搬送する。この可能な設計では、ネットワークデバイスによってUEに送信された第1のダウンリンク制御情報は、ネットワークデバイスによってUEに送信され、アップリンク共有チャネルを送信するようにUEをスケジュールするために使用される制御情報と同じフォーマットであってもよく、その結果、UEによるブラインド検出の複雑さを低減することができる。
【００１６】
可能な設計では、第1のダウンリンク制御情報は第2の指示情報を含み、第2の指示情報は、UEによってターゲット物理アップリンク制御チャネルを送信するための第1の電力調整値を示すために使用され、UEによってターゲット物理アップリンク制御チャネルを送信するための送信電力は、第1の電力調整値によって示される電力調整量を含む。
【００１７】
可能な設計では、ターゲット物理アップリンク制御チャネルの送信電力は、第2の電力調整値によって示される電力調整量を含み、第2の電力調整値は、第1の制御情報グループに含まれるダウンリンク制御情報内の電力調整フィールドの指示値に従って、UEによって決定される電力調整値であり、第1の制御情報グループは、第2のサブフレームセット内の各サブフレーム内のダウンリンクデータに対応するダウンリンク制御情報を含み、第2のサブフレームセットは第1のサブフレームセットと同等であるか、または第2のサブフレームセットは、第1のキャリア上に位置する第1のサブフレームセット内のサブフレームのセットであるか、または第2のサブフレームセットは、第1のサブフレームセット内にあり、その中のダウンリンクデータが第1のキャリア上に位置するダウンリンク制御情報に対応する、サブフレームのセットであり、第1のキャリアはターゲット物理アップリンク制御チャネルが位置するキャリアであるか、または第1のキャリアは第1のダウンリンク制御情報が位置するキャリアである。
【００１８】
前述の2つの可能な設計では、物理アップリンク制御チャネルを送信するための電力調整値は、電力調整値を第1のダウンリンク制御情報に付加することによってUEに送信されてもよく、かつ／または物理アップリンク制御チャネルを送信するための電力調整値は、第1のサブフレームセット内のダウンリンクデータに対応するダウンリンク制御情報を使用して、各キャリア上でターゲット物理アップリンク制御チャネルを送信するための電力調整量を示すことにより、ネットワークデバイスによって実装される。このようにして、UEによって送信されたターゲット物理アップリンク制御チャネルが位置するキャリアがキャリア構成セット内で動的に変わることができるときに物理アップリンク制御チャネルを送信するための電力調整値をどのように決定するかという問題が解決される。
【００１９】
可能な設計では、第1のキャリアはキャリア構成セット内のキャリアであり、キャリア構成セットはUEがネットワークデバイスと通信するために構成されたキャリアのセットであり、キャリア構成セットはH個のキャリアを含み、第1のキャリアはキャリア構成セット内のG番目のキャリアであり、GとHの両方は正の整数であり、H≧2、1≦G≦Hであり、Gの値はすべてのサブフレーム内で変わることができる。
【００２０】
可能な設計では、第2のサブフレームセットは、第1のキャリア上に位置する第1のサブフレームセット内のすべてのサブフレームのセットであるか、または第2のサブフレームセットは、第1のサブフレームセット内にあり、その中のダウンリンクデータが第1のキャリア上に位置するダウンリンク制御情報に対応する、すべてのサブフレームのセットであるか、または第2のサブフレームセットは、第1のキャリア上に位置し、その中の対応するダウンリンク制御情報が第1のキャリア上に位置する、第1のサブフレームセット内のすべてのサブフレームのセットである。
【００２１】
可能な設計では、第1の制御情報グループ内で同じ時間を示すサブフレーム内のダウンリンク制御情報内の電力調整フィールドの指示値は同じである。
【００２２】
第2の態様によれば、本発明の一実施形態は、
ネットワークデバイスにより、第1のサブフレームセット内の各サブフレーム内で端末デバイスUEにダウンリンクデータを送信するステップであって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数である、ステップと、ネットワークデバイスにより、UEに第1のダウンリンク制御情報を送信するステップと、ネットワークデバイスにより、第1のダウンリンク制御情報の指示に従って第1のアップリンクサブフレーム内でUEによって送信されたターゲット物理アップリンク制御チャネルを受信するステップであって、ターゲット物理アップリンク制御チャネルが第1のアップリンク制御情報を含み、第1のアップリンク制御情報が、第1のサブフレームセット内の各サブフレーム内にあり、UEによって受信されたダウンリンクデータに対応するハイブリッド自動再送要求確認応答情報を含む、ステップと
を含む、アップリンク制御チャネル受信方法を提供する。本発明のこの実施形態において提供されるアップリンク制御チャネル送信方法では、第1のサブフレームセット内の各サブフレーム内でUEにダウンリンクデータを送信した後、ネットワークデバイスは、トリガ情報（すなわち、第1のダウンリンク制御情報）をUEに送信して、第1のアップリンクサブフレーム内でターゲット物理アップリンク制御チャネルを送信するようにUEをトリガする。ターゲット物理アップリンク制御チャネルは、第1のサブフレームセット内の各サブフレーム内にあり、UEによって受信されたダウンリンクデータに対応するハイブリッド自動再送要求確認応答情報を含む、第1のアップリンク制御情報を搬送する。このようにして、UEが無認可スペクトルリソース上で物理アップリンク制御チャネルをどのように送信するかという問題が解決される。
【００２３】
可能な設計では、第1のダウンリンク制御情報は第1のタイプのダウンリンク制御情報であり、ターゲット物理アップリンク制御チャネルのリソースは、第1の物理アップリンク制御チャネルリソースセット内の物理アップリンク制御チャネルリソースであるか、または第1のダウンリンク制御情報は第2のタイプのダウンリンク制御情報であり、ターゲット物理アップリンク制御チャネルのリソースは、第2の物理アップリンク制御チャネルリソースセット内の物理アップリンク制御チャネルリソースである。第1のタイプのダウンリンク制御情報はUE固有の物理ダウンリンク制御情報であり、第2のタイプのダウンリンク制御情報は、UEグループ固有の物理ダウンリンク制御情報または共通の物理ダウンリンク制御情報であり、第1の物理アップリンク制御チャネルリソースセットおよび第2の物理アップリンク制御チャネルリソースセットの各々は、UE向けにネットワークデバイスによって構成された物理アップリンク制御チャネルリソースのセットである。この可能な設計では、UEによって物理アップリンク制御チャネルを送信するためのリソースは、時間領域内の最初のアップリンクサブフレームであり、周波数領域および／または直交符号リソース領域内でネットワークデバイスによって事前構成された物理アップリンク制御チャネルリソースセット内の物理アップリンク制御チャネルリソースであってもよい。第1のダウンリンク制御情報のタイプ（ユニキャストおよびブロードキャスト）に関して、ネットワークデバイスによって事前構成された物理アップリンク制御チャネルリソースセットは互いに独立しており、UEは、第1のダウンリンク制御情報のタイプに基づいて、事前構成された物理アップリンク制御チャネルリソースセットから物理アップリンク制御チャネルリソースを選択することができる。このようにして、UEが物理アップリンク制御チャネルを送信するためのリソースをどのように決定するかという問題が解決される。
【００２４】
可能な設計では、方法は、ネットワークデバイスにより、UE向けに第1の物理アップリンク制御チャネルリソースセットおよび第2の物理アップリンク制御チャネルリソースセットを別々に構成するステップ、またはネットワークデバイスにより、UE向けに第1の物理アップリンク制御チャネルリソースセットを構成するステップであって、第2の物理アップリンク制御チャネルリソースセットが、第1の物理アップリンク制御チャネルリソースセットのサブセットである、ステップをさらに含む。
【００２５】
可能な設計では、第1の物理アップリンク制御チャネルリソースセットは少なくとも2つの物理アップリンク制御チャネルリソースを含み、第2の物理アップリンク制御チャネルリソースセットは1つの物理アップリンク制御チャネルリソースを含む。
【００２６】
可能な設計では、第1のダウンリンク制御情報は第2のタイプのダウンリンク制御情報であり、第2の物理アップリンク制御チャネルリソースセットは空のセットであり、方法は、ネットワークデバイスにより、第1のアップリンクサブフレーム内で第1のアップリンク制御情報を受信することをスキップするステップをさらに含む。
【００２７】
可能な設計では、第1のアップリンクサブフレームは第1のタイプのアップリンクサブフレームであり、ターゲット物理アップリンク制御チャネルのリソースは第3の物理アップリンク制御チャネルリソースセット内の物理アップリンク制御チャネルリソースであるか、または第1のアップリンクサブフレームは第2のタイプのアップリンクサブフレームであり、ターゲット物理アップリンク制御チャネルのリソースは第4の物理アップリンク制御チャネルリソースセット内の物理アップリンク制御チャネルリソースであり、第1のタイプのアップリンクサブフレームは、UEによって送信された物理アップリンク制御チャネルがR個のシンボルを占有するアップリンクサブフレームであり、第2のタイプのアップリンクサブフレームは、UEによって送信された物理アップリンク制御チャネルがR個より少ないシンボルを占有するアップリンクサブフレームであり、第3の物理アップリンク制御チャネルリソースセットおよび第4の物理アップリンク制御チャネルリソースセットの各々は、UE向けにネットワークデバイスによって構成された物理アップリンク制御チャネルリソースのセットであり、Rは整数である。
【００２８】
可能な設計では、方法は、ネットワークデバイスにより、UE向けに第3の物理アップリンク制御チャネルリソースセットおよび第4の物理アップリンク制御チャネルリソースセットを別々に構成するステップ、またはネットワークデバイスにより、UE向けに第3の物理アップリンク制御チャネルリソースセットを構成するステップであって、第4の物理アップリンク制御チャネルリソースセットが、第3の物理アップリンク制御チャネルリソースセットのサブセットである、ステップをさらに含む。
【００２９】
可能な設計では、第1のアップリンクサブフレームは第2のタイプのアップリンクサブフレームであり、第4の物理アップリンク制御チャネルリソースセットは空のセットであり、方法は、ネットワークデバイスにより、第1のアップリンクサブフレーム内で第1のアップリンク制御情報を受信することをスキップするステップをさらに含む。
【００３０】
可能な設計では、第1のダウンリンク制御情報は第1の指示情報を含み、第1の指示情報が第1の情報であるとき、第1のダウンリンク制御情報は、ターゲット物理アップリンク制御チャネルを送信するようにUEに指示するために使用され、第1の指示情報が第2の情報であるとき、第1のダウンリンク制御情報は、ターゲット物理アップリンク共有チャネルを送信するようにUEに指示するために使用され、ターゲット物理アップリンク共有チャネルは、アップリンクデータを搬送するか、またはアップリンクデータおよびハイブリッド自動再送要求確認応答情報を搬送する。この可能な設計では、ネットワークデバイスによってUEに送信された第1のダウンリンク制御情報は、ネットワークデバイスによってUEに送信され、アップリンク共有チャネルを送信するようにUEをスケジュールするために使用される制御情報と同じフォーマットであってもよく、その結果、UEによるブラインド検出の複雑さを低減することができる。
【００３１】
可能な設計では、第1のダウンリンク制御情報は第2の指示情報を含み、第2の指示情報は、UEによってターゲット物理アップリンク制御チャネルを送信するための第1の電力調整値を示すために使用され、UEによってターゲット物理アップリンク制御チャネルを送信するための送信電力は、第1の電力調整値によって示される電力調整量を含む。
【００３２】
可能な設計では、ターゲット物理アップリンク制御チャネルの送信電力は、第2の電力調整値によって示される電力調整量を含み、第2の電力調整値は、第1の制御情報グループに含まれるダウンリンク制御情報内の電力調整フィールドの指示値に従って、UEによって決定される電力調整値であり、第1の制御情報グループは、第2のサブフレームセット内の各サブフレーム内のダウンリンクデータに対応するダウンリンク制御情報を含み、第2のサブフレームセットは第1のサブフレームセットと同等であるか、または第2のサブフレームセットは、第1のキャリア上に位置する第1のサブフレームセット内のサブフレームのセットであるか、または第2のサブフレームセットは、第1のサブフレームセット内にあり、その中のダウンリンクデータが第1のキャリア上に位置するダウンリンク制御情報に対応する、サブフレームのセットであり、第1のキャリアはターゲット物理アップリンク制御チャネルが位置するキャリアであるか、または第1のキャリアは第1のダウンリンク制御情報が位置するキャリアである。
【００３３】
前述の2つの可能な設計では、物理アップリンク制御チャネルを送信するための電力調整値は、電力調整値を第1のダウンリンク制御情報に付加することによってUEに送信されてもよく、かつ／または物理アップリンク制御チャネルを送信するための電力調整値は、第1のサブフレームセット内のダウンリンクデータに対応するダウンリンク制御情報を使用して、各キャリア上でターゲット物理アップリンク制御チャネルを送信するための電力調整量を示すことにより、ネットワークデバイスによって実装される。このようにして、UEによって送信されたターゲット物理アップリンク制御チャネルが位置するキャリアがキャリア構成セット内で動的に変わることができるときに物理アップリンク制御チャネルを送信するための電力調整値をどのように決定するかという問題が解決される。
【００３４】
可能な設計では、第1のキャリアはキャリア構成セット内のキャリアであり、キャリア構成セットはUEがネットワークデバイスと通信するために構成されたキャリアのセットであり、キャリア構成セットはH個のキャリアを含み、第1のキャリアはキャリア構成セット内のG番目のキャリアであり、GとHの両方は正の整数であり、H≧2、1≦G≦Hであり、Gの値はすべてのサブフレーム内で変わることができる。
【００３５】
可能な設計では、第2のサブフレームセットは、第1のキャリア上に位置する第1のサブフレームセット内のすべてのサブフレームのセットであるか、または第2のサブフレームセットは、第1のサブフレームセット内にあり、その中のダウンリンクデータが第1のキャリア上に位置するダウンリンク制御情報に対応する、すべてのサブフレームのセットであるか、または第2のサブフレームセットは、第1のキャリア上に位置し、その中の対応するダウンリンク制御情報が第1のキャリア上に位置する、第1のサブフレームセット内のすべてのサブフレームのセットである。
【００３６】
可能な設計では、第1の制御情報グループ内で同じ時間を示すサブフレーム内のダウンリンク制御情報内の電力調整フィールドの指示値は同じである。
【００３７】
第3の態様によれば、本発明の一実施形態は、
第1のサブフレームセット内の各サブフレーム内でネットワークデバイスによって送信されたダウンリンクデータを受信するように構成された受信モジュールであって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数であり、受信モジュールが、ネットワークデバイスによって送信された第1のダウンリンク制御情報を取得するようにさらに構成される、受信モジュールと、第1のダウンリンク制御情報の指示に従って第1のアップリンクサブフレーム内でターゲット物理アップリンク制御チャネルを送信するように構成された送信モジュールであって、ターゲット物理アップリンク制御チャネルが第1のアップリンク制御情報を含み、第1のアップリンク制御情報が、第1のサブフレームセット内の各サブフレーム内にあり、受信モジュールによって受信されたダウンリンクデータに対応するハイブリッド自動再送要求確認応答情報を含む、送信モジュールと
を含む、端末デバイスを提供する。
【００３８】
可能な設計では、第1のダウンリンク制御情報は第1のタイプのダウンリンク制御情報であり、ターゲット物理アップリンク制御チャネルのリソースは、第1の物理アップリンク制御チャネルリソースセット内の物理アップリンク制御チャネルリソースであるか、または第1のダウンリンク制御情報は第2のタイプのダウンリンク制御情報であり、ターゲット物理アップリンク制御チャネルのリソースは、第2の物理アップリンク制御チャネルリソースセット内の物理アップリンク制御チャネルリソースである。第1のタイプのダウンリンク制御情報は端末デバイス固有の物理ダウンリンク制御情報であり、第2のタイプのダウンリンク制御情報は、端末デバイスグループ固有の物理ダウンリンク制御情報または共通の物理ダウンリンク制御情報であり、第1の物理アップリンク制御チャネルリソースセットおよび第2の物理アップリンク制御チャネルリソースセットの各々は、端末デバイス向けにネットワークデバイスによって構成された物理アップリンク制御チャネルリソースのセットである。
【００３９】
可能な設計では、第1の物理アップリンク制御チャネルリソースセットおよび第2の物理アップリンク制御チャネルリソースセットは、端末デバイス向けにネットワークデバイスによって別々に構成されたセットであるか、または第1の物理アップリンク制御チャネルリソースセットは、端末デバイス向けにネットワークデバイスによって構成されたセットであり、第2の物理アップリンク制御チャネルリソースセットは、第1の物理アップリンク制御チャネルリソースセットのサブセットである。
【００４０】
可能な設計では、第1の物理アップリンク制御チャネルリソースセットは少なくとも2つの物理アップリンク制御チャネルリソースを含み、第2の物理アップリンク制御チャネルリソースセットは1つの物理アップリンク制御チャネルリソースを含む。
【００４１】
可能な設計では、第1のダウンリンク制御情報は第2のタイプのダウンリンク制御情報であり、第2の物理アップリンク制御チャネルリソースセットは空のセットであり、送信モジュールは、第1のアップリンクサブフレーム内で第1のアップリンク制御情報を送信しない。
【００４２】
可能な設計では、第1のアップリンクサブフレームは第1のタイプのアップリンクサブフレームであり、ターゲット物理アップリンク制御チャネルのリソースは、第3の物理アップリンク制御チャネルリソースセット内の物理アップリンク制御チャネルリソースであるか、または第1のアップリンクサブフレームは第2のタイプのアップリンクサブフレームであり、ターゲット物理アップリンク制御チャネルのリソースは、第4の物理アップリンク制御チャネルリソースセット内の物理アップリンク制御チャネルリソースである。第1のタイプのアップリンクサブフレームは、送信モジュールによって送信された物理アップリンク制御チャネルがR個のシンボルを占有するアップリンクサブフレームであり、第2のタイプのアップリンクサブフレームは、送信モジュールによって送信された物理アップリンク制御チャネルがR個より少ないシンボルを占有するアップリンクサブフレームであり、第3の物理アップリンク制御チャネルリソースセットおよび第4の物理アップリンク制御チャネルリソースセットの各々は、端末デバイス向けにネットワークデバイスによって構成された物理アップリンク制御チャネルリソースのセットであり、Rは整数である。
【００４３】
可能な設計では、第3の物理アップリンク制御チャネルリソースセットおよび第4の物理アップリンク制御チャネルリソースセットは、端末デバイス向けにネットワークデバイスによって別々に構成されたセットであるか、または第3の物理アップリンク制御チャネルリソースセットは、端末デバイス向けにネットワークデバイスによって構成されたセットであり、第4の物理アップリンク制御チャネルリソースセットは、第3の物理アップリンク制御チャネルリソースセットのサブセットである。
【００４４】
可能な設計では、第1のアップリンクサブフレームは第2のタイプのアップリンクサブフレームであり、第4の物理アップリンク制御チャネルリソースセットは空のセットであり、送信モジュールは、第1のアップリンクサブフレーム内で第1のアップリンク制御情報を送信しない。
【００４５】
可能な設計では、第1のダウンリンク制御情報は第1の指示情報を含み、第1の指示情報が第1の情報であるとき、第1のダウンリンク制御情報は、ターゲット物理アップリンク制御チャネルを送信するように送信モジュールに指示するために使用され、第1の指示情報が第2の情報であるとき、第1のダウンリンク制御情報は、ターゲット物理アップリンク共有チャネルを送信するように送信モジュールに指示するために使用され、ターゲット物理アップリンク共有チャネルは、アップリンクデータを搬送するか、またはアップリンクデータおよびハイブリッド自動再送要求確認応答情報を搬送する。
【００４６】
可能な設計では、第1のダウンリンク制御情報は第2の指示情報を含み、第2の指示情報は、送信モジュールによってターゲット物理アップリンク制御チャネルを送信するための第1の電力調整値を示すために使用され、送信モジュールによってターゲット物理アップリンク制御チャネルを送信するための送信電力は、第1の電力調整値によって示される電力調整量を含む。
【００４７】
可能な設計では、ターゲット物理アップリンク制御チャネルの送信電力は、第2の電力調整値によって示される電力調整量を含み、第2の電力調整値は、第1の制御情報グループに含まれるダウンリンク制御情報内の電力調整フィールドの指示値に従って、端末デバイスによって決定される電力調整値であり、第1の制御情報グループは、第2のサブフレームセット内の各サブフレーム内のダウンリンクデータに対応するダウンリンク制御情報を含み、第2のサブフレームセットは第1のサブフレームセットと同等であるか、または第2のサブフレームセットは、第1のキャリア上に位置する第1のサブフレームセット内のサブフレームのセットであるか、または第2のサブフレームセットは、第1のサブフレームセット内にあり、その中のダウンリンクデータが第1のキャリア上に位置するダウンリンク制御情報に対応する、サブフレームのセットであり、第1のキャリアはターゲット物理アップリンク制御チャネルが位置するキャリアであるか、または第1のキャリアは第1のダウンリンク制御情報が位置するキャリアである。
【００４８】
可能な設計では、第1のキャリアはキャリア構成セット内のキャリアであり、キャリア構成セットは端末デバイスがネットワークデバイスと通信するために構成されたキャリアのセットであり、キャリア構成セットはH個のキャリアを含み、第1のキャリアはキャリア構成セット内のG番目のキャリアであり、GとHの両方は正の整数であり、H≧2、1≦G≦Hであり、Gの値はすべてのサブフレーム内で変わることができる。
【００４９】
可能な設計では、第2のサブフレームセットは、第1のキャリア上に位置する第1のサブフレームセット内のすべてのサブフレームのセットであるか、または第2のサブフレームセットは、第1のサブフレームセット内にあり、その中のダウンリンクデータが第1のキャリア上に位置するダウンリンク制御情報に対応する、すべてのサブフレームのセットであるか、または第2のサブフレームセットは、第1のキャリア上に位置し、その中の対応するダウンリンク制御情報が第1のキャリア上に位置する、第1のサブフレームセット内のすべてのサブフレームのセットである。
【００５０】
可能な設計では、第1の制御情報グループ内で同じ時間を示すサブフレーム内のダウンリンク制御情報内の電力調整フィールドの指示値は同じである。
【００５１】
第3の態様および第3の態様の可能な設計において提供される端末デバイスの有益な効果については、第1の態様および第1の態様の可能な設計によってもたらされる有益な効果を参照されたい。詳細は本明細書では再び記載されない。
【００５２】
第4の態様によれば、本発明の一実施形態は、
第1のサブフレームセット内の各サブフレーム内で端末デバイスUEにダウンリンクデータを送信するように構成された送信モジュールであって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数であり、送信モジュールが、UEに第1のダウンリンク制御情報を送信するようにさらに構成される、送信モジュールと、第1のダウンリンク制御情報の指示に従って第1のアップリンクサブフレーム内でUEによって送信されたターゲット物理アップリンク制御チャネルを受信するように構成された受信モジュールであって、ターゲット物理アップリンク制御チャネルが第1のアップリンク制御情報を含み、第1のアップリンク制御情報が、第1のサブフレームセット内の各サブフレーム内にあり、UEによって受信されたダウンリンクデータに対応するハイブリッド自動再送要求確認応答情報を含む、受信モジュールと
を含む、ネットワークデバイスを提供する。
【００５３】
可能な設計では、第1のダウンリンク制御情報は第1のタイプのダウンリンク制御情報であり、ターゲット物理アップリンク制御チャネルのリソースは、第1の物理アップリンク制御チャネルリソースセット内の物理アップリンク制御チャネルリソースであるか、または第1のダウンリンク制御情報は第2のタイプのダウンリンク制御情報であり、ターゲット物理アップリンク制御チャネルのリソースは、第2の物理アップリンク制御チャネルリソースセット内の物理アップリンク制御チャネルリソースである。第1のタイプのダウンリンク制御情報はUE固有の物理ダウンリンク制御情報であり、第2のタイプのダウンリンク制御情報は、UEグループ固有の物理ダウンリンク制御情報または共通の物理ダウンリンク制御情報であり、第1の物理アップリンク制御チャネルリソースセットおよび第2の物理アップリンク制御チャネルリソースセットの各々は、UE向けにネットワークデバイスによって構成された物理アップリンク制御チャネルリソースのセットである。
【００５４】
可能な設計では、ネットワークデバイスは、UE向けに第1の物理アップリンク制御チャネルリソースセットおよび第2の物理アップリンク制御チャネルリソースセットを別々に構成すること、またはUE向けに第1の物理アップリンク制御チャネルリソースセットを構成することであって、第2の物理アップリンク制御チャネルリソースセットが、第1の物理アップリンク制御チャネルリソースセットのサブセットである、構成することを行うように構成された第1の構成モジュールをさらに含む。
【００５５】
可能な設計では、第1の物理アップリンク制御チャネルリソースセットは少なくとも2つの物理アップリンク制御チャネルリソースを含み、第2の物理アップリンク制御チャネルリソースセットは1つの物理アップリンク制御チャネルリソースを含む。
【００５６】
可能な設計では、第1のダウンリンク制御情報は第2のタイプのダウンリンク制御情報であり、第2の物理アップリンク制御チャネルリソースセットは空のセットであり、受信モジュールは、第1のアップリンクサブフレーム内で第1のアップリンク制御情報を受信しない。
【００５７】
可能な設計では、第1のアップリンクサブフレームは第1のタイプのアップリンクサブフレームであり、ターゲット物理アップリンク制御チャネルのリソースは、第3の物理アップリンク制御チャネルリソースセット内の物理アップリンク制御チャネルリソースであるか、または第1のアップリンクサブフレームは第2のタイプのアップリンクサブフレームであり、ターゲット物理アップリンク制御チャネルのリソースは、第4の物理アップリンク制御チャネルリソースセット内の物理アップリンク制御チャネルリソースである。第1のタイプのアップリンクサブフレームは、UEによって送信された物理アップリンク制御チャネルがR個のシンボルを占有するアップリンクサブフレームであり、第2のタイプのアップリンクサブフレームは、UEによって送信された物理アップリンク制御チャネルがR個より少ないシンボルを占有するアップリンクサブフレームであり、第3の物理アップリンク制御チャネルリソースセットおよび第4の物理アップリンク制御チャネルリソースセットの各々は、UE向けにネットワークデバイスによって構成された物理アップリンク制御チャネルリソースのセットであり、Rは整数である。
【００５８】
可能な設計では、ネットワークデバイスは、UE向けに第3の物理アップリンク制御チャネルリソースセットおよび第4の物理アップリンク制御チャネルリソースセットを別々に構成すること、またはUE向けに第3の物理アップリンク制御チャネルリソースセットを構成することであって、第4の物理アップリンク制御チャネルリソースセットが、第3の物理アップリンク制御チャネルリソースセットのサブセットである、構成することを行うように構成された第2の構成モジュールをさらに含む。
【００５９】
可能な設計では、第1のアップリンクサブフレームは第2のタイプのアップリンクサブフレームであり、第4の物理アップリンク制御チャネルリソースセットは空のセットであり、受信モジュールは、第1のアップリンクサブフレーム内で第1のアップリンク制御情報を受信しない。
【００６０】
可能な設計では、第1のダウンリンク制御情報は第1の指示情報を含み、第1の指示情報が第1の情報であるとき、第1のダウンリンク制御情報は、ターゲット物理アップリンク制御チャネルを送信するようにUEに指示するために使用され、第1の指示情報が第2の情報であるとき、第1のダウンリンク制御情報は、ターゲット物理アップリンク共有チャネルを送信するようにUEに指示するために使用され、ターゲット物理アップリンク共有チャネルは、アップリンクデータを搬送するか、またはアップリンクデータおよびハイブリッド自動再送要求確認応答情報を搬送する。
【００６１】
可能な設計では、第1のダウンリンク制御情報は第2の指示情報を含み、第2の指示情報は、UEによってターゲット物理アップリンク制御チャネルを送信するための第1の電力調整値を示すために使用され、UEによってターゲット物理アップリンク制御チャネルを送信するための送信電力は、第1の電力調整値によって示される電力調整量を含む。
【００６２】
可能な設計では、ターゲット物理アップリンク制御チャネルの送信電力は、第2の電力調整値によって示される電力調整量を含み、第2の電力調整値は、第1の制御情報グループに含まれるダウンリンク制御情報内の電力調整フィールドの指示値に従って、UEによって決定される電力調整値であり、第1の制御情報グループは、第2のサブフレームセット内の各サブフレーム内のダウンリンクデータに対応するダウンリンク制御情報を含み、第2のサブフレームセットは第1のサブフレームセットと同等であるか、または第2のサブフレームセットは、第1のキャリア上に位置する第1のサブフレームセット内のサブフレームのセットであるか、または第2のサブフレームセットは、第1のサブフレームセット内にあり、その中のダウンリンクデータが第1のキャリア上に位置するダウンリンク制御情報に対応する、サブフレームのセットであり、第1のキャリアはターゲット物理アップリンク制御チャネルが位置するキャリアであるか、または第1のキャリアは第1のダウンリンク制御情報が位置するキャリアである。
【００６３】
可能な設計では、第1のキャリアはキャリア構成セット内のキャリアであり、キャリア構成セットはUEがネットワークデバイスと通信するために構成されたキャリアのセットであり、キャリア構成セットはH個のキャリアを含み、第1のキャリアはキャリア構成セット内のG番目のキャリアであり、GとHの両方は正の整数であり、H≧2、1≦G≦Hであり、Gの値はすべてのサブフレーム内で変わることができる。
【００６４】
可能な設計では、第2のサブフレームセットは、第1のキャリア上に位置する第1のサブフレームセット内のすべてのサブフレームのセットであるか、または第2のサブフレームセットは、第1のサブフレームセット内にあり、その中のダウンリンクデータが第1のキャリア上に位置するダウンリンク制御情報に対応する、すべてのサブフレームのセットであるか、または第2のサブフレームセットは、第1のキャリア上に位置し、その中の対応するダウンリンク制御情報が第1のキャリア上に位置する、第1のサブフレームセット内のすべてのサブフレームのセットである。
【００６５】
可能な設計では、第1の制御情報グループ内で同じ時間を示すサブフレーム内のダウンリンク制御情報内の電力調整フィールドの指示値は同じである。
【００６６】
第4の態様および第4の態様の可能な設計において提供されるネットワークデバイスの有益な効果については、第1の態様および第1の態様の可能な設計によってもたらされる有益な効果を参照されたい。詳細は本明細書では再び記載されない。
【００６７】
第5の態様によれば、本発明の一実施形態は、
第1のサブフレームセット内の各サブフレーム内でネットワークデバイスによって送信されたダウンリンクデータを受信するように構成された受信機であって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数であり、受信機が、ネットワークデバイスによって送信された第1のダウンリンク制御情報を取得するようにさらに構成される、受信機と、第1のダウンリンク制御情報の指示に従って第1のアップリンクサブフレーム内でターゲット物理アップリンク制御チャネルを送信するように構成された送信機であって、ターゲット物理アップリンク制御チャネルが第1のアップリンク制御情報を含み、第1のアップリンク制御情報が、第1のサブフレームセット内の各サブフレーム内にあり、受信モジュールによって受信されたダウンリンクデータに対応するハイブリッド自動再送要求確認応答情報を含む、送信機と
を含む、端末デバイスを提供する。
【００６８】
可能な設計では、第1のダウンリンク制御情報は第1のタイプのダウンリンク制御情報であり、ターゲット物理アップリンク制御チャネルのリソースは、第1の物理アップリンク制御チャネルリソースセット内の物理アップリンク制御チャネルリソースであるか、または第1のダウンリンク制御情報は第2のタイプのダウンリンク制御情報であり、ターゲット物理アップリンク制御チャネルのリソースは、第2の物理アップリンク制御チャネルリソースセット内の物理アップリンク制御チャネルリソースである。第1のタイプのダウンリンク制御情報は端末デバイス固有の物理ダウンリンク制御情報であり、第2のタイプのダウンリンク制御情報は、端末デバイスグループ固有の物理ダウンリンク制御情報または共通の物理ダウンリンク制御情報であり、第1の物理アップリンク制御チャネルリソースセットおよび第2の物理アップリンク制御チャネルリソースセットの各々は、端末デバイス向けにネットワークデバイスによって構成された物理アップリンク制御チャネルリソースのセットである。
【００６９】
可能な設計では、第1の物理アップリンク制御チャネルリソースセットおよび第2の物理アップリンク制御チャネルリソースセットは、端末デバイス向けにネットワークデバイスによって別々に構成されたセットであるか、または第1の物理アップリンク制御チャネルリソースセットは、端末デバイス向けにネットワークデバイスによって構成されたセットであり、第2の物理アップリンク制御チャネルリソースセットは、第1の物理アップリンク制御チャネルリソースセットのサブセットである。
【００７０】
可能な設計では、第1の物理アップリンク制御チャネルリソースセットは少なくとも2つの物理アップリンク制御チャネルリソースを含み、第2の物理アップリンク制御チャネルリソースセットは1つの物理アップリンク制御チャネルリソースを含む。
【００７１】
可能な設計では、第1のダウンリンク制御情報は第2のタイプのダウンリンク制御情報であり、第2の物理アップリンク制御チャネルリソースセットは空のセットであり、送信機は、第1のアップリンクサブフレーム内で第1のアップリンク制御情報を送信しない。
【００７２】
可能な設計では、第1のアップリンクサブフレームは第1のタイプのアップリンクサブフレームであり、ターゲット物理アップリンク制御チャネルのリソースは、第3の物理アップリンク制御チャネルリソースセット内の物理アップリンク制御チャネルリソースであるか、または第1のアップリンクサブフレームは第2のタイプのアップリンクサブフレームであり、ターゲット物理アップリンク制御チャネルのリソースは、第4の物理アップリンク制御チャネルリソースセット内の物理アップリンク制御チャネルリソースである。第1のタイプのアップリンクサブフレームは、送信機によって送信された物理アップリンク制御チャネルがR個のシンボルを占有するアップリンクサブフレームであり、第2のタイプのアップリンクサブフレームは、送信機によって送信された物理アップリンク制御チャネルがR個より少ないシンボルを占有するアップリンクサブフレームであり、第3の物理アップリンク制御チャネルリソースセットおよび第4の物理アップリンク制御チャネルリソースセットの各々は、端末デバイス向けにネットワークデバイスによって構成された物理アップリンク制御チャネルリソースのセットであり、Rは整数である。
【００７３】
可能な設計では、第3の物理アップリンク制御チャネルリソースセットおよび第4の物理アップリンク制御チャネルリソースセットは、端末デバイス向けにネットワークデバイスによって別々に構成されたセットであるか、または第3の物理アップリンク制御チャネルリソースセットは、端末デバイス向けにネットワークデバイスによって構成されたセットであり、第4の物理アップリンク制御チャネルリソースセットは、第3の物理アップリンク制御チャネルリソースセットのサブセットである。
【００７４】
可能な設計では、第1のアップリンクサブフレームは第2のタイプのアップリンクサブフレームであり、第4の物理アップリンク制御チャネルリソースセットは空のセットであり、送信機は、第1のアップリンクサブフレーム内で第1のアップリンク制御情報を送信しない。
【００７５】
可能な設計では、第1のダウンリンク制御情報は第1の指示情報を含み、第1の指示情報が第1の情報であるとき、第1のダウンリンク制御情報は、ターゲット物理アップリンク制御チャネルを送信するように送信機に指示するために使用され、第1の指示情報が第2の情報であるとき、第1のダウンリンク制御情報は、ターゲット物理アップリンク共有チャネルを送信するように送信機に指示するために使用され、ターゲット物理アップリンク共有チャネルは、アップリンクデータを搬送するか、またはアップリンクデータおよびハイブリッド自動再送要求確認応答情報を搬送する。
【００７６】
可能な設計では、第1のダウンリンク制御情報は第2の指示情報を含み、第2の指示情報は、送信機によってターゲット物理アップリンク制御チャネルを送信するための第1の電力調整値を示すために使用され、送信機によってターゲット物理アップリンク制御チャネルを送信するための送信電力は、第1の電力調整値によって示される電力調整量を含む。
【００７７】
可能な設計では、ターゲット物理アップリンク制御チャネルの送信電力は、第2の電力調整値によって示される電力調整量を含み、第2の電力調整値は、第1の制御情報グループに含まれるダウンリンク制御情報内の電力調整フィールドの指示値に従って、端末デバイスによって決定される電力調整値であり、第1の制御情報グループは、第2のサブフレームセット内の各サブフレーム内のダウンリンクデータに対応するダウンリンク制御情報を含み、第2のサブフレームセットは第1のサブフレームセットと同等であるか、または第2のサブフレームセットは、第1のキャリア上に位置する第1のサブフレームセット内のサブフレームのセットであるか、または第2のサブフレームセットは、第1のサブフレームセット内にあり、その中のダウンリンクデータが第1のキャリア上に位置するダウンリンク制御情報に対応する、サブフレームのセットであり、第1のキャリアはターゲット物理アップリンク制御チャネルが位置するキャリアであるか、または第1のキャリアは第1のダウンリンク制御情報が位置するキャリアである。
【００７８】
可能な設計では、第1のキャリアはキャリア構成セット内のキャリアであり、キャリア構成セットは端末デバイスがネットワークデバイスと通信するために構成されたキャリアのセットであり、キャリア構成セットはH個のキャリアを含み、第1のキャリアはキャリア構成セット内のG番目のキャリアであり、GとHの両方は正の整数であり、H≧2、1≦G≦Hであり、Gの値はすべてのサブフレーム内で変わることができる。
【００７９】
可能な設計では、第2のサブフレームセットは、第1のキャリア上に位置する第1のサブフレームセット内のすべてのサブフレームのセットであるか、または第2のサブフレームセットは、第1のサブフレームセット内にあり、その中のダウンリンクデータが第1のキャリア上に位置するダウンリンク制御情報に対応する、すべてのサブフレームのセットであるか、または第2のサブフレームセットは、第1のキャリア上に位置し、その中の対応するダウンリンク制御情報が第1のキャリア上に位置する、第1のサブフレームセット内のすべてのサブフレームのセットである。
【００８０】
可能な設計では、第1の制御情報グループ内で同じ時間を示すサブフレーム内のダウンリンク制御情報内の電力調整フィールドの指示値は同じである。
【００８１】
第5の態様および第5の態様の可能な設計において提供される端末デバイスの有益な効果については、第1の態様および第1の態様の可能な設計によってもたらされる有益な効果を参照されたい。詳細は本明細書では再び記載されない。
【００８２】
第6の態様によれば、本発明の一実施形態は、
第1のサブフレームセット内の各サブフレーム内で端末デバイスUEにダウンリンクデータを送信するように構成された送信機であって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数であり、送信機が、UEに第1のダウンリンク制御情報を送信するようにさらに構成される、送信機と、第1のダウンリンク制御情報の指示に従って第1のアップリンクサブフレーム内でUEによって送信されたターゲット物理アップリンク制御チャネルを受信するように構成された受信機であって、ターゲット物理アップリンク制御チャネルが第1のアップリンク制御情報を含み、第1のアップリンク制御情報が、第1のサブフレームセット内の各サブフレーム内にあり、UEによって受信されたダウンリンクデータに対応するハイブリッド自動再送要求確認応答情報を含む、受信機と
を含む、ネットワークデバイスを提供する。
【００８３】
可能な設計では、第1のダウンリンク制御情報は第1のタイプのダウンリンク制御情報であり、ターゲット物理アップリンク制御チャネルのリソースは、第1の物理アップリンク制御チャネルリソースセット内の物理アップリンク制御チャネルリソースであるか、または第1のダウンリンク制御情報は第2のタイプのダウンリンク制御情報であり、ターゲット物理アップリンク制御チャネルのリソースは、第2の物理アップリンク制御チャネルリソースセット内の物理アップリンク制御チャネルリソースである。第1のタイプのダウンリンク制御情報はUE固有の物理ダウンリンク制御情報であり、第2のタイプのダウンリンク制御情報は、UEグループ固有の物理ダウンリンク制御情報または共通の物理ダウンリンク制御情報であり、第1の物理アップリンク制御チャネルリソースセットおよび第2の物理アップリンク制御チャネルリソースセットの各々は、UE向けにネットワークデバイスによって構成された物理アップリンク制御チャネルリソースのセットである。
【００８４】
可能な設計では、ネットワークデバイスは、UE向けに第1の物理アップリンク制御チャネルリソースセットおよび第2の物理アップリンク制御チャネルリソースセットを別々に構成すること、またはUE向けに第1の物理アップリンク制御チャネルリソースセットを構成することであって、第2の物理アップリンク制御チャネルリソースセットが、第1の物理アップリンク制御チャネルリソースセットのサブセットである、構成することを行うように構成された第1のプロセッサをさらに含む。
【００８５】
可能な設計では、第1の物理アップリンク制御チャネルリソースセットは少なくとも2つの物理アップリンク制御チャネルリソースを含み、第2の物理アップリンク制御チャネルリソースセットは1つの物理アップリンク制御チャネルリソースを含む。
【００８６】
可能な設計では、第1のダウンリンク制御情報は第2のタイプのダウンリンク制御情報であり、第2の物理アップリンク制御チャネルリソースセットは空のセットであり、受信機は、第1のアップリンクサブフレーム内で第1のアップリンク制御情報を受信しない。
【００８７】
可能な設計では、第1のアップリンクサブフレームは第1のタイプのアップリンクサブフレームであり、ターゲット物理アップリンク制御チャネルのリソースは、第3の物理アップリンク制御チャネルリソースセット内の物理アップリンク制御チャネルリソースであるか、または第1のアップリンクサブフレームは第2のタイプのアップリンクサブフレームであり、ターゲット物理アップリンク制御チャネルのリソースは、第4の物理アップリンク制御チャネルリソースセット内の物理アップリンク制御チャネルリソースである。第1のタイプのアップリンクサブフレームは、UEによって送信された物理アップリンク制御チャネルがR個のシンボルを占有するアップリンクサブフレームであり、第2のタイプのアップリンクサブフレームは、UEによって送信された物理アップリンク制御チャネルがR個より少ないシンボルを占有するアップリンクサブフレームであり、第3の物理アップリンク制御チャネルリソースセットおよび第4の物理アップリンク制御チャネルリソースセットの各々は、UE向けにネットワークデバイスによって構成された物理アップリンク制御チャネルリソースのセットであり、Rは整数である。
【００８８】
可能な設計では、ネットワークデバイスは、UE向けに第3の物理アップリンク制御チャネルリソースセットおよび第4の物理アップリンク制御チャネルリソースセットを別々に構成すること、またはUE向けに第3の物理アップリンク制御チャネルリソースセットを構成することであって、第4の物理アップリンク制御チャネルリソースセットが、第3の物理アップリンク制御チャネルリソースセットのサブセットである、構成することを行うように構成された第2のプロセッサをさらに含む。
【００８９】
可能な設計では、第1のアップリンクサブフレームは第2のタイプのアップリンクサブフレームであり、第4の物理アップリンク制御チャネルリソースセットは空のセットであり、受信機は、第1のアップリンクサブフレーム内で第1のアップリンク制御情報を受信しない。
【００９０】
可能な設計では、第1のダウンリンク制御情報は第1の指示情報を含み、第1の指示情報が第1の情報であるとき、第1のダウンリンク制御情報は、ターゲット物理アップリンク制御チャネルを送信するようにUEに指示するために使用され、第1の指示情報が第2の情報であるとき、第1のダウンリンク制御情報は、ターゲット物理アップリンク共有チャネルを送信するようにUEに指示するために使用され、ターゲット物理アップリンク共有チャネルは、アップリンクデータを搬送するか、またはアップリンクデータおよびハイブリッド自動再送要求確認応答情報を搬送する。
【００９１】
可能な設計では、第1のダウンリンク制御情報は第2の指示情報を含み、第2の指示情報は、UEによってターゲット物理アップリンク制御チャネルを送信するための第1の電力調整値を示すために使用され、UEによってターゲット物理アップリンク制御チャネルを送信するための送信電力は、第1の電力調整値によって示される電力調整量を含む。
【００９２】
可能な設計では、ターゲット物理アップリンク制御チャネルの送信電力は、第2の電力調整値によって示される電力調整量を含み、第2の電力調整値は、第1の制御情報グループに含まれるダウンリンク制御情報内の電力調整フィールドの指示値に従って、UEによって決定される電力調整値であり、第1の制御情報グループは、第2のサブフレームセット内の各サブフレーム内のダウンリンクデータに対応するダウンリンク制御情報を含み、第2のサブフレームセットは第1のサブフレームセットと同等であるか、または第2のサブフレームセットは、第1のキャリア上に位置する第1のサブフレームセット内のサブフレームのセットであるか、または第2のサブフレームセットは、第1のサブフレームセット内にあり、その中のダウンリンクデータが第1のキャリア上に位置するダウンリンク制御情報に対応する、サブフレームのセットであり、第1のキャリアはターゲット物理アップリンク制御チャネルが位置するキャリアであるか、または第1のキャリアは第1のダウンリンク制御情報が位置するキャリアである。
【００９３】
可能な設計では、第1のキャリアはキャリア構成セット内のキャリアであり、キャリア構成セットはUEがネットワークデバイスと通信するために構成されたキャリアのセットであり、キャリア構成セットはH個のキャリアを含み、第1のキャリアはキャリア構成セット内のG番目のキャリアであり、GとHの両方は正の整数であり、H≧2、1≦G≦Hであり、Gの値はすべてのサブフレーム内で変わることができる。
【００９４】
可能な設計では、第2のサブフレームセットは、第1のキャリア上に位置する第1のサブフレームセット内のすべてのサブフレームのセットであるか、または第2のサブフレームセットは、第1のサブフレームセット内にあり、その中のダウンリンクデータが第1のキャリア上に位置するダウンリンク制御情報に対応する、すべてのサブフレームのセットであるか、または第2のサブフレームセットは、第1のキャリア上に位置し、その中の対応するダウンリンク制御情報が第1のキャリア上に位置する、第1のサブフレームセット内のすべてのサブフレームのセットである。
【００９５】
可能な設計では、第1の制御情報グループ内で同じ時間を示すサブフレーム内のダウンリンク制御情報内の電力調整フィールドの指示値は同じである。
【００９６】
第6の態様および第6の態様の可能な設計において提供されるネットワークデバイスの有益な効果については、第1の態様および第1の態様の可能な設計によってもたらされる有益な効果を参照されたい。詳細は本明細書では再び記載されない。
【００９７】
第7の態様によれば、本発明の一実施形態は、
端末デバイスUEにより、第1のサブフレームセット内の各サブフレーム内でネットワークデバイスによって送信されたダウンリンクデータを受信するステップであって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数である、ステップと、UEにより、ネットワークデバイスによって送信された第1のダウンリンク制御情報を取得するステップと、UEにより、リソース割振りインデックス値に基づいて、第1のダウンリンク制御情報の指示に従って第1のアップリンクサブフレーム内のターゲット物理アップリンク制御チャネルリソース上で第1のアップリンク制御情報を送信するべきかどうかを判定するステップであって、リソース割振りインデックス値が、ターゲット物理アップリンク制御チャネルリソースを決定するためにUEによって使用され、第1のアップリンク制御情報が、第1のサブフレームセット内の各サブフレーム内にあり、UEによって受信されたダウンリンクデータに対応するハイブリッド自動再送要求確認応答情報を含む、ステップと
を含む、アップリンク制御チャネル送信方法を提供する。
【００９８】
第1のサブフレームセット内の各サブフレーム内でUEにダウンリンクデータを送信した後、ネットワークデバイスは、UEにトリガ情報（すなわち、第1のダウンリンク制御情報）を送信して、第1のアップリンクサブフレーム内でターゲット物理アップリンク制御チャネルを送信するようにUEをトリガする。ターゲット物理アップリンク制御チャネルは、第1のサブフレームセット内の各サブフレーム内にあり、UEによって受信されたダウンリンクデータに対応するハイブリッド自動再送要求確認応答情報を含む、第1のアップリンク制御情報を搬送する。本発明のこの実施形態における方法では、ネットワークデバイスが、UEグループ固有のダウンリンク制御情報または共通のダウンリンク制御情報を使用して、同じアップリンクサブフレーム内でターゲット物理アップリンク制御チャネルを送信するように複数のUEに指示するとき、同じ時間周波数リソース上でターゲット物理アップリンク制御チャネルを送信するUEの数が、時間周波数リソースを多重化することができるサポートされたUEの数を超えた場合、ネットワークデバイスは、ターゲット物理アップリンク制御チャネルが存在しないことを示す第2のインデックス値に、いくつかのUEのリソース割振りインデックス値を設定することができる。このようにして、複数のUEによってターゲット物理アップリンク制御チャネルを送信することによって引き起こされる相互干渉の問題が解決される。
【００９９】
可能な設計では、リソース割振りインデックス値は、第1のサブフレームセット内のいくつかまたはすべてのサブフレーム内のダウンリンクデータに対応するダウンリンク制御情報内の指示情報である。
【０１００】
可能な設計では、リソース割振りインデックス値は、第1のタイプのインデックス値または第2のタイプのインデックス値であり、第1のタイプのインデックス値は基準物理アップリンク制御チャネルリソースセット内のターゲット物理アップリンク制御チャネルリソースのインデックス値に対応し、第2のタイプのインデックス値は、ターゲット物理アップリンク制御チャネルリソースが存在しないことを示し、基準物理アップリンク制御チャネルリソースセットは、UE向けにネットワークデバイスによって構成された物理アップリンク制御チャネルリソースのセットである。
【０１０１】
UEにより、リソース割振りインデックス値に基づいて、第1のダウンリンク制御情報の指示に従って第1のアップリンクサブフレーム内のターゲット物理アップリンク制御チャネルリソース上で第1のアップリンク制御情報を送信するべきかどうかを判定するステップは、
リソース割振りインデックス値が第1のタイプのインデックス値である場合、UEにより、第1のアップリンクサブフレーム内にあり、リソース割振りインデックス値に対応するターゲット物理アップリンク制御チャネルリソース上で第1のアップリンク制御情報を送信するステップ、またはリソース割振りインデックス値が第2のタイプのインデックス値である場合、UEにより、第1のアップリンクサブフレーム内で第1のアップリンク制御情報を送信することをスキップするステップ
を含む。
【０１０２】
第8の態様によれば、本発明の一実施形態は、
ネットワークデバイスにより、第1のサブフレームセット内の各サブフレーム内で端末デバイスUEにダウンリンクデータを送信するステップであって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数である、ステップと、ネットワークデバイスにより、UEに第1のダウンリンク制御情報を送信するステップと、ネットワークデバイスにより、第1のアップリンクサブフレーム内のターゲット物理アップリンク制御チャネルリソース上で、UEによって送信された第1のアップリンク制御情報を受信するステップ、またはネットワークデバイスにより、第1のアップリンクサブフレーム内のターゲット物理アップリンク制御チャネルリソース上で第1のアップリンク制御情報を受信することをスキップするステップと
を含む、アップリンク制御チャネル受信方法を提供する。
【０１０３】
可能な設計では、リソース割振りインデックス値は、第1のサブフレームセット内のいくつかまたはすべてのサブフレーム内のダウンリンクデータに対応するダウンリンク制御情報内の指示情報である。
【０１０４】
可能な設計では、リソース割振りインデックス値は、第1のタイプのインデックス値または第2のタイプのインデックス値であり、第1のタイプのインデックス値は基準物理アップリンク制御チャネルリソースセット内のターゲット物理アップリンク制御チャネルリソースのインデックス値に対応し、第2のタイプのインデックス値は、ターゲット物理アップリンク制御チャネルリソースが存在しないことを示し、基準物理アップリンク制御チャネルリソースセットは、UE向けにネットワークデバイスによって構成された物理アップリンク制御チャネルリソースのセットである。
【０１０５】
第9の態様によれば、本発明の一実施形態は、
第1のサブフレームセット内の各サブフレーム内でネットワークデバイスによって送信されたダウンリンクデータを受信するように構成された受信モジュールであって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数であり、受信モジュールが、ネットワークデバイスによって送信された第1のダウンリンク制御情報を取得するようにさらに構成される、受信モジュールと、リソース割振りインデックス値に基づいて、第1のダウンリンク制御情報の指示に従って第1のアップリンクサブフレーム内のターゲット物理アップリンク制御チャネルリソース上で第1のアップリンク制御情報を送信するべきかどうかを判定するように構成された送信モジュールであって、リソース割振りインデックス値が、ターゲット物理アップリンク制御チャネルリソースを決定するためにUEによって使用され、第1のアップリンク制御情報が、第1のサブフレームセット内の各サブフレーム内にあり、UEによって受信されたダウンリンクデータに対応するハイブリッド自動再送要求確認応答情報を含む、送信モジュールと
を含む、端末デバイスを提供する。
【０１０６】
可能な設計では、リソース割振りインデックス値は、第1のサブフレームセット内のいくつかまたはすべてのサブフレーム内のダウンリンクデータに対応するダウンリンク制御情報内の指示情報である。
【０１０７】
可能な設計では、リソース割振りインデックス値は、第1のタイプのインデックス値または第2のタイプのインデックス値であり、第1のタイプのインデックス値は基準物理アップリンク制御チャネルリソースセット内のターゲット物理アップリンク制御チャネルリソースのインデックス値に対応し、第2のタイプのインデックス値は、ターゲット物理アップリンク制御チャネルリソースが存在しないことを示し、基準物理アップリンク制御チャネルリソースセットは、UE向けにネットワークデバイスによって構成された物理アップリンク制御チャネルリソースのセットである。
【０１０８】
送信モジュールは、具体的に、リソース割振りインデックス値が第1のタイプのインデックス値である場合、第1のアップリンクサブフレーム内にあり、リソース割振りインデックス値に対応するターゲット物理アップリンク制御チャネルリソース上で第1のアップリンク制御情報を送信するか、またはリソース割振りインデックス値が第2のタイプのインデックス値である場合、第1のアップリンクサブフレーム内で第1のアップリンク制御情報を送信することをスキップするように構成される。
【０１０９】
第10の態様によれば、本発明の一実施形態は、
第1のサブフレームセット内の各サブフレーム内で端末デバイスUEにダウンリンクデータを送信するように構成された送信モジュールであって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数であり、送信モジュールが、UEに第1のダウンリンク制御情報を送信するようにさらに構成される、送信モジュールと、第1のアップリンクサブフレーム内のターゲット物理アップリンク制御チャネルリソース上で、UEによって送信された第1のアップリンク制御情報を受信するか、または第1のアップリンクサブフレーム内のターゲット物理アップリンク制御チャネルリソース上で第1のアップリンク制御情報を受信することをスキップするように構成された受信モジュールと
を含む、ネットワークデバイスを提供する。
【０１１０】
可能な設計では、リソース割振りインデックス値は、第1のサブフレームセット内のいくつかまたはすべてのサブフレーム内のダウンリンクデータに対応するダウンリンク制御情報内の指示情報である。
【０１１１】
可能な設計では、リソース割振りインデックス値は、第1のタイプのインデックス値または第2のタイプのインデックス値であり、第1のタイプのインデックス値は基準物理アップリンク制御チャネルリソースセット内のターゲット物理アップリンク制御チャネルリソースのインデックス値に対応し、第2のタイプのインデックス値は、ターゲット物理アップリンク制御チャネルリソースが存在しないことを示し、基準物理アップリンク制御チャネルリソースセットは、UE向けにネットワークデバイスによって構成された物理アップリンク制御チャネルリソースのセットである。
【０１１２】
第11の態様によれば、本発明の一実施形態は、
第1のサブフレームセット内の各サブフレーム内でネットワークデバイスによって送信されたダウンリンクデータを受信するように構成された受信機であって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数であり、受信機が、ネットワークデバイスによって送信された第1のダウンリンク制御情報を取得するようにさらに構成される、受信機と、リソース割振りインデックス値に基づいて、第1のダウンリンク制御情報の指示に従って第1のアップリンクサブフレーム内のターゲット物理アップリンク制御チャネルリソース上で第1のアップリンク制御情報を送信するべきかどうかを判定するように構成された送信機であって、リソース割振りインデックス値が、ターゲット物理アップリンク制御チャネルリソースを決定するためにUEによって使用され、第1のアップリンク制御情報が、第1のサブフレームセット内の各サブフレーム内にあり、UEによって受信されたダウンリンクデータに対応するハイブリッド自動再送要求確認応答情報を含む、送信機と
を含む、端末デバイスを提供する。
【０１１３】
可能な設計では、リソース割振りインデックス値は、第1のサブフレームセット内のいくつかまたはすべてのサブフレーム内のダウンリンクデータに対応するダウンリンク制御情報内の指示情報である。
【０１１４】
可能な設計では、リソース割振りインデックス値は、第1のタイプのインデックス値または第2のタイプのインデックス値であり、第1のタイプのインデックス値は基準物理アップリンク制御チャネルリソースセット内のターゲット物理アップリンク制御チャネルリソースのインデックス値に対応し、第2のタイプのインデックス値は、ターゲット物理アップリンク制御チャネルリソースが存在しないことを示し、基準物理アップリンク制御チャネルリソースセットは、UE向けにネットワークデバイスによって構成された物理アップリンク制御チャネルリソースのセットである。
【０１１５】
送信機は、具体的に、リソース割振りインデックス値が第1のタイプのインデックス値である場合、第1のアップリンクサブフレーム内にあり、リソース割振りインデックス値に対応するターゲット物理アップリンク制御チャネルリソース上で第1のアップリンク制御情報を送信するか、またはリソース割振りインデックス値が第2のタイプのインデックス値である場合、第1のアップリンクサブフレーム内で第1のアップリンク制御情報を送信することをスキップするように構成される。
【０１１６】
第12の態様によれば、本発明の一実施形態は、
第1のサブフレームセット内の各サブフレーム内で端末デバイスUEにダウンリンクデータを送信するように構成された送信機であって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数であり、送信機が、UEに第1のダウンリンク制御情報を送信するようにさらに構成される、送信機と、第1のアップリンクサブフレーム内のターゲット物理アップリンク制御チャネルリソース上で、UEによって送信された第1のアップリンク制御情報を受信するか、または第1のアップリンクサブフレーム内のターゲット物理アップリンク制御チャネルリソース上で第1のアップリンク制御情報を受信することをスキップするように構成された受信機と
を含む、ネットワークデバイスを提供する。
【０１１７】
可能な設計では、リソース割振りインデックス値は、第1のサブフレームセット内のいくつかまたはすべてのサブフレーム内のダウンリンクデータに対応するダウンリンク制御情報内の指示情報である。
【０１１８】
可能な設計では、リソース割振りインデックス値は、第1のタイプのインデックス値または第2のタイプのインデックス値であり、第1のタイプのインデックス値は基準物理アップリンク制御チャネルリソースセット内のターゲット物理アップリンク制御チャネルリソースのインデックス値に対応し、第2のタイプのインデックス値は、ターゲット物理アップリンク制御チャネルリソースが存在しないことを示し、基準物理アップリンク制御チャネルリソースセットは、UE向けにネットワークデバイスによって構成された物理アップリンク制御チャネルリソースのセットである。
【０１１９】
本発明の実施形態または従来技術における技術的解決策をより明確に記載するために、以下で、実施形態または従来技術を記載するために必要とされる添付図面を簡単に記載する。明らかに、以下の説明における添付図面は本発明のいくつかの実施形態を示し、当業者は、創造的な努力なしに、これらの添付図面から他の図面をさらに導出することができる。
【図面の簡単な説明】
【０１２０】
【図１】本発明による、アップリンク制御チャネル送受信方法の実施形態1の概略フローチャートである。
【図２】一実施形態による、第1のサブフレームセットおよびターゲット物理アップリンク制御チャネルの概略図である。
【図３】本発明による、端末デバイスの実施形態1の概略構造図である。
【図４】本発明による、ネットワークデバイスの実施形態1の概略構造図である。
【図５】本発明による、ネットワークデバイスの実施形態2の概略構造図である。
【図６】本発明による、ネットワークデバイスの実施形態3の概略構造図である。
【図７】本発明による、端末デバイスの実施形態2の概略構造図である。
【図８】本発明による、ネットワークデバイスの実施形態4の概略構造図である。
【図９】本発明による、ネットワークデバイスの実施形態5の概略構造図である。
【図１０】本発明による、ネットワークデバイスの実施形態6の概略構造図である。
【図１１】本発明による、アップリンク制御チャネル送受信方法の実施形態2の概略フローチャートである。
【図１２】本発明による、端末デバイスの実施形態3の概略構造図である。
【図１３】本発明による、ネットワークデバイスの実施形態7の概略構造図である。
【図１４】本発明による、端末デバイスの実施形態4の概略構造図である。
【図１５】本発明による、ネットワークデバイスの実施形態8の概略構造図である。
【発明を実施するための形態】
【０１２１】
本発明の実施形態の目的、技術的解決策、および利点をより明確にするために、以下で、本発明の実施形態における添付図面を参照して、本発明の実施形態における技術的解決策を明確かつ完全に記載する。明らかに、記載される実施形態は、本発明の実施形態のうちのいくつかであるが、すべてではない。創造的な努力なしに本発明の実施形態に基づいて、当業者によって取得されるすべての他の実施形態は、本発明の保護範囲内に入るべきである。
【０１２２】
本発明の実施形態における技術的解決策は、モバイル通信用グローバルシステム（Global System of Mobile communications、略してGSM（登録商標））、符号分割多元接続（Code Division Multiple Access、略してCDMA）システム、広帯域符号分割多元接続（Wideband Code Division Multiple Access Wireless、略してWCDMA（登録商標））システム、汎用パケット無線サービス（General Packet Radio Service、略してGPRS）システム、LTEシステム、およびユニバーサルモバイルテレコミュニケーションシステム（Universal Mobile Telecommunications System、略してUMTS）などの、ワイヤレスセルラーネットワーク内の様々な通信システムに適用されてもよく、これは本発明の実施形態では限定されない。
【０１２３】
本発明の実施形態における技術的解決策は、主にLTEシステムに適用され、詳細には、無認可スペクトルリソース上でアップリンクデータを送信するためのシステムに適用される。本発明の実施形態が適用される通信システムでは、ネットワーク要素には、（ネットワークデバイスとも呼ばれる）基地局および端末デバイス（UE）が含まれる。
【０１２４】
本発明の実施形態において提供されるアップリンク制御チャネル送信方法、アップリンク制御チャネル受信方法、および装置は、UEが無認可スペクトルリソース上で物理アップリンク制御チャネルをどのように送信するか、ならびに、物理アップリンク制御チャネルを送信するとき、物理アップリンク制御チャネルを送信するためのリソース、および物理アップリンク制御チャネルを送信するための電力調整値をUEがどのように決定するかという問題を解決するために使用される。以下で、添付図面を参照して、本発明の実施形態において提供される技術的解決策を詳細に記載する。
【０１２５】
図1は、本発明による、アップリンク制御チャネル送受信方法の実施形態1の概略フローチャートである。図1に示されたように、方法は以下のステップを含む。
【０１２６】
S101．ネットワークデバイスが第1のサブフレームセット内の各サブフレーム内で端末デバイスUEにダウンリンクデータを送信し、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数である。
【０１２７】
ダウンリンクフルサブフレームは、ネットワークデバイスによってUEに送信されたダウンリンクデータがサブフレーム内のすべてのシンボルを占有するサブフレームであり、ダウンリンク部分サブフレームは、ネットワークデバイスによってUEに送信されたダウンリンクデータがサブフレーム内のいくつかではあるが、すべてではないシンボルを占有するサブフレームである。ネットワークデバイスは、1つまたは複数のダウンリンクバースト（Downlink Burst、略してDL Burst）内のN個のサブフレーム内でUEにダウンリンクデータを送信し、N個のサブフレームは連続していても、連続していなくてもよい。ネットワークデバイスは、各ダウンリンクバーストの時間に基づいて、第1のサブフレームセット内の各サブフレーム内でUEにダウンリンクデータを送信する。第1のサブフレームセットはN個のサブフレームを含み、N個のサブフレームの各々はダウンリンクフルサブフレームであるか、またはN個のサブフレームのうちのM個はダウンリンク部分サブフレームであり、N個のサブフレームのうちのN−M個はダウンリンクフルサブフレームであり、MはN以下であり、MとNの両方は整数である。
【０１２８】
ダウンリンクバーストとは、複数のサブフレームが時間的に連続して占有されていることを意味する。たとえば、基地局（たとえば、eNB）または基地局のセル（Cell）が無認可スペクトルリソースを先取りした後、無認可スペクトルリソースは、競合メカニズム（たとえば、LBT）なしにデータ伝送に使用される。ダウンリンクバーストの時間長は、競合メカニズムなしに無認可スペクトルリソース上で基地局（またはセル）による連続送信のための最大時間以下であり、最大時間は最大チャネル占有時間（Maximum Channel Occupied Time、略してMCOT）と呼ばれる場合もある。MCOTは現地の法律に関係する場合がある。たとえば、日本では、MCOTは4msに等しくてもよく、ヨーロッパでは、MCOTは8ms、10ms、または13msに等しくてもよい。あるいは、MCOTは、リスニングデバイス（たとえば、基地局またはユーザ機器）によって使用される競合メカニズムに関係する場合がある。短いリスニング時間は、通常、短いMCOTを示す。あるいは、MCOTの長さは、データ伝送におけるサービスクラスに関係する場合がある。たとえば、インターネット電話サービスの場合、サービスの優先順位が高いと、MCOTは、通常、2msであってもよい。したがって、基地局が競合を介して無認可スペクトルリソースを取得した後、基地局は2ミリ秒無許可スペクトルリソースを連続して占有することができる。たとえば、データ伝送サービスの場合、サービスの優先順位がより低いと、基地局は、通常、8または10ミリ秒無許可スペクトルリソースを連続して占有することができる。
【０１２９】
S102．ネットワークデバイスがUEに第1のダウンリンク制御情報を送信する。
【０１３０】
第1のダウンリンク制御情報は、第1のアップリンクサブフレーム内でターゲット物理アップリンク制御チャネルを送信するようにUEに指示するために使用される。第1のダウンリンク制御情報は、第1のタイプのダウンリンク制御情報または第2のタイプのダウンリンク制御情報であってもよい。第1のタイプのダウンリンク制御情報は、UE固有の物理ダウンリンク制御情報（ネットワークデバイスによってユニキャストされたダウンリンク制御情報）であり、第2のタイプのダウンリンク制御情報は、UEグループ固有の物理ダウンリンク制御情報または共通の物理ダウンリンク制御情報（ネットワークデバイスによってブロードキャストされたダウンリンク制御情報）である。たとえば、第1のタイプのダウンリンク制御情報はUE固有の制御情報であり、符号化される前のCRCチェック情報に制御情報が付加され、CRCチェック情報は、CRCチェック情報内のUE固有のRNTIを使用してスクランブルされる。特定のUEのみが第1のタイプのダウンリンク制御情報を受信し復調することができる。たとえば、第1のタイプのダウンリンク制御情報は、物理アップリンク制御チャネルのスケジューリング指示情報であり、ダウンリンク制御情報は、物理アップリンク制御チャネルを送信するようにUEに指示するためにネットワークデバイスによって使用される。第2のタイプのダウンリンク制御情報は、共通の物理ダウンリンク制御情報である。たとえば、第2のタイプのダウンリンク制御情報はC−PDCCHであり、符号化される前のCRCチェック情報にC−PDCCH内の制御情報が付加され、CRCチェック情報は、CRCチェック情報内のセル固有の共通無線ネットワーク一時識別子（Radio Network Temporary Identity、略してRNTI）を使用してスクランブルされる。ネットワークデバイスによってサービスされる各UEは、第2のタイプのダウンリンク制御情報を受信し復調することができる。あるいは、第2のタイプのダウンリンク制御情報は、UEグループ固有の物理ダウンリンク制御情報である。たとえば、第2のタイプのダウンリンク制御情報内の制御情報が、符号化される前のCRCチェック情報に付加され、CRCチェック情報は、CRCチェック情報内のUEグループ固有のRNTIを使用してスクランブルされる。ネット
ワークデバイスによってサービスされ、それ向きにネットワークデバイスによってUEグループ固有のRNTIが事前構成された各UEは、第2のタイプのダウンリンク制御情報を受信し復調することができる。別の例を挙げると、ネットワークデバイスは、UEが属するUEグループのインデックス番号をUE向けに事前構成することができ、ネットワークデバイスによって送信される第1のダウンリンク制御情報は、UEグループのインデックス番号を搬送する指示情報を含む。UEが第1のダウンリンク制御情報を受信し復調した後、第1の指示情報内の第1のダウンリンクUEグループのインデックス番号の指示情報が、UEが属するUEグループのインデックス番号であり、UE向けにネットワークデバイスによって構成されたインデックス番号と一致する場合、UEは、第1のダウンリンク制御情報の指示に従って、第1のアップリンクサブフレーム内でターゲット物理アップリンク制御チャネルを送信する。逆に、UEが第1のダウンリンク制御情報を受信し復調した後、第1の指示情報内の第1のダウンリンクUEグループのインデックス番号の指示情報が、UEが属するUEグループのインデックス番号であり、UE向けにネットワークデバイスによって構成されたインデックス番号と一致しない場合、UEは、第1のアップリンクサブフレーム内で第1のアップリンク制御チャネルを送信しない。たとえば、第2のタイプのダウンリンク制御情報は、セル共通の物理ダウンリンク制御情報である。ダウンリンク制御情報は、物理アップリンク制御チャネルを送信するようにUEに指示するためにネットワークデバイスによって使用され、現在のサブフレームがダウンリンクフルサブフレームであるかダウンリンク部分サブフレームであるかをUEに示し、かつ／またはダウンリンクバースト内の現在のサブフレームの次のサブフレームがダウンリンクフルサブフレームであるかダウンリンク部分サブフレームであるかなどをUEに示すためにさらに使用されてもよい。
【０１３１】
場合によっては、第1のダウンリンク制御情報は第1の指示情報を含む。第1の指示情報が第1の情報であるとき、第1の指示情報は、ターゲット物理アップリンク制御チャネルを送信するようにUEに指示するために使用される。第1の指示情報が第2の情報であるとき、第1の指示情報は、ターゲット物理アップリンク共有チャネルを送信するようにUEに指示するために使用され、ターゲット物理アップリンク共有チャネルは、アップリンクデータを搬送するか、またはアップリンクデータおよびハイブリッド自動再送要求確認応答情報を搬送する。たとえば、第1の情報が「1」であり、第2の情報が「0」であるか、または第1の情報が「00」であり、第2の情報が「11」である。ネットワークデバイスは、様々なフォーマットのダウンリンク制御情報を使用することにより、ダウンリンクデータスケジューリング情報またはアップリンクデータスケジューリング情報をUEに示す。アップリンク共有データチャネルスケジューリング情報のフォーマットは、アップリンクデータを送信するようにUEをスケジュールするために使用される復調基準信号の周波数リソース位置、変調および符号化の順序、HARQプロセス番号、冗長バージョン、ならびに巡回シフト値などの情報を含む。サブフレーム内で、UEは、ブラインド検出を介して、ネットワークデバイスによってUEに送信され得るダウンリンク制御情報を検出する。UEは、様々なフォーマットに基づいてブラインド検出プロセスにおいて受信されたダウンリンク制御情報を検出する。UEによってブラインド検出されるダウンリンク制御情報のより多くのフォーマットおよびタイプは、UEによるブラインド検出のより高い複雑さを示す。UEによるブラインド検出の複雑さを低減するために、ネットワークデバイスによってUEに送信される第1のダウンリンク制御情報は、ネットワークデバイスによってUEに送信され、アップリンク共有チャネルを送信するようにUEをスケジュールするために使用される制御情報と同じフォーマット、たとえば、第1のダウンリンク制御情報フォーマットであってもよい。この場合、第1のダウンリンク制御情報フォーマットは、第1の指示情報を含む必要がある。第1の指示情報が第1の情報であるとき、UEは、第1のダウンリンク制御情報に基づいてターゲット物理アップリンク制御チャネ
ルを送信し、第1のダウンリンク制御情報フォーマットの第3の指示情報の指示ビットは、UEがターゲット物理アップリンク制御チャネルを送信するときに使用されるリソースおよび電力調整値などの情報を示すために使用される。第1の指示情報が第2の情報であるとき、第1のダウンリンク制御情報は、ターゲット物理アップリンク共有チャネルを送信するようにUEに指示するために使用され、ターゲット物理アップリンク共有チャネルは、アップリンクデータを搬送するか、またはアップリンクデータおよびハイブリッド自動再送要求確認応答情報を搬送し、第1のダウンリンク制御情報フォーマットの第3の指示情報の指示ビットは、UEがターゲット物理アップリンク共有チャネルを送信するときに使用されるリソースおよび電力調整値などの情報を示すために使用される。第1の指示情報および第3の指示情報の指示タイプは、以下の表1に示される。第3の指示情報は、以下の表の第3の指示情報A、第3の指示情報B、および第3の指示情報Cのうちのいずれか1つまたは複数である。第1のダウンリンク制御情報フォーマットは、第1の指示情報および第3の指示情報に加えて他の指示情報を含む。
【０１３２】
【表１】
2019520759.tif 000003
【０１３３】
たとえば、第1の指示情報は、第1のダウンリンク制御情報フォーマット内の制御フィールドであってもよい。制御フィールド内の情報は2つの状態を有する：1つの状態は第1の情報を示し、すなわち、第1のダウンリンク制御情報に基づいてターゲット物理アップリンク制御チャネルを送信するようにUEに指示し、他の状態は第2の情報を示し、すなわち、第1のダウンリンク制御情報に基づいてターゲット物理アップリンク共有チャネルを送信するようにUEに指示する。ブラインド検出を介して第1のダウンリンク制御情報フォーマットのダウンリンク制御情報を取得した後、UEは、ダウンリンク制御情報内の制御フィールドに基づいて、第1の指示情報が第1の情報であるか第2の情報であるかを判定し、さらにそれに対応して、ダウンリンク制御情報が、ターゲット物理アップリンク制御チャネルを送信するようにUEに命令するためにネットワークデバイスによって使用されるか、ターゲット物理アップリンク共有チャネルを送信するようにUEに命令するためにネットワークデバイスによって使用されるかを判定することができる。別の例を挙げると、第1の指示情報は、符号化される前のCRCチェックビットに第1のダウンリンク制御情報フォーマットの制御情報が付加された後にCRCチェックビットに付加されたスクランブリングコード情報であってもよい。2つのタイプのスクランブリングコード情報が存在する：1つは、第1のダウンリンク制御情報に基づいてターゲット物理アップリンク制御チャネルを送信するようにUEに指示するためのスクランブリングコードAであり、他は、第1のダウンリンク制御情報に基づいてターゲット物理アップリンク共有チャネルを送信するようにUEに指示するためのスクランブリングコードBである。ブラインド検出を介して第1のダウンリンク制御情報フォーマットのダウンリンク制御情報を取得した後、UEは、スクランブリングコードAまたはスクランブリングコードBのどちらがブラインド検出プロセスで使用されたかを判定することができる。スクランブリングコードAが使用されたとUEが判定した場合、UEは第1の指示情報が第1の情報であると判断し、スクランブリングコードBが使用されたとUEが判定した場合は、UEは第1の指示情報が第2の情報であると判断する。さらに、UEは、それに対応して、ターゲット物
理アップリンク制御チャネルまたはターゲット物理アップリンク共有チャネルを送信するようにネットワークデバイスがUEに指示したと判断する。
【０１３４】
S103．UEが第1のサブフレームセット内の各サブフレーム内でネットワークデバイスによって送信されたダウンリンクデータを受信し、UEがネットワークデバイスによって送信された第1のダウンリンク制御情報を取得する。
【０１３５】
S101およびS102に記載されたように、UEは、第1のサブフレームセット内の各サブフレーム内でネットワークデバイスによってUEに送信されたダウンリンクデータを受信し、ネットワークデバイスによって送信された第1のダウンリンク制御情報を取得することができる。
【０１３６】
第1のダウンリンク制御情報を取得した後、UEは、第1のダウンリンク制御情報の指示に従って、第1のアップリンクサブフレーム内でターゲット物理アップリンク制御チャネルを送信する。UEによって送信されるターゲット物理アップリンク制御チャネルは第1のアップリンク制御情報を含み、第1のアップリンク制御情報は、第1のサブフレームセット内の各サブフレーム内にあり、UEによって受信されたダウンリンクデータに対応するハイブリッド自動再送要求確認応答情報を含む。第1のサブフレームセット内の各ダウンリンクサブフレーム内でダウンリンクデータを受信した後、UEは、復調、復号などを介して、各ダウンリンクサブフレームのハイブリッド自動再送要求確認応答情報を特定する。ダウンリンクデータが正しく受信されたダウンリンクサブフレームの場合、対応するハイブリッド自動再送要求確認応答情報は、肯定応答（acknowledgement、ACK）情報である。ダウンリンクデータが正しく受信されなかったダウンリンクサブフレームの場合、対応するハイブリッド自動再送要求確認応答情報は、否定応答（non acknowledgement、NACK）情報である。ACK情報およびNACK情報は、ハイブリッド自動再送要求確認応答情報と総称される。場合によっては、第1のサブフレームセット内の各サブフレーム内にあり、UEによって受信されたダウンリンクデータに対応するHARQ−ACK情報に加えて、第1のアップリンク制御情報は、チャネル状態情報およびアップリンクスケジューリング要求ステータス情報のうちの少なくとも1つを含んでもよい。本明細書におけるアップリンクスケジューリング要求ステータス情報は、UEがアップリンクスケジューリングを要求している状態、またはUEがアップリンクスケジューリングを要求していない状態である。好ましくは、第1のサブフレームセット内の各サブフレーム内にあり、UEによって受信されたダウンリンクデータに対応するHARQ−ACK情報に加えて、第1のアップリンク制御情報は、周期的チャネル状態情報およびアップリンクスケジューリング要求ステータス情報のうちの少なくとも1つを含んでもよいが、非周期的チャネル状態情報を含まない。
【０１３７】
UEは、第1のダウンリンク制御情報の指示に従って、第1のアップリンクサブフレーム内でターゲット物理アップリンク制御チャネルを送信する。ターゲット物理アップリンク制御チャネルのリソースは、事前構成された物理アップリンク制御チャネルリソースセット内の物理アップリンク制御チャネルリソースであってもよく、またはターゲット物理アップリンク制御チャネルのリソースは、制御チャネルリソーススケジューリング情報を使用してスケジュールされた制御チャネルリソースであり、制御チャネルリソーススケジューリング情報は第1のダウンリンク制御情報内の情報である。
【０１３８】
（1）ターゲット物理アップリンク制御チャネルのリソースが、物理アップリンク制御チャネルスケジューリング情報を使用してスケジュールされたリソースである場合、制御チャネルリソーススケジューリング情報は第1のダウンリンク制御情報内の情報である。たとえば、ネットワークデバイスは、第1のダウンリンク制御情報に周波数位置、直交符号リソースインデックスなどを付加することにより、ターゲット物理アップリンク制御チャネルによって占有されている周波数位置、直交符号リソースインデックスなどをUEに送信する。第1のダウンリンク制御情報を受信した後、UEは、ターゲット物理アップリンク制御チャネルのリソースが第1のダウンリンク制御情報によって示されたアップリンク制御チャネルリソースであると判断し、ターゲット物理アップリンク制御チャネルのリソース上で第1のアップリンク制御情報を送信することができる。S102に記載されたように、第1のダウンリンク制御情報は第1のダウンリンク制御情報フォーマットを使用する。第1の指示情報が第1の情報であるとき、UEは、第1のダウンリンク制御情報に基づいてターゲット物理アップリンク制御チャネルを送信し、第1のダウンリンク制御情報フォーマットの第3の指示情報の指示ビットは、UEがターゲット物理アップリンク制御チャネルを送信するときに使用される情報を示すために使用される。たとえば、S102に記載されたように、UEは、第1のダウンリンク制御情報内の第3の指示情報Aを使用することにより、ターゲット物理アップリンク制御チャネルのリソースブロック割当て結果および／もしくはホッピングリソース割振り結果を特定し、かつ／または第1のダウンリンク制御情報内の第3の指示情報Bを使用することにより、ターゲット物理アップリンク制御チャネルの復調基準信号巡回シフトおよび／もしくは直交符号インデックスを特定し、かつ／または第1のダウンリンク制御情報内の第3の指示情報Cを使用することにより、ターゲット物理アップリンク制御チャネルの電力調整値を特定することができる。
【０１３９】
（2）ターゲット物理アップリンク制御チャネルのリソースが、事前構成された物理アップリンク制御チャネルリソースセット内の物理アップリンク制御チャネルリソースである場合、第1のダウンリンク制御情報に基づいて、ターゲット物理アップリンク制御チャネルのリソースをUEが特定するプロセスは、UEが第1のダウンリンク制御情報に含まれる第4の指示情報を特定することである。第4の指示情報は制御チャネルリソースインデックス指示情報を示すために使用され、ターゲット物理アップリンク制御チャネルのリソースは、制御チャネルリソースインデックス指示情報によって識別されるチャネルリソースであり、制御チャネルリソースインデックス指示情報は、事前構成された物理アップリンク制御チャネルリソースセット内のターゲット物理アップリンク制御チャネルのリソースのインデックス値を識別するために使用される。たとえば、事前構成された物理アップリンク制御チャネルリソースセットは、4つの物理アップリンク制御チャネルリソース：物理アップリンク制御チャネルリソースA、物理アップリンク制御チャネルリソースB、物理アップリンク制御チャネルリソースC、および物理アップリンク制御チャネルリソースDを含む。4つの物理アップリンク制御チャネルリソースは、物理アップリンク制御チャネルリソース1、物理アップリンク制御チャネルリソース2、物理アップリンク制御チャネルリソース3、および物理アップリンク制御チャネルリソース4である。第4の指示情報によって示される制御チャネルリソースインデックス指示情報は、基準物理アップリンク制御チャネルリソースセット内のどの物理アップリンク制御チャネルリソースが、ターゲット物理アップリンク制御チャネルのリソースであるかをUEに示す。
【０１４０】
場合によっては、ネットワークデバイスは、第1のタイプのダウンリンク制御情報および第2のタイプのダウンリンク制御情報のうちの少なくとも1つを使用して、ターゲット物理アップリンク制御チャネルを送信するようにUEに指示することができる。第1のタイプのダウンリンク制御情報は、UE固有の物理ダウンリンク制御情報であり、第2のタイプのダウンリンク制御情報は、UEグループ固有の物理ダウンリンク制御情報または共通の物理ダウンリンク制御情報である。第1のダウンリンク制御情報は第1のタイプのダウンリンク制御情報であり、ターゲット物理アップリンク制御チャネルのリソースは、第1の物理アップリンク制御チャネルリソースセット内の物理アップリンク制御チャネルリソースであるか、または第1のダウンリンク制御情報は第2のタイプのダウンリンク制御情報であり、ターゲット物理アップリンク制御チャネルのリソースは、第2の物理アップリンク制御チャネルリソースセット内の物理アップリンク制御チャネルリソースである。第1の物理アップリンク制御チャネルリソースセットおよび第2の物理アップリンク制御チャネルリソースセットの各々は、UE向けにネットワークデバイスによって構成された物理アップリンク制御チャネルリソースのセットである。第1の物理アップリンク制御チャネルリソースセットは第1のタイプのダウンリンク制御情報に対応し、第2の物理アップリンク制御チャネルリソースセットは第2のタイプのダウンリンク制御情報に対応する。さらに、第1の物理アップリンク制御チャネルリソースセットおよび第2の物理アップリンク制御チャネルリソースセットは、UE向けにネットワークデバイスによって別々に構成されたセットであるか、または第1の物理アップリンク制御チャネルリソースセットは、UE向けにネットワークデバイスによって構成されたセットであり、第2の物理アップリンク制御チャネルリソースセットは、第1の物理アップリンク制御チャネルリソースセットのサブセットである。
【０１４１】
たとえば、UE向けにネットワークデバイスによって事前構成された第1の物理アップリンク制御チャネルリソースセットは、物理アップリンク制御チャネルリソース1および物理アップリンク制御チャネルリソース2のセットである。ネットワークデバイスによってUEに送信される第1のダウンリンク制御情報は、ターゲット物理アップリンク制御チャネルのリソースが、物理アップリンク制御チャネルリソース1であるか、物理アップリンク制御チャネルリソース2であるかを示す情報を含む。第1のダウンリンク制御情報を受信した後、UEは、ターゲット物理アップリンク制御チャネルのリソースを特定し、ターゲット物理アップリンク制御チャネルのリソース上で第1のアップリンク制御情報を送信することができる。
【０１４２】
第1のダウンリンク制御情報が第2のタイプのダウンリンク制御情報である場合、第1のダウンリンク制御情報は複数のUEによって受信されてもよく、複数のUEの各々は、第1のダウンリンク制御情報の指示に従ってターゲット物理アップリンク制御チャネルを送信する。この場合、複数のUEの各々は、それぞれのターゲット物理アップリンク制御チャネルを決定する必要がある。各UEのターゲット物理アップリンク制御チャネルのインデックスが第1のダウンリンク制御情報内で各UEに示される場合、重い物理層シグナリングオーバーヘッドが引き起こされる。したがって、第2のタイプの第1のダウンリンク制御情報の場合、ターゲット物理アップリンク制御チャネルのリソースであり、第1のダウンリンク制御情報に対応するリソースは、UE向けにネットワークデバイスによって構成された第2の物理アップリンク制御チャネルリソースセット内のアップリンク制御チャネルリソースである。好ましくは、ネットワークデバイスは、少なくとも2つの物理アップリンク制御チャネルリソースを含む第1の物理アップリンク制御チャネルリソースセットを構成するが、1つだけの物理アップリンク制御チャネルリソースを含む第2の物理アップリンク制御チャネルリソースセットを構成することができる。この場合、第2のタイプの第1のダウンリンク制御情報を受信した後、UEは、第2の物理アップリンク制御チャネルリソースセット内のターゲット物理アップリンク制御チャネルのリソースのインデックス値を決定する必要はないが、UEは、第2の物理アップリンク制御チャネルリソースセットに含まれる物理アップリンク制御チャネルリソース上で第1のアップリンク制御情報を送信する。ネットワークデバイスは、UE向けに第1の物理アップリンク制御チャネルリソースセットおよび第2の物理アップリンク制御チャネルリソースセットを別々に構成することができる。第1の物理アップリンク制御チャネルリソースセットおよび第2の物理アップリンク制御チャネルリソースセットは、それぞれ、第1のタイプのダウンリンク制御情報および第2のタイプのダウンリンク制御情報に対応する。あるいは、ネットワークデバイスは、UE向けに第1の物理アップリンク制御チャネルリソースセットを構成することができ、第1の物理アップリンク制御チャネルリソースセットは、第1のタイプのダウンリンク制御情報に対応する。第1の物理アップリンク制御チャネルリソースセットは、少なくとも2つの物理アップリンク制御チャネルリソースを含む。加えて、ネットワークデバイスおよびUEは、第1の物理アップリンク制御チャネルリソースセット内のインデックス値Jを有する物理アップリンク制御チャネルリソースが、第2の物理アップリンク制御チャネルリソースセットに含まれる物理アップリンクチャネルリソースであることを事前設定し、Jは固定値である。
【０１４３】
さらに、前述の方法では、第2の物理アップリンク制御チャネルリソースセットは空のセットであってもよい。すなわち、ネットワークデバイスは、UE向けに第2の物理アップリンク制御チャネルリソースセットを構成しなくてもよい。あるいは、UEが第2のタイプの第1のダウンリンク制御情報に基づいて第1のアップリンクサブフレーム内でターゲット物理アップリンク制御チャネルを送信することを許可されるかどうかは、構成パラメータを使用することにより、UE向けにネットワークデバイスによって構成される。UEが第2のタイプの第1のダウンリンク制御情報に基づいて第1のアップリンクサブフレーム内でターゲット物理アップリンク制御チャネルを送信することを許可された場合、ネットワークデバイスは、UE向けに第2の物理アップリンク制御チャネルリソースセットを構成する。UEが第2のタイプの第1のダウンリンク制御情報に基づいて第1のアップリンクサブフレーム内でターゲット物理アップリンク制御チャネルを送信することを許可されなかった場合、ネットワークデバイスは、UE向けに第2の物理アップリンク制御チャネルリソースセットを構成しない、すなわち、第2の物理アップリンク制御チャネルリソースセットは空のセットであってもよい。第2の物理アップリンク制御チャネルリソースセットが空のセットであるとUEが判断した場合、UEが第2のタイプの第1のダウンリンク制御情報を受信した場合でも、UEは第1のアップリンクサブフレーム内で第1のアップリンク制御情報を送信しない。UEが第2のタイプの第1のダウンリンク制御情報を受信し、第2の物理アップリンク制御チャネルリソースセットが空のセットではないときのみ、UEは、第1のダウンリンク制御情報の指示に従って、第1のアップリンクサブフレーム内でターゲット物理アップリンク制御チャネルを送信することができる。
【０１４４】
場合によっては、第1のアップリンクサブフレームは、第1のタイプのアップリンクサブフレームおよび第2のタイプのアップリンクサブフレームを含む。第1のタイプのアップリンクサブフレームは、UEによって送信された物理アップリンク制御チャネルがR個のシンボルを占有するアップリンクサブフレームであり、第2のタイプのアップリンクサブフレームは、UEによって送信された物理アップリンク制御チャネルがR個より少ないシンボルを占有するアップリンクサブフレームであり、Rは整数である。UEによって送信されたターゲット物理アップリンク制御チャネルは、第1のアップリンクサブフレーム内のR個のシンボルを占有してもよく、第1のアップリンクサブフレーム内のR個より少ないシンボルのリソースを占有してもよい。たとえば、R＝14である。第1のアップリンクサブフレーム内で物理アップリンク制御チャネルを送信する少なくとも1つのUEが、第1のアップリンクサブフレーム内の最初のシンボルの時間内にクリアチャネル評価を実行する必要がある場合、UEと第1のアップリンクサブフレーム内の同じ時間周波数リソースを使用することによって物理アップリンク制御チャネルを送信するすべてのUEは、第1のアップリンクサブフレーム内の最初のシンボル以外のシンボルのリソースを占有することによってのみ、物理アップリンク制御チャネルを送信することができる。言い換えれば、UEは、14個より少ないシンボルを占有することによって物理アップリンク制御チャネルを送信する。しかしながら、第1のアップリンクサブフレーム内で物理アップリンク制御チャネルを送信するすべてのUEが、第1のアップリンクサブフレーム内の最初のシンボルの時間内にクリアチャネル評価を実行する必要がない場合、UEは、14個のシンボルを占有することによって物理アップリンク制御チャネルを送信する。別の例を挙げると、別の通信デバイスがクリアチャネル評価を実行するために、第1のアップリンクサブフレーム内の最後のシンボルが確保される必要がある場合、UEは、最後のシンボル以外のシンボルのリソースを占有することによってのみ、第1のアップリンクサブフレーム内で物理アップリンク制御チャネルを送信することができる。しかしながら、第1のアップリンクサブフレーム内で物理アップリンク制御チャネルを送信するすべてのUEが
、第1のアップリンクサブフレーム内で最後のシンボルの時間内に、別の通信デバイスがクリアチャネル評価を実行するための時間を確保する必要がない場合、UEは、14個のシンボルを占有することによって物理アップリンク制御チャネルを送信する。あるいは、第1のアップリンクサブフレーム内の最初のシンボルが、少なくとも物理アップリンク制御チャネルを送信するUEがクリアチャネル評価を実行するために確保される必要があり、第1のアップリンクサブフレーム内の最後のシンボルが、別のデバイスがクリアチャネル評価を実行するために確保される必要があるか、または、別のデバイスがサウンディング基準信号を送信するために確保される必要がある場合、UEは、最初のシンボルおよび最後のシンボル以外のシンボルのリソースを占有することによってのみ、第1のアップリンクサブフレーム内で物理アップリンク制御チャネルを送信することができる。
【０１４５】
UEによって物理アップリンク制御チャネルを送信するための時間周波数リソースは、アップリンク制御情報を送信するために複数のUEによって多重化されてもよい。たとえば、W個のUEは、直交符号分割方式で同じ時間周波数リソースを多重化して、アップリンク制御情報を送信することができる。第1のタイプのアップリンクサブフレームでは、W＝V1であり、第2のタイプのアップリンクサブフレームでは、W＝V2である。本明細書では、V1はV2より小さい。たとえば、V1＝5およびV2＝4である。UE向けにネットワークデバイスによって構成された物理アップリンク制御チャネルリソースの数がXである場合、UEは、構成情報に基づいて、構成された物理アップリンク制御チャネルリソースのリソースブロック位置のインデックス番号が
【数１】
2019520759.tif 000004
である、すなわち、アップリンクサブフレーム内の（m＋1）番目のリソースブロックであると判断し、UEは、構成情報に基づいて、構成された物理アップリンク制御チャネルリソースの直交符号リソースインデックスがX mod Wであると判断する。第1のタイプのアップリンクサブフレームでは、最大5つのUEが直交符号分割方式で同じ時間周波数リソースを多重化してアップリンク制御情報を送信し、5つのUE向けに構成された物理アップリンク制御チャネルリソースの直交符号リソースインデックスは、0、1、2、3、および4である。直交符号リソースインデックス0を有する物理アップリンク制御チャネルリソースがUE1向けに構成され、直交符号リソースインデックス4を有する物理アップリンク制御チャネルリソースがUE2向けに構成されていると仮定する。UE1およびUE2が第2のタイプのアップリンクサブフレーム内で物理アップリンク制御チャネルを同時に送信する場合、前述の規則に従って、UE1とUE2の両方は、計算を通してX mod Wを使用することにより、第2のタイプのアップリンクサブフレーム内で物理アップリンク制御チャネルを送信するために構成された物理アップリンク制御チャネルリソースの直交符号リソースインデックスの各々が0であることを知る。この場合、UE1およびUE2は、完全に同じ物理アップリンク制御チャネルリソースを使用してアップリンク制御情報を送信し、2つのUEによって送信されたアップリンク制御情報は互いに干渉する。その結果、UE1とUE2の両方がアップリンク制御情報の送信に失敗する。
【０１４６】
この実施形態は方法を提供する。第1のアップリンクサブフレームが第1のタイプのアップリンクサブフレームであるとき、ターゲット物理アップリンク制御チャネルのリソースであり、第1のダウンリンク制御情報に対応するリソースは、UE向けにネットワークデバイスによって構成された第3の物理アップリンク制御チャネルリソースセット内のアップリンク制御チャネルリソースである。第1のアップリンクサブフレームが第2のタイプのアップリンクサブフレームであるとき、ターゲット物理アップリンク制御チャネルのリソースであり、第1のダウンリンク制御情報に対応するリソースは、UE向けにネットワークデバイスによって構成された第4の物理アップリンク制御チャネルリソースセット内のアップリンク制御チャネルリソースである。ネットワークデバイスは、少なくとも1つの物理アップリンク制御チャネルリソースを含む第3の物理アップリンク制御チャネルリソースセットを構成し、少なくとも1つの物理アップリンク制御チャネルリソースを含む第4の物理アップリンク制御チャネルリソースセットを構成することができる。ネットワークデバイスは、UE向けに第3の物理アップリンク制御チャネルリソースセットおよび第4の物理アップリンク制御チャネルリソースセットを別々に構成することができる。第3の物理アップリンク制御チャネルリソースセットおよび第4の物理アップリンク制御チャネルリソースセットは、それぞれ、第1のタイプのアップリンクサブフレームおよび第2のタイプのアップリンクサブフレームに対応する。さらに、第3の物理アップリンク制御チャネルリソースセットおよび第4の物理アップリンク制御チャネルリソースセットは、UE向けにネットワークデバイスによって別々に構成されたセットである。あるいは、ネットワークデバイスは、UE向けに第3の物理アップリンク制御チャネルリソースセットを構成し、第3の物理アップリンク制御チャネルリソースセットは第1のタイプのアップリンクサブフレームに対応する。第3の物理アップリンク制御チャネルリソースセットは、少なくとも2つの物理アップリンク制御チャネルリソースを含む。加えて、ネットワークデバイスおよびUEは、第3の物理アップリンク制御チャネルリソースセット内のインデックス値Iを有する物理アップリンク制御チャネルリソースが、第4の物理アップリンク制御チャネルリソースセットに属することを事前設定し、Iは固定値である。
【０１４７】
ネットワークデバイスによってUEに送信される第1のダウンリンク制御情報は、UE向けにネットワークデバイスによって構成された第3の物理アップリンク制御チャネルセットが、物理アップリンク制御チャネルリソース1および物理アップリンク制御チャネルリソース2のセットであることを示す情報を含む。ネットワークデバイスによってUEに送信される第1のダウンリンク制御情報は、ターゲット物理アップリンク制御チャネルのリソースが、物理アップリンク制御チャネルリソース1であるか、物理アップリンク制御チャネルリソース2であるかを示す情報を含む。UEが第1のダウンリンク制御情報を受信した後、第1のアップリンクサブフレームが第1のタイプのアップリンクサブフレームであるとUEが判断した場合、UEは、第1のダウンリンク制御情報の指示に従って、第3の物理アップリンク制御チャネルセット内のターゲット物理アップリンク制御チャネルのリソースを特定し、ターゲット物理アップリンク制御チャネルのリソース上で第1のアップリンク制御情報を送信することができる。
【０１４８】
好ましくは、第3の物理アップリンク制御チャネルリソースセットはただ1つの物理アップリンク制御チャネルリソースを含み、第4の物理アップリンク制御チャネルリソースセットはただ1つの物理アップリンク制御チャネルリソースを含む。好ましくは、第3の物理アップリンク制御チャネルリソースセットは、第1のタイプのアップリンクサブフレームに加えて第2のタイプのダウンリンク制御情報に対応し、第4の物理アップリンク制御チャネルリソースセットは、第2のタイプのアップリンクサブフレームに加えて第2のタイプのダウンリンク制御情報に対応する。
【０１４９】
第1のアップリンクサブフレームが第1のタイプのアップリンクサブフレームであるとき、UEは、第1のダウンリンク制御情報の指示に従って、第1のアップリンクサブフレーム内でターゲット物理アップリンク制御チャネルを送信し、ターゲット物理アップリンク制御チャネルは、第3の物理アップリンク制御チャネルリソースセット内の物理アップリンク制御チャネルリソースである。第1のアップリンクサブフレームが第2のタイプのアップリンクサブフレームであるとき、UEは、第1のダウンリンク制御情報の指示に従って、第1のアップリンクサブフレーム内でターゲット物理アップリンク制御チャネルを送信し、ターゲット物理アップリンク制御チャネルは、第4の物理アップリンク制御チャネルリソースセット内の物理アップリンク制御チャネルリソースである。本発明のこの実施形態では、UEにより、第1のアップリンクサブフレームが第1のタイプのアップリンクサブフレームであるか、第2のタイプのアップリンクサブフレームであるかを判定するための方法は限定されない。この方法では、ネットワークデバイスは、UE向けに第3の物理アップリンク制御チャネルリソースセット内に物理アップリンク制御チャネルリソースX1を構成し、UE向けに第4の物理アップリンク制御チャネルリソースセット内に物理アップリンク制御チャネルリソースX2を構成することができる。第1のタイプのアップリンクサブフレームでは、最大5つのUEが直交符号分割方式で同じ時間周波数リソースを多重化してアップリンク制御情報を送信し、5つのUE向けに構成された物理アップリンク制御チャネルリソースの直交符号リソースインデックスは、0、1、2、3、および4である。UEは、計算を通してX1を使用することにより、第1のタイプのアップリンクサブフレーム内で物理アップリンク制御チャネルを送信するために構成された物理アップリンク制御チャネルリソースの直交符号リソースインデックスを取得することができる。第2のタイプのアップリンクサブフレームでは、最大4つのUEが直交符号分割方式で同じ時間周波数リソースを多重化してアップリンク制御情報を送信し、4つのUE向けに構成された物理アップリンク制御チャネルリソースの直交符号リソースインデックスは、0、1、2、および3である。UEは、計算を通してX2を使用することにより、第2
のタイプのアップリンクサブフレーム内で物理アップリンク制御チャネルを送信するために構成された物理アップリンク制御チャネルリソースの直交符号リソースインデックスを取得することができる。このようにして、UE1およびUE2が完全に同じ物理アップリンク制御チャネルリソースを使用してアップリンク制御情報を送信するので、UE1とUE2の両方がアップリンク制御情報の送信に失敗するケースを回避することができる。
【０１５０】
さらに、前述の方法では、第4の物理アップリンク制御チャネルリソースセットは空のセットであってもよい。すなわち、ネットワークデバイスは、UE向けに第4の物理アップリンク制御チャネルリソースセットを構成しなくてもよい。あるいは、UEが第2のタイプのアップリンクサブフレーム内でターゲット物理アップリンク制御チャネルを送信するかどうかは、構成パラメータを使用することにより、UE向けにネットワークデバイスによって構成される。UEが第2のタイプのアップリンクサブフレーム内でターゲット物理アップリンク制御チャネルを送信することを許可された場合、ネットワークデバイスは、UE向けに第4の物理アップリンク制御チャネルリソースセットを構成する。UEが第2のタイプのアップリンクサブフレーム内でターゲット物理アップリンク制御チャネルを送信することを許可されなかった場合、ネットワークデバイスは、UE向けに第4の物理アップリンク制御チャネルリソースセットを構成しない、すなわち、第4の物理アップリンク制御チャネルリソースセットは空のセットであってもよい。第4の物理アップリンク制御チャネルリソースセットが空のセットであるとUEが判断した場合、第1のアップリンクサブフレームが第2のタイプのアップリンクサブフレームであるとき、UEが第1のダウンリンク制御情報を受信した場合でも、UEは第1のアップリンクサブフレーム内で第1のアップリンク制御情報を送信しない。さらに、好ましくは、第4の物理アップリンク制御チャネルリソースセットは、第2のタイプのアップリンクサブフレームに加えて第2のタイプのダウンリンク制御情報に対応する。第4の物理アップリンク制御チャネルリソースセットが空のセットであるとUEが判断した場合、第1のアップリンクサブフレームが第2のタイプのアップリンクサブフレームであり、UEによって受信された第1のダウンリンク制御情報が第2のタイプのダウンリンク制御情報であるとき、UEは第1のアップリンクサブフレーム内で第1のアップリンク制御情報を送信しない。
【０１５１】
S104．UEが第1のアップリンクサブフレーム内でターゲット物理アップリンク制御チャネルを送信し、ターゲット物理アップリンク制御チャネルが第1のアップリンク制御情報を含み、第1のアップリンク制御情報が、第1のサブフレームセット内の各サブフレーム内にあり、UEによって受信されたダウンリンクデータに対応するハイブリッド自動再送要求確認応答情報を含む。
【０１５２】
第1のダウンリンク制御情報は、ターゲット物理アップリンク制御チャネルを送信するようにUEに指示し、ターゲット物理アップリンク制御チャネルのリソースを特定した後、UEは、ターゲット物理アップリンク制御チャネルのリソース上で第1のアップリンク制御情報を送信する。第1のアップリンク制御情報は、第1のアップリンクサブフレーム内の各サブフレーム内にあり、UEによって受信されたダウンリンクデータに対応するハイブリッド自動再送要求確認応答情報を含む。さらに、UEは、ネットワークデバイスの構成または命令に基づいて、ターゲット物理アップリンク制御チャネルのリソース上で、チャネル状態情報およびアップリンクスケジューリング要求ステータス情報のうちの少なくとも1つをさらに送信することができる。本明細書におけるアップリンクスケジューリング要求ステータス情報は、UEがアップリンクスケジューリングを要求している状態、またはUEがアップリンクスケジューリングを要求していない状態である。好ましくは、第1のサブフレームセット内の各サブフレーム内にあり、UEによって受信されたダウンリンクデータに対応するHARQ−ACK情報に加えて、第1のアップリンク制御情報は、周期的チャネル状態情報およびアップリンクスケジューリング要求ステータス情報のうちの少なくとも1つを含んでもよいが、非周期的チャネル状態情報を含まない。
【０１５３】
場合によっては、UEは、第1のアップリンクサブフレーム内のターゲット物理アップリンク制御チャネルのリソース上で第1のアップリンク制御情報を送信する。ターゲット物理アップリンク制御チャネルのリソースの送信電力は、第1の電力調整値に対応する電力調整量を含む。第1の電力調整値は、第1のダウンリンク制御情報に含まれる第2の指示情報を使用してUEに示される。UEによってターゲット物理アップリンク制御チャネルを送信するための送信電力Pは、複数の電力調整量によって決定される。たとえば、
【数２】
2019520759.tif 000005
であり、ここで、cは電力調整値の数であり、本明細書における第1の電力調整値はPzであり、zは1≦z≦cを満たす値である。ネットワークデバイスは、第1のダウンリンク制御情報内の第2の指示情報を使用してUEに第1の電力調整値を示し、UEは、第1の電力調整値に基づいて、ターゲット物理アップリンク制御チャネルの送信電力を調整することができる。すなわち、UEによってターゲット物理アップリンク制御チャネルを送信するための送信電力は、第1の電力調整値によって示される電力調整量を含む。UEは、第1のアップリンクサブフレーム内のターゲット物理アップリンク制御チャネルのリソース上で第1のアップリンク制御情報を送信し、第1のアップリンクサブフレームのサブフレーム位置は、ネットワークデバイスによって第1のダウンリンク制御情報を送信するためのサブフレーム位置に対応する。たとえば、ネットワークデバイスによって第1のダウンリンク制御情報を送信するための対応するサブフレームがサブフレームnである場合、第1のアップリンクサブフレームはサブフレームn＋xであり、ここで、xは事前設定された値である。あるいは、第1のアップリンクサブフレームのサブフレーム位置は、第1のダウンリンク制御情報内の指示情報に対応し、UEは、第1のダウンリンク制御情報内の指示情報に従って、xの値を決定することができる。第1のダウンリンク制御情報は、第1のタイプのダウンリンク制御情報または第2のタイプのダウンリンク制御情報であってもよい。好ましくは、第1のダウンリンク制御情報は第1のタイプのダウンリンク制御情報である。本明細書では、第1のタイプのダウンリンク制御情報は、UE固有の物理ダウンリンク制御情報であり、第2のタイプのダウンリンク制御情報は、UEグループ固有の物理ダウンリンク制御情報または共通の物理ダウンリンク制御情報である。ネットワークデバイスによって第1のダウンリンク制御情報を送信するためのキャリアは、第1のダウンリンク制御情報に対応するターゲット物理アップリンク制御チャネルが位置するキャリアと同じあっても異なっていてもよい。加えて、ネットワークデバイスは、第1のダウンリンク制御情報の指示に従って、第1のアップリンクサブフレーム内でターゲット物理アップリンク制御チャネルを送信する。ターゲット物理アップリンク制御チャネルが
無認可スペクトル上のキャリア上のチャネルである場合、ターゲット物理アップリンク制御チャネルを送信する前に、UEは、クリアチャネル評価プロセスにおいて、ターゲット物理アップリンク制御チャネル上で占有できるリソースを決定する必要がある。クリアチャネル評価の結果が、UEがターゲット物理アップリンク制御チャネルのリソースを占有できないことである場合、UEはターゲット物理アップリンク制御チャネルを送信しない。すなわち、第1のアップリンクサブフレームのサブフレーム位置は、ネットワークデバイスによって第1のダウンリンク制御情報を送信するためのサブフレーム位置に対応するか、または第1のアップリンクサブフレームのサブフレーム位置は、第1のダウンリンク制御情報内の指示情報に対応する。第1のアップリンクサブフレーム内でターゲット物理アップリンク制御チャネルを送信する前に、UEは、クリアチャネル評価プロセスにおいて、ターゲット物理アップリンク制御チャネル上で占有できるリソースを決定する。
【０１５４】
従来技術の通信システムでは、キャリア構成セットが2つ以上のキャリアを含むとき、UEによって送信されたターゲット物理アップリンク制御チャネルが位置するキャリアは、UE向けにネットワークデバイスによって事前構成され、ネットワークデバイスは、事前設定されたキャリア上でターゲット物理アップリンク制御チャネルを送信するための送信電力調整量をUEに送信するだけでよい。ネットワークデバイスは、事前設定されたキャリア上で送信されたダウンリンクデータに対応するダウンリンク制御情報内の指示情報を使用してUEに送信電力調整量を示し、その結果、UEは、送信電力調整量に基づいて、ターゲット物理アップリンク制御チャネルを送信するための送信電力を調整する。あるいは、ネットワークデバイスは、ダウンリンクHARQ−ACKウィンドウ内にあり、事前設定されたキャリア上で送信された第1のダウンリンクデータに対応するダウンリンク制御情報内の指示情報を使用してUEに送信電力調整量を示し、その結果、UEは、送信電力調整量に基づいて、ターゲット物理アップリンク制御チャネルを送信するための送信電力を調整する。
【０１５５】
しかしながら、無認可スペクトル通信システムでは、可能なシナリオは、UEによって送信されたターゲット物理アップリンク制御チャネルが位置するキャリアが、UE向けにネットワークデバイスによって事前構成されたキャリア構成セット内の複数のキャリアの間で動的に変わることである。すなわち、i番目のサブフレームでは、UEによって送信されたターゲット物理アップリンク制御チャネルが位置するキャリアはキャリア1であるが、（i＋1）番目のサブフレームでは、送信されたターゲット物理アップリンク制御チャネルが位置するキャリアはキャリア2である。キャリア1とキャリア2は異なるキャリアである。UEによって異なるキャリア上でターゲット物理アップリンク制御チャネルを送信するための電力要件は異なるので、ネットワークデバイスは、キャリア構成セット内の各キャリア上でターゲット物理アップリンク制御チャネルを送信するための送信電力調整量をUEに送信する必要がある。本明細書のキャリア構成セットは、UEがネットワークデバイスと通信するために構成されたキャリアのセットであり、UEは、キャリア構成セット内の任意のキャリア上でターゲット物理アップリンク制御チャネルを送信することができる。本発明のこの実施形態は方法を提供する。
【０１５６】
UEは、第1のアップリンクサブフレーム内のターゲット物理アップリンク制御チャネルのリソース上で第1のアップリンク制御情報を送信する。ターゲット物理アップリンク制御チャネルのリソースの送信電力は、第2の電力調整値に対応する電力調整量を含む。第2の電力調整値は、第1の制御情報グループに含まれる各ダウンリンク制御情報の電力調整フィールドの指示値に従ってUEによって決定される電力調整値であり、第1の制御情報グループは、第2のサブフレームセット内の各サブフレーム内のダウンリンクデータに対応するダウンリンク制御情報を含む。本明細書では、第2のサブフレームセットは、第1のキャリア上に位置する第1のサブフレームセット内のサブフレームのセットであるか、または第2のサブフレームセットは、第1のサブフレームセット内にあり、その中のダウンリンクデータが第1のキャリア上に位置するダウンリンク制御情報に対応するサブフレームのセットである。第1のキャリアは、ターゲット物理アップリンク制御チャネルが位置するキャリアであるか、または第1のキャリアは、ネットワークデバイスによって第1のダウンリンク制御情報を送信するためのキャリアである。
【０１５７】
場合によっては、第1のキャリアはキャリア構成セット内のキャリアである。本明細書では、キャリア構成セットは、UEがネットワークデバイスと通信するために構成されたキャリアのセットであり、キャリア構成セットはH個のキャリアを含む。第1のキャリアはキャリア構成セット内のG番目のキャリアであり、ここで、GとHの両方は正の整数であり、H≧2、1≦G≦Hであり、Gの値はすべてのサブフレーム内で変わることができる。
【０１５８】
UEによって送信されたターゲット物理アップリンク制御チャネルが位置するキャリアは、UE向けに構成されたキャリアの間で動的に変わることができるので、第1のサブフレームセット内の異なるダウンリンクデータに対応するダウンリンク制御情報は、UEによって各キャリア上でターゲット物理アップリンク制御チャネルを送信するための電力調整量を別々に示すために使用され、その結果、UEによって様々なキャリア上でターゲット物理アップリンク制御チャネルを送信するための様々な電力要件を満たすことができる。
【０１５９】
ネットワークデバイスは、ターゲット物理アップリンク制御チャネルが位置するキャリア、またはネットワークデバイスによって送信された第1のダウンリンク制御情報が位置するキャリア上のダウンリンク制御情報内で、ターゲット物理アップリンク制御チャネル用の電力調整量を送信し、その結果、UEによってターゲット物理アップリンク制御チャネルの送信電力を調整するための要件を満たすことができる。
【０１６０】
図2は、この実施形態における、第1のサブフレームセットおよびターゲット物理アップリンク制御チャネルの概略図である。図2に示されたように、たとえば、キャリアA、キャリアB、キャリアC、キャリアD、およびキャリアEなどの複数のキャリアは、UEがネットワークデバイスと通信するために構成される。第1のサブフレームセットは、キャリアA上のサブフレームA−1、A−3、A−4、およびA−5、キャリアB上のサブフレームB−2、B−3、およびB−4、キャリアC上のサブフレームC−1、C−2、C−4、およびC−5、キャリアD上のサブフレームD−1、D−2、D−3、D−4、およびD−5、ならびにキャリアE上のサブフレームE−1、E−4、およびE−5を含む。サブフレームA−1、サブフレームB−1、サブフレームC−1、サブフレームD−1、およびサブフレームE−1は、同じ時間を示すサブフレームである。サブフレームA−2、サブフレームB−2、サブフレームC−2、サブフレームD−2、およびサブフレームE−2は、同じ時間を示すサブフレームである。サブフレームA−3、サブフレームB−3、サブフレームC−3、サブフレームD−3、およびサブフレームE−3は、同じ時間を示すサブフレームである。サブフレームA−4、サブフレームB−4、サブフレームC−4、サブフレームD−4、およびサブフレームE−4は、同じ時間を示すサブフレームである。サブフレームA−5、サブフレームB−5、サブフレームC−5、サブフレームD−5、およびサブフレームE−5は、同じ時間を示すサブフレームである。同じ時間を示すサブフレームは、時間的に整合性のあるサブフレームである。
【０１６１】
第1のアップリンクサブフレーム内でUEによって送信されたターゲット物理アップリンク制御チャネルのリソースは、キャリアA、キャリアB、キャリアC、キャリアD、およびキャリアEのうちのいずれか1つに位置してもよい。加えて、ターゲットアップリンク物理アップリンク制御チャネルのリソースが位置するキャリアは、動的に変わってもよい。たとえば、ターゲット物理アップリンク制御チャネルのリソースが位置するキャリアは、すべてのサブフレーム内で変わることができる。たとえば、第1のダウンリンク制御情報は、第1のアップリンクサブフレーム内でターゲット物理アップリンク制御チャネルを送信するようにUEに指示するために使用され、第1のダウンリンク制御情報は、UEがターゲットアップリンク制御情報を送信する第1のアップリンクサブフレーム内の特定のキャリアを示す指示情報を含んでもよい。第1のダウンリンク制御情報は、ターゲット物理アップリンク制御チャネルが位置するキャリアを示すことができ、UEによって送信されたターゲット物理アップリンク制御チャネルがすべてのサブフレーム内で変わって位置するキャリアをサポートすることができる。
【０１６２】
第1のアップリンクサブフレーム内のターゲット物理アップリンク制御チャネルがキャリアB上に位置すると仮定する。第1のキャリアは、ターゲット物理アップリンク制御チャネルが位置するキャリアであり、言い換えれば、第1のキャリアはキャリアBである。第1の制御情報グループは、第2のサブフレームセット内の各サブフレーム内のダウンリンクデータに対応するダウンリンク制御情報を含む。
【０１６３】
第2のサブフレームセットは、以下のケースのうちのいずれか1つであってもよい。
【０１６４】
第1のケースでは、第2のサブフレームセットは第1のサブフレームセットと同等である。第2のサブフレームセットは、第1のアップリンクサブフレーム内でUEによって送信されたターゲット物理アップリンク制御チャネルに含まれるハイブリッド自動再送要求確認応答情報に対応するすべてのダウンリンクデータが位置するサブフレームである。前述の例では、第1の制御情報グループは、すべての第1のサブフレーム内のすべてのダウンリンクデータに対応するダウンリンク制御情報を含む。すなわち、第1の制御情報グループは、サブフレームA−1、A−3、A−4、A−5、B−2、B−3、B−4、C−1、C−2、C−4、C−5、D−1、D−2、D−3、D−4、D−5、E−1、E−4、およびE−5内のダウンリンクデータに対応するダウンリンク制御情報を含む。各ダウンリンク制御情報は電力調整量を搬送する。第2の電力調整値に対応する電力調整量は、第1の制御情報グループ内のすべてまたは一部のダウンリンク制御情報によって示された電力調整量によって決定される。
【０１６５】
第2のケースでは、第2のサブフレームセットは、第1のキャリア上に位置する第1のサブフレームセット内のサブフレームのセットである。前述の例では、第1のキャリアはキャリアBなので、第1の制御情報グループは、キャリアB上のサブフレームB−2、B−3、およびB−4内のダウンリンクデータに対応するダウンリンク制御情報を含む。各ダウンリンク制御情報は電力調整量を搬送する。第2の電力調整値に対応する電力調整量は、第1の制御情報グループ内のすべてまたは一部のダウンリンク制御情報内で搬送された電力調整量によって決定される。
【０１６６】
第3のケースでは、第2のサブフレームセットは、第1のサブフレームセット内にあり、その中のダウンリンクデータが第1のキャリア上に位置するダウンリンク制御情報に対応するサブフレームのセットである。前述の例では、第1のキャリアはキャリアBなので、第1の制御情報グループは、サブフレームA−1、A−3、A−4、A−5、B−2、B−3、B−4、C−1、C−2、C−4、C−5、D−1、D−2、D−3、D−4、D−5、E−1、E−4、およびE−5内のダウンリンクデータに対応するダウンリンク制御情報が位置する、キャリアB上のサブフレームに対応するダウンリンク制御情報を含む。たとえば、キャリアAのダウンリンクデータに対応するダウンリンク制御情報はキャリアA上に位置し、キャリアBのダウンリンクデータに対応するダウンリンク制御情報はキャリアB上に位置し、キャリアCのダウンリンクデータに対応するダウンリンク制御情報はキャリアB上に位置し、キャリアDのダウンリンクデータに対応するダウンリンク制御情報はキャリアA上に位置し、キャリアEのダウンリンクデータに対応するダウンリンク制御情報はキャリアE上に位置する。この場合、第1の制御情報グループは、キャリアB上のサブフレームB−2、B−3、およびB−4、ならびにキャリアC上のサブフレームC−1、C−2、C−4、およびC−5内のダウンリンクデータに対応するダウンリンク制御情報を含む。各ダウンリンク制御情報は電力調整量を搬送する。第2の電力調整値に対応する電力調整量は、第1の制御情報グループ内のすべてまたは一部のダウンリンク制御情報内で搬送された電力調整量によって決定される。
【０１６７】
第4のケースでは、第2のサブフレームセットは、第1のキャリア上に位置し、その中の対応するダウンリンク制御情報が第1のキャリア上に位置する、第1のサブフレームセット内のサブフレームのセットである。前述の例では、第1のキャリアはキャリアBであり、ダウンリンクデータおよび対応するダウンリンク制御情報がキャリアB上に位置するサブフレームは、サブフレームB−2、B−3、およびB−4を含むので、第1の制御情報グループは、サブフレームB−2、B−3、およびB−4内のダウンリンクデータに対応するダウンリンク制御情報を含む。各ダウンリンク制御情報は電力調整量を搬送する。第2の電力調整値に対応する電力調整量は、第1の制御情報グループ内のすべてまたは一部のダウンリンク制御情報内で搬送された電力調整量によって決定される。
【０１６８】
別の例を挙げると、第1のアップリンクサブフレーム内のターゲット物理アップリンク制御チャネルがキャリアB上に位置するが、ネットワークデバイスによって送信された第1のダウンリンク制御情報はキャリアA上に位置すると仮定する。第1のキャリアは、ネットワークデバイスによって第1のダウンリンク制御情報を送信するためのキャリアであり、言い換えれば、第1のキャリアはキャリアAである。第1の制御情報グループは、第2のサブフレームセット内の各サブフレーム内のダウンリンクデータに対応するダウンリンク制御情報を含む。第2のサブフレームセットは、以下のケースのうちのいずれか1つであってもよい。
【０１６９】
第1のケースでは、第2のサブフレームセットは第1のサブフレームセットと同等である。第2のサブフレームセットは、第1のアップリンクサブフレーム内でUEによって送信されたターゲット物理アップリンク制御チャネルに含まれるハイブリッド自動再送要求確認応答情報に対応するすべてのダウンリンクデータが位置するサブフレームである。前述の例では、第1の制御情報グループは、すべてのダウンリンクデータに対応するダウンリンク制御情報を含む。すなわち、第1の制御情報グループは、サブフレームA−1、A−3、A−4、A−5、B−2、B−3、B−4、C−1、C−2、C−4、C−5、D−1、D−2、D−3、D−4、D−5、E−1、E−4、およびE−5内のダウンリンクデータに対応するダウンリンク制御情報を含む。各ダウンリンク制御情報は電力調整量を搬送する。第2の電力調整値に対応する電力調整量は、第1の制御情報グループ内のすべてまたは一部のダウンリンク制御情報内で搬送された電力調整量によって決定される。
【０１７０】
第2のケースでは、第2のサブフレームセットは、第1のキャリア上に位置する第1のサブフレームセット内のサブフレームのセットである。前述の例では、第1のキャリアはキャリアAなので、第1の制御情報グループは、サブフレームA−1、A−3、A−4、およびA−5内のダウンリンクデータに対応するダウンリンク制御情報を含む。各ダウンリンク制御情報は電力調整量を搬送する。第2の電力調整値に対応する電力調整量は、第1の制御情報グループ内のすべてまたは一部のダウンリンク制御情報内で搬送された電力調整量によって決定される。
【０１７１】
第3のケースでは、第2のサブフレームセットは、第1のサブフレームセット内にあり、その中のダウンリンクデータが第1のキャリア上に位置するダウンリンク制御情報に対応するサブフレームのセットである。前述の例では、第1のキャリアはキャリアAなので、第1の制御情報グループは、サブフレームA−1、A−3、A−4、A−5、B−2、B−3、B−4、C−1、C−2、C−4、C−5、D−1、D−2、D−3、D−4、D−5、E−1、E−4、およびE−5内のダウンリンクデータに対応するダウンリンク制御情報が位置する、キャリアA上のサブフレーム内のダウンリンク制御情報を含む。たとえば、キャリアAのダウンリンクデータに対応するダウンリンク制御情報はキャリアA上に位置し、キャリアBのダウンリンクデータに対応するダウンリンク制御情報はキャリアB上に位置し、キャリアCのダウンリンクデータに対応するダウンリンク制御情報はキャリアB上に位置し、キャリアDのダウンリンクデータに対応するダウンリンク制御情報はキャリアA上に位置し、キャリアEのダウンリンクデータに対応するダウンリンク制御情報はキャリアE上に位置する。この場合、第1の制御情報グループは、サブフレームA−1、A−3、A−4、A−5、D−1、D−2、D−3、D−4、およびD−5内のダウンリンクデータに対応するダウンリンク制御情報を含む。各ダウンリンク制御情報は電力調整量を搬送する。第2の電力調整値に対応する電力調整量は、第1の制御情報グループ内のすべてまたは一部のダウンリンク制御情報内で搬送された電力調整量によって決定される。
【０１７２】
第4のケースでは、第2のサブフレームセットは、第1のキャリア上に位置し、その中の対応するダウンリンク制御情報が第1のキャリア上に位置する、第1のサブフレームセット内のサブフレームのセットである。前述の例では、第1のキャリアはキャリアAであり、キャリアA上にダウンリンクデータおよび対応するダウンリンク制御情報が位置するサブフレームは、サブフレームA−1、A−3、A−4、およびA−5を含むので、第1の制御情報グループは、サブフレームA−1、A−3、A−4、およびA−5内のダウンリンクデータに対応するダウンリンク制御情報を含む。各ダウンリンク制御情報は電力調整量を搬送する。第2の電力調整値に対応する電力調整量は、第1の制御情報グループ内のすべてまたは一部のダウンリンク制御情報内で搬送された電力調整量によって決定される。
【０１７３】
この実施形態では、UEによって送信されたターゲット物理アップリンク制御チャネルが位置するキャリアは、UE向けに構成されたキャリアの間で動的に変わることができるので、ネットワークデバイスは、第1のサブフレームセット内の異なるダウンリンクデータに対応するダウンリンク制御情報を使用して、各キャリア上でターゲット物理アップリンク制御チャネルを送信するための電力調整量を別々に示し、その結果、UEによって様々なキャリア上でターゲット物理アップリンク制御チャネルを送信するための様々な電力要件を満たすことができる。具体的には、ネットワークデバイスは、ターゲット物理アップリンク制御チャネルが位置するキャリア、またはネットワークデバイスによって送信された第1のダウンリンク制御情報が位置するキャリア上のダウンリンク制御情報内で、ターゲット物理アップリンク制御チャネルを送信するための電力調整量を示し、その結果、UEによってターゲット物理アップリンク制御チャネルの送信電力を調整するための要件を満たすことができる。
【０１７４】
場合によっては、第1の制御情報グループ内で同じ時間を示すサブフレーム内のダウンリンク制御情報内の電力調整フィールドの指示値は同じである。たとえば、第1の制御情報グループは、キャリアA上のT1番目のサブフレーム、キャリアA上のT2番目のサブフレーム、キャリアA上のT4番目のサブフレーム、キャリアB上のT1番目のサブフレーム、およびキャリアB上のT4番目のサブフレーム内のダウンリンク制御情報を含む。キャリアA上のT1番目のサブフレームとキャリアB上のT1番目のサブフレームは同じ時間を示すので、キャリアA上のT1番目のサブフレームおよびキャリアB上のT1番目のサブフレーム内のダウンリンク制御情報内の電力調整フィールドの指示値は同じである。同様に、キャリアA上のT4番目のサブフレームおよびキャリアB上のT4番目のサブフレーム内のダウンリンク制御情報内の電力調整フィールドの指示値は同じである。
【０１７５】
第1の制御情報グループ内のダウンリンク制御情報は、k個のサブフレーム位置にあるダウンリンク制御情報を含み、k個のサブフレーム位置の各々は、1つまたは複数のダウンリンク制御情報を含む。k個のサブフレーム位置の中のu番目のサブフレーム位置がv個のダウンリンク制御情報を含む場合、v個のダウンリンク制御情報は、同じキャリア上のダウンリンク制御情報であってもよく、異なるキャリア上のダウンリンク制御情報であってもよい。前述の例の一ケースでは、第1の制御情報グループは、キャリアA上のT1番目のサブフレーム、キャリアA上のT2番目のサブフレーム、キャリアA上のT4番目のサブフレーム、キャリアB上のT1番目のサブフレーム、およびキャリアB上のT4番目のサブフレーム内のダウンリンク制御情報を含む。本明細書では、k＝3であり、すなわち、第1の制御情報グループ内のダウンリンク制御情報は、3つのサブフレーム位置にあるダウンリンク制御情報を含み、3つのサブフレーム位置は、T1番目のサブフレーム、T2番目のサブフレーム、およびT4番目のサブフレームである。T1番目のサブフレーム位置は、2つのダウンリンク制御情報、すなわち、キャリアA上のT1番目のサブフレーム内のダウンリンク制御情報、およびキャリアB上のT1番目のサブフレーム内のダウンリンク制御情報を含む。T2番目のサブフレーム位置は、1つのダウンリンク制御情報、すなわち、キャリアA上のT2番目のサブフレーム内のダウンリンク制御情報を含む。T4番目のサブフレーム位置は、2つのダウンリンク制御情報、すなわち、キャリアA上のT4番目のサブフレーム内のダウンリンク制御情報、およびキャリアB上のT4番目のサブフレーム内のダウンリンク制御情報を含む。
【０１７６】
場合によっては、第2の電力調整値に対応する電力調整量は、第1の制御情報グループ内のすべてまたは一部のダウンリンク制御情報内の電力調整フィールドの指示値によって決定される。以下の方式が使用されてもよい：第2の電力調整値に対応する電力調整量は
【数３】
2019520759.tif 000006
である。第1の制御情報グループ内のダウンリンク制御情報は、k個のサブフレーム位置にあるダウンリンク制御情報を含み、k個のサブフレーム位置の各々は、1つまたは複数のダウンリンク制御情報を含み、Piは第1の制御情報グループ内のi番目のサブフレーム位置にある制御情報内の電力調整フィールドの指示値である。同じサブフレーム位置にあるダウンリンク制御情報内の電力調整フィールドの指示値は同でである。前述の例の一ケースでは、第1の制御情報グループが、キャリアA上のT1番目のサブフレーム、キャリアA上のT2番目のサブフレーム、キャリアA上のT4番目のサブフレーム、キャリアB上のT1番目のサブフレーム、およびキャリアB上のT4番目のサブフレーム内のダウンリンク制御情報を含む場合、第2の電力調整値に対応する電力調整量は
【数４】
2019520759.tif 000007
であり、ここで、P1はキャリアA上のT1番目のサブフレーム内のダウンリンク制御情報内の電力調整フィールドの指示値であり（言い換えれば、2つは同等なので、P1はキャリアB上のT1番目のサブフレーム内のダウンリンク制御情報内の電力調整フィールドの指示値であり）、P2はキャリアA上のT2番目のサブフレーム内のダウンリンク制御情報内の電力調整フィールドの指示値であり、P3はキャリアA上のT4番目のサブフレーム内のダウンリンク制御情報内の電力調整フィールドの指示値である（言い換えれば、2つは同等なので、P3はキャリアB上のT4番目のサブフレーム内のダウンリンク制御情報内の電力調整フィールドの指示値である）。
【０１７７】
場合によっては、第2の電力調整値に対応する電力調整量は、第1の制御情報グループ内のすべてまたは一部のダウンリンク制御情報内の電力調整フィールドの指示値によって決定される。以下の方式が使用されてもよい：第2の電力調整値に対応する電力調整量は、第1の制御情報グループ内の最後のサブフレーム内のダウンリンク制御情報内の電力調整フィールドの指示値によって決定される。本明細書において、前述の例では、第1の制御情報グループは、キャリアA上のT1番目のサブフレーム、キャリアA上のT2番目のサブフレーム、キャリアA上のT4番目のサブフレーム、キャリアB上のT1番目のサブフレーム、およびキャリアB上のT4番目のサブフレーム内のダウンリンク制御情報を含む。T1＜T2＜T3＜T4である場合、第2の電力調整値に対応する電力調整量はΔP＝P3であり、ここで、P3はキャリアA上のT4番目のサブフレーム内のダウンリンク制御情報内の電力調整フィールドの指示値である（言い換えれば、2つは同等なので、P3はキャリアB上のT4番目のサブフレーム内のダウンリンク制御情報内の電力調整フィールドの指示値である）。
【０１７８】
場合によっては、第2の電力調整値に対応する電力調整量は、第1の制御情報グループ内のすべてまたは一部のダウンリンク制御情報内の電力調整フィールドの指示値によって決定される。以下の方式が使用されてもよい：第2の電力調整値に対応する電力調整量は、第2の制御情報グループ内のダウンリンク制御情報内の電力調整フィールドの指示値によって決定され、第2の制御情報グループは第1の制御情報グループのサブセットである。具体的には、第2の制御情報グループは、第1の制御情報グループ内で時間的に第2のアップリンクサブフレームの後に続くサブフレーム位置にあるダウンリンク制御情報のセットである。本明細書における第2のアップリンクサブフレームは、UEが第2の物理アップリンク制御チャネルを送信するサブフレームである。第2のアップリンクサブフレームは第1のアップリンクサブフレームの前にあり、UEは第2のアップリンクサブフレームと第1のアップリンクサブフレームとの間で別の物理アップリンク制御チャネルを送信しない。
【０１７９】
S105．ネットワークデバイスが、ターゲット物理アップリンク制御チャネルのリソース上で、UEによって送信されたターゲット物理アップリンク制御チャネルを受信する。
【０１８０】
第1のサブフレームセット内の各サブフレーム内でUEにダウンリンクデータを送信し、UEに第1のアップリンク制御情報を送信した後、ネットワークデバイスは、それに対応して、UEによって送信されたターゲット物理アップリンク制御チャネルを受信する。ターゲット物理アップリンクチャネルは、UEによって送信された第1のアップリンク制御情報を含む。第1のアップリンク制御情報は、第1のサブフレームセット内の各サブフレーム内のダウンリンクデータに対応するハイブリッド自動再送要求確認応答情報を含む。
【０１８１】
本発明のこの実施形態において提供されるアップリンク制御チャネル送受信方法では、第1のサブフレームセット内の各サブフレーム内でUEにダウンリンクデータを送信した後、ネットワークデバイスは、UEにトリガ情報（すなわち、第1のダウンリンク制御情報）を送信して、第1のアップリンクサブフレーム内でターゲット物理アップリンク制御チャネルを送信するようにUEをトリガする。ターゲット物理アップリンク制御チャネルは、第1のサブフレームセット内の各サブフレーム内にあり、UEによって受信されたダウンリンクデータに対応するハイブリッド自動再送要求確認応答情報を含む、第1のアップリンク制御情報を搬送する。このようにして、UEが無認可スペクトルリソース上で物理アップリンク制御チャネルをどのように送信するかという問題が解決される。さらに、UEによって物理アップリンク制御チャネルを送信するためのリソースは、時間領域内の最初のアップリンクサブフレームであり、周波数領域および／または直交符号リソース領域内でネットワークデバイスによって事前構成された物理アップリンク制御チャネルリソースセット内の物理アップリンク制御チャネルリソースであってもよい。第1のダウンリンク制御情報のタイプ（ユニキャストおよびブロードキャスト）に関して、ネットワークデバイスによって事前構成された物理アップリンク制御チャネルリソースセットは互いに独立しており、UEは、第1のダウンリンク制御情報のタイプに基づいて、事前構成された物理アップリンク制御チャネルリソースセットから物理アップリンク制御チャネルリソースを選択することができる。物理アップリンク制御チャネルを送信するための電力調整値は、電力調整値を第1のダウンリンク制御情報に付加することによってUEに送信されてもよく、かつ／または物理アップリンク制御チャネルを送信するための電力調整値は、第1のサブフレームセット内のダウンリンクデータに対応するダウンリンク制御情報を使用して、各キャリア上でターゲット物理アップリンク制御チャネルを送信するための電力調整量を示すことにより、ネットワークデバイスによって実装される。このようにして、UEによって送信されたターゲット物理アップリンク制御チャネルが位置するキャリアがキャリア構成セット内で動的に変わることができるときに物理アップリンク制御チャネルを送信するためのリソースおよび電力調整値をどのように決定するかという問題が解決される。
【０１８２】
図3は、本発明による、端末デバイスの実施形態1の概略構造図である。図3に示されたように、この実施形態における端末デバイスは、受信モジュール11と送信モジュール12とを含んでもよい。受信モジュール11は、第1のサブフレームセット内の各サブフレーム内でネットワークデバイスによって送信されたダウンリンクデータを受信するように構成される。第1のサブフレームセットはN個のサブフレームを含み、N個のサブフレームの各々はダウンリンクフルサブフレームであるか、またはN個のサブフレームのうちのM個はダウンリンク部分サブフレームであり、N個のサブフレームのうちのN−M個はダウンリンクフルサブフレームであり、MはN以下であり、MとNの両方は整数である。受信モジュール11は、ネットワークデバイスによって送信された第1のダウンリンク制御情報を取得するようにさらに構成される。送信モジュール12は、第1のダウンリンク制御情報の指示に従って、第1のアップリンクサブフレーム内でターゲット物理アップリンク制御チャネルを送信するように構成される。ターゲット物理アップリンク制御チャネルは第1のアップリンク制御情報を含み、第1のアップリンク制御情報は、第1のサブフレームセット内の各サブフレーム内にあり、受信モジュール11によって受信されたダウンリンクデータに対応するハイブリッド自動再送要求確認応答情報を含む。
【０１８３】
実現可能な方式では、第1のダウンリンク制御情報は第1のタイプのダウンリンク制御情報であり、ターゲット物理アップリンク制御チャネルのリソースは、第1の物理アップリンク制御チャネルリソースセット内の物理アップリンク制御チャネルリソースであるか、または第1のダウンリンク制御情報は第2のタイプのダウンリンク制御情報であり、ターゲット物理アップリンク制御チャネルのリソースは、第2の物理アップリンク制御チャネルリソースセット内の物理アップリンク制御チャネルリソースである。第1のタイプのダウンリンク制御情報は端末デバイス固有の物理ダウンリンク制御情報であり、第2のタイプのダウンリンク制御情報は、端末デバイスグループ固有の物理ダウンリンク制御情報または共通の物理ダウンリンク制御情報であり、第1の物理アップリンク制御チャネルリソースセットおよび第2の物理アップリンク制御チャネルリソースセットの各々は、端末デバイス向けにネットワークデバイスによって構成された物理アップリンク制御チャネルリソースのセットである。
【０１８４】
さらに、第1の物理アップリンク制御チャネルリソースセットおよび第2の物理アップリンク制御チャネルリソースセットは、端末デバイス向けにネットワークデバイスによって別々に構成されたセットであるか、または第1の物理アップリンク制御チャネルリソースセットは、端末デバイス向けにネットワークデバイスによって構成されたセットであり、第2の物理アップリンク制御チャネルリソースセットは、第1の物理アップリンク制御チャネルリソースセットのサブセットである。
【０１８５】
場合によっては、第1の物理アップリンク制御チャネルリソースセットは少なくとも2つの物理アップリンク制御チャネルリソースを含み、第2の物理アップリンク制御チャネルリソースセットは1つの物理アップリンク制御チャネルリソースを含む。
【０１８６】
場合によっては、第1のダウンリンク制御情報は第2のタイプのダウンリンク制御情報であり、第2の物理アップリンク制御チャネルリソースセットは空のセットであり、送信モジュール12は、第1のアップリンクサブフレーム内で第1のアップリンク制御情報を送信しない。
【０１８７】
別の実現可能な方式では、第1のアップリンクサブフレームは第1のタイプのアップリンクサブフレームであり、ターゲット物理アップリンク制御チャネルのリソースは、第3の物理アップリンク制御チャネルリソースセット内の物理アップリンク制御チャネルリソースであるか、または第1のアップリンクサブフレームは第2のタイプのアップリンクサブフレームであり、ターゲット物理アップリンク制御チャネルのリソースは、第4の物理アップリンク制御チャネルリソースセット内の物理アップリンク制御チャネルリソースである。第1のタイプのアップリンクサブフレームは、送信モジュール12によって送信された物理アップリンク制御チャネルがR個のシンボルを占有するアップリンクサブフレームであり、第2のタイプのアップリンクサブフレームは、送信モジュール12によって送信された物理アップリンク制御チャネルがR個より少ないシンボルを占有するアップリンクサブフレームであり、第3の物理アップリンク制御チャネルリソースセットおよび第4の物理アップリンク制御チャネルリソースセットの各々は、端末デバイス向けにネットワークデバイスによって構成された物理アップリンク制御チャネルリソースのセットであり、Rは整数である。
【０１８８】
さらに、第3の物理アップリンク制御チャネルリソースセットおよび第4の物理アップリンク制御チャネルリソースセットは、端末デバイス向けにネットワークデバイスによって別々に構成されたセットであるか、または第3の物理アップリンク制御チャネルリソースセットは、端末デバイス向けにネットワークデバイスによって構成されたセットであり、第4の物理アップリンク制御チャネルリソースセットは、第3の物理アップリンク制御チャネルリソースセットのサブセットである。
【０１８９】
場合によっては、第1のアップリンクサブフレームは第2のタイプのアップリンクサブフレームであり、第4の物理アップリンク制御チャネルリソースセットは空のセットであり、送信モジュール12は、第1のアップリンクサブフレーム内で第1のアップリンク制御情報を送信しない。
【０１９０】
前述の実施形態では、第1のダウンリンク制御情報は第1の指示情報を含み、第1の指示情報が第1の情報であるとき、第1のダウンリンク制御情報は、ターゲット物理アップリンク制御チャネルを送信するように送信モジュール12に指示するために使用され、第1の指示情報が第2の情報であるとき、第1のダウンリンク制御情報は、ターゲット物理アップリンク共有チャネルを送信するように送信モジュール12に指示するために使用され、ターゲット物理アップリンク共有チャネルは、アップリンクデータを搬送するか、またはアップリンクデータおよびハイブリッド自動再送要求確認応答情報を搬送する。この設計では、ネットワークデバイスによってUEに送信された第1のダウンリンク制御情報は、ネットワークデバイスによってUEに送信され、アップリンク共有チャネルを送信するようにUEをスケジュールするために使用される制御情報と同じフォーマットであってもよく、その結果、UEによるブラインド検出の複雑さを低減することができる。
【０１９１】
さらに、第1のダウンリンク制御情報は第2の指示情報を含み、第2の指示情報は、送信モジュール12によってターゲット物理アップリンク制御チャネルを送信するための第1の電力調整値を示すために使用され、送信モジュール12によってターゲット物理アップリンク制御チャネルを送信するための送信電力は、第1の電力調整値によって示される電力調整量を含む。
【０１９２】
さらに、ターゲット物理アップリンク制御チャネルの送信電力は、第2の電力調整値によって示される電力調整量を含み、第2の電力調整値は、第1の制御情報グループに含まれるダウンリンク制御情報内の電力調整フィールドの指示値に従って、端末デバイスによって決定される電力調整値であり、第1の制御情報グループは、第2のサブフレームセット内の各サブフレーム内のダウンリンクデータに対応するダウンリンク制御情報を含み、第2のサブフレームセットは第1のサブフレームセットと同等であるか、または第2のサブフレームセットは、第1のキャリア上に位置する第1のサブフレームセット内のサブフレームのセットであるか、または第2のサブフレームセットは、第1のサブフレームセット内にあり、その中のダウンリンクデータが第1のキャリア上に位置するダウンリンク制御情報に対応する、サブフレームのセットであり、第1のキャリアはターゲット物理アップリンク制御チャネルが位置するキャリアであるか、または第1のキャリアは第1のダウンリンク制御情報が位置するキャリアである。
【０１９３】
場合によっては、第1のキャリアはキャリア構成セット内のキャリアであり、キャリア構成セットは端末デバイスがネットワークデバイスと通信するために構成されたキャリアのセットであり、キャリア構成セットはH個のキャリアを含み、第1のキャリアはキャリア構成セット内のG番目のキャリアであり、GとHの両方は正の整数であり、H≧2、1≦G≦Hであり、Gの値はすべてのサブフレーム内で変わることができる。
【０１９４】
さらに、第2のサブフレームセットは、第1のキャリア上に位置する第1のサブフレームセット内のすべてのサブフレームのセットであるか、または第2のサブフレームセットは、第1のサブフレームセット内にあり、その中のダウンリンクデータが第1のキャリア上に位置するダウンリンク制御情報に対応する、すべてのサブフレームのセットであるか、または第2のサブフレームセットは、第1のキャリア上に位置し、その中の対応するダウンリンク制御情報が第1のキャリア上に位置する、第1のサブフレームセット内のすべてのサブフレームのセットである。
【０１９５】
さらに、第1の制御情報グループ内で同じ時間を示すサブフレーム内のダウンリンク制御情報内の電力調整フィールドの指示値は同じである。
【０１９６】
この実施形態における端末デバイスは、図1に示された方法実施形態における技術的解決策を実行するように構成されてもよい。端末デバイスの実装原理は、方法実施形態における実装原理と同様であり、本明細書では再び記載されない。
【０１９７】
本発明のこの実施形態において提供される端末デバイスでは、第1のサブフレームセット内の各サブフレーム内でネットワークデバイスによって送信されたダウンリンクデータを受信した後、受信モジュールは、ネットワークデバイスによって送信されたトリガ情報（すなわち、第1のダウンリンク制御情報）を取得して、第1のアップリンクサブフレーム内でターゲット物理アップリンク制御チャネルを送信するように送信モジュールをトリガする。ターゲット物理アップリンク制御チャネルは、第1のサブフレームセット内の各サブフレーム内にあり、UEによって受信されたダウンリンクデータに対応するハイブリッド自動再送要求確認応答情報を含む、第1のアップリンク制御情報を搬送する。このようにして、UEが無認可スペクトルリソース上で物理アップリンク制御チャネルをどのように送信するかという問題が解決される。さらに、UEによって物理アップリンク制御チャネルを送信するためのリソースは、時間領域内の最初のアップリンクサブフレームであり、周波数領域および／または直交符号リソース領域内でネットワークデバイスによって事前構成された物理アップリンク制御チャネルリソースセット内の物理アップリンク制御チャネルリソースであってもよい。第1のダウンリンク制御情報のタイプ（ユニキャストおよびブロードキャスト）に関して、ネットワークデバイスによって事前構成された物理アップリンク制御チャネルリソースセットは互いに独立しており、UEは、第1のダウンリンク制御情報のタイプに基づいて、事前構成された物理アップリンク制御チャネルリソースセットから物理アップリンク制御チャネルリソースを選択することができる。物理アップリンク制御チャネルを送信するための電力調整値は、電力調整値を第1のダウンリンク制御情報に付加することによってUEに送信されてもよく、かつ／または物理アップリンク制御チャネルを送信するための電力調整値は、第1のサブフレームセット内のダウンリンクデータに対応するダウンリンク制御情報を使用して、各キャリア上でターゲット物理アップリンク制御チャネルを送信するための電力調整量を示すことにより、ネットワークデバイスによって実装される。このようにして、UEによって送信されたターゲット物理アップリンク制御チャネルが位置するキャリアがキャリア構成セット内で動的に変わることができるときに物理アップリンク制御チャネルを送信するためのリソースおよび電力調整値をどのように決定するかという問題が解決される。
【０１９８】
図4は、本発明による、ネットワークデバイスの実施形態1の概略構造図である。図4に示されたように、この実施形態におけるネットワークデバイスは、送信モジュール21と受信モジュール22とを含んでもよい。送信モジュール21は、第1のサブフレームセット内の各サブフレーム内で端末デバイスUEにダウンリンクデータを送信するように構成される。第1のサブフレームセットはN個のサブフレームを含み、N個のサブフレームの各々はダウンリンクフルサブフレームであるか、またはN個のサブフレームのうちのM個はダウンリンク部分サブフレームであり、N個のサブフレームのうちのN−M個はダウンリンクフルサブフレームであり、MはN以下であり、MとNの両方は整数である。送信モジュール21は、第1のダウンリンク制御情報をUEに送信するようにさらに構成される。受信モジュール22は、第1のダウンリンク制御情報の指示に従って、第1のアップリンクサブフレーム内でUEによって送信されたターゲット物理アップリンク制御チャネルを受信するように構成される。ターゲット物理アップリンク制御チャネルは第1のアップリンク制御情報を含み、第1のアップリンク制御情報は、第1のサブフレームセット内の各サブフレーム内にあり、UEによって受信されたダウンリンクデータに対応するハイブリッド自動再送要求確認応答情報を含む。
【０１９９】
実現可能な方式では、第1のダウンリンク制御情報は第1のタイプのダウンリンク制御情報であり、ターゲット物理アップリンク制御チャネルのリソースは、第1の物理アップリンク制御チャネルリソースセット内の物理アップリンク制御チャネルリソースであるか、または第1のダウンリンク制御情報は第2のタイプのダウンリンク制御情報であり、ターゲット物理アップリンク制御チャネルのリソースは、第2の物理アップリンク制御チャネルリソースセット内の物理アップリンク制御チャネルリソースである。第1のタイプのダウンリンク制御情報はUE固有の物理ダウンリンク制御情報であり、第2のタイプのダウンリンク制御情報は、UEグループ固有の物理ダウンリンク制御情報または共通の物理ダウンリンク制御情報であり、第1の物理アップリンク制御チャネルリソースセットおよび第2の物理アップリンク制御チャネルリソースセットの各々は、UE向けにネットワークデバイスによって構成された物理アップリンク制御チャネルリソースのセットである。
【０２００】
図5は、本発明による、ネットワークデバイスの実施形態2の概略構造図である。図5に示されたように、図4に示された装置構造に基づいて、この実施形態における装置は、第1の構成モジュール23をさらに含んでもよい。第1の構成モジュール23は、UE向けに第1の物理アップリンク制御チャネルリソースセットおよび第2の物理アップリンク制御チャネルリソースセットを別々に構成すること、またはUE向けに第1の物理アップリンク制御チャネルリソースセットを構成することであって、第2の物理アップリンク制御チャネルリソースセットが、第1の物理アップリンク制御チャネルリソースセットのサブセットである、構成することを行うように構成される。
【０２０１】
第1の物理アップリンク制御チャネルリソースセットは少なくとも2つの物理アップリンク制御チャネルリソースを含み、第2の物理アップリンク制御チャネルリソースセットは1つの物理アップリンク制御チャネルリソースを含む。
【０２０２】
場合によっては、第1のダウンリンク制御情報は第2のタイプのダウンリンク制御情報であり、第2の物理アップリンク制御チャネルリソースセットは空のセットであり、受信モジュール22は、第1のアップリンクサブフレーム内で第1のアップリンク制御情報を受信しない。
【０２０３】
別の実現可能な方式では、第1のアップリンクサブフレームは第1のタイプのアップリンクサブフレームであり、ターゲット物理アップリンク制御チャネルのリソースは、第3の物理アップリンク制御チャネルリソースセット内の物理アップリンク制御チャネルリソースであるか、または第1のアップリンクサブフレームは第2のタイプのアップリンクサブフレームであり、ターゲット物理アップリンク制御チャネルのリソースは、第4の物理アップリンク制御チャネルリソースセット内の物理アップリンク制御チャネルリソースである。第1のタイプのアップリンクサブフレームは、UEによって送信された物理アップリンク制御チャネルがR個のシンボルを占有するアップリンクサブフレームであり、第2のタイプのアップリンクサブフレームは、UEによって送信された物理アップリンク制御チャネルがR個より少ないシンボルを占有するアップリンクサブフレームであり、第3の物理アップリンク制御チャネルリソースセットおよび第4の物理アップリンク制御チャネルリソースセットの各々は、UE向けにネットワークデバイスによって構成された物理アップリンク制御チャネルリソースのセットであり、Rは整数である。
【０２０４】
図6は、本発明による、ネットワークデバイスの実施形態3の概略構造図である。図6に示されたように、図4に示された装置構造に基づいて、この実施形態における装置は、第2の構成モジュール24をさらに含んでもよい。第2の構成モジュール24は、UE向けに第3の物理アップリンク制御チャネルリソースセットおよび第4の物理アップリンク制御チャネルリソースセットを別々に構成すること、またはUE向けに第3の物理アップリンク制御チャネルリソースセットを構成することであって、第4の物理アップリンク制御チャネルリソースセットが、第3の物理アップリンク制御チャネルリソースセットのサブセットである、構成することを行うように構成される。
【０２０５】
場合によっては、第1のアップリンクサブフレームは第2のタイプのアップリンクサブフレームであり、第4の物理アップリンク制御チャネルリソースセットは空のセットであり、受信モジュール22は、第1のアップリンクサブフレーム内で第1のアップリンク制御情報を受信しない。
【０２０６】
前述の実施形態では、第1のダウンリンク制御情報は第1の指示情報を含み、第1の指示情報が第1の情報であるとき、第1のダウンリンク制御情報は、ターゲット物理アップリンク制御チャネルを送信するように送信モジュールに指示するために使用され、第1の指示情報が第2の情報であるとき、第1のダウンリンク制御情報は、ターゲット物理アップリンク共有チャネルを送信するように送信モジュールに指示するために使用され、ターゲット物理アップリンク共有チャネルは、アップリンクデータを搬送するか、またはアップリンクデータおよびハイブリッド自動再送要求確認応答情報を搬送する。この設計では、ネットワークデバイスによってUEに送信された第1のダウンリンク制御情報は、ネットワークデバイスによってUEに送信され、アップリンク共有チャネルを送信するようにUEをスケジュールするために使用される制御情報と同じフォーマットであってもよく、その結果、UEによるブラインド検出の複雑さを低減することができる。
【０２０７】
さらに、第1のダウンリンク制御情報は第2の指示情報を含み、第2の指示情報は、送信モジュールによってターゲット物理アップリンク制御チャネルを送信するための第1の電力調整値を示すために使用され、送信モジュールによってターゲット物理アップリンク制御チャネルを送信するための送信電力は、第1の電力調整値によって示される電力調整量を含む。
【０２０８】
さらに、ターゲット物理アップリンク制御チャネルの送信電力は、第2の電力調整値によって示される電力調整量を含み、第2の電力調整値は、第1の制御情報グループに含まれるダウンリンク制御情報内の電力調整フィールドの指示値に従って、端末デバイスによって決定される電力調整値であり、第1の制御情報グループは、第2のサブフレームセット内の各サブフレーム内のダウンリンクデータに対応するダウンリンク制御情報を含み、第2のサブフレームセットは第1のサブフレームセットと同等であるか、または第2のサブフレームセットは、第1のキャリア上に位置する第1のサブフレームセット内のサブフレームのセットであるか、または第2のサブフレームセットは、第1のサブフレームセット内にあり、その中のダウンリンクデータが第1のキャリア上に位置するダウンリンク制御情報に対応する、サブフレームのセットであり、第1のキャリアはターゲット物理アップリンク制御チャネルが位置するキャリアであるか、または第1のキャリアは第1のダウンリンク制御情報が位置するキャリアである。
【０２０９】
場合によっては、第1のキャリアはキャリア構成セット内のキャリアであり、キャリア構成セットは端末デバイスがネットワークデバイスと通信するために構成されたキャリアのセットであり、キャリア構成セットはH個のキャリアを含み、第1のキャリアはキャリア構成セット内のG番目のキャリアであり、GとHの両方は正の整数であり、H≧2、1≦G≦Hであり、Gの値はすべてのサブフレーム内で変わることができる。
【０２１０】
さらに、第2のサブフレームセットは、第1のキャリア上に位置する第1のサブフレームセット内のすべてのサブフレームのセットであるか、または第2のサブフレームセットは、第1のサブフレームセット内にあり、その中のダウンリンクデータが第1のキャリア上に位置するダウンリンク制御情報に対応する、すべてのサブフレームのセットであるか、または第2のサブフレームセットは、第1のキャリア上に位置し、その中の対応するダウンリンク制御情報が第1のキャリア上に位置する、第1のサブフレームセット内のすべてのサブフレームのセットである。
【０２１１】
さらに、第1の制御情報グループ内で同じ時間を示すサブフレーム内のダウンリンク制御情報内の電力調整フィールドの指示値は同じである。
【０２１２】
図4〜図6に示された端末デバイスは、図1に示された方法実施形態における技術的解決策を実行するように構成されてもよい。端末デバイスの実装原理は、方法実施形態における実装原理と同様であり、本明細書では再び記載されない。
【０２１３】
前述の実施形態において提供された端末デバイスでは、第1のサブフレームセット内の各サブフレーム内でUEにダウンリンクデータを送信した後、送信モジュールは、UEにトリガ情報（すなわち、第1のダウンリンク制御情報）を送信して、第1のアップリンクサブフレーム内でターゲット物理アップリンク制御チャネルを送信するようにUEをトリガする。ターゲット物理アップリンク制御チャネルは、第1のサブフレームセット内の各サブフレーム内にあり、UEによって受信されたダウンリンクデータに対応するハイブリッド自動再送要求確認応答情報を含む、第1のアップリンク制御情報を搬送する。受信モジュールは、第1のアップリンクサブフレーム内でUEによって送信されたターゲット物理アップリンク制御チャネルを受信する。このようにして、UEが無認可スペクトルリソース上で物理アップリンク制御チャネルをどのように送信するかという問題が解決される。さらに、UEによって物理アップリンク制御チャネルを送信するためのリソースは、時間領域内の最初のアップリンクサブフレームであり、周波数領域および／または直交符号リソース領域内でネットワークデバイスによって事前構成された物理アップリンク制御チャネルリソースセット内の物理アップリンク制御チャネルリソースであってもよい。第1のダウンリンク制御情報のタイプ（ユニキャストおよびブロードキャスト）に関して、ネットワークデバイスによって事前構成された物理アップリンク制御チャネルリソースセットは互いに独立しており、UEは、第1のダウンリンク制御情報のタイプに基づいて、事前構成された物理アップリンク制御チャネルリソースセットから物理アップリンク制御チャネルリソースを選択することができる。物理アップリンク制御チャネルを送信するための電力調整値は、電力調整値を第1のダウンリンク制御情報に付加することによってUEに送信されてもよく、かつ／または物理アップリンク制御チャネルを送信するための電力調整値は、第1のサブフレームセット内のダウンリンクデータに対応するダウンリンク制御情報を使用して、各キャリア上でターゲット物理アップリンク制御チャネルを送信するための電力調整量を示すことにより、ネットワークデバイスによって実装される。このようにして、UEによって送信されたターゲット物理アップリンク制御チャネルが位置するキャリアがキャリア構成セット内で動的に変わることができるときに物理アップリンク制御チャネルを送信するためのリソースおよび電力調整値をどのように決定するかという問題が解決される。
【０２１４】
図7は、本発明による、端末デバイスの実施形態2の概略構造図である。図7に示されたように、この実施形態における端末デバイスは、受信機31と送信機32とを含んでもよい。受信機31は、第1のサブフレームセット内の各サブフレーム内でネットワークデバイスによって送信されたダウンリンクデータを受信するように構成される。第1のサブフレームセットはN個のサブフレームを含み、N個のサブフレームの各々はダウンリンクフルサブフレームであるか、またはN個のサブフレームのうちのM個はダウンリンク部分サブフレームであり、N個のサブフレームのうちのN−M個はダウンリンクフルサブフレームであり、MはN以下であり、MとNの両方は整数である。受信機31は、ネットワークデバイスによって送信された第1のダウンリンク制御情報を取得するようにさらに構成される。送信機32は、第1のダウンリンク制御情報の指示に従って、第1のアップリンクサブフレーム内でターゲット物理アップリンク制御チャネルを送信するように構成される。ターゲット物理アップリンク制御チャネルは第1のアップリンク制御情報を含み、第1のアップリンク制御情報は、第1のサブフレームセット内の各サブフレーム内にあり、受信機31によって受信されたダウンリンクデータに対応するハイブリッド自動再送要求確認応答情報を含む。
【０２１５】
実現可能な方式では、第1のダウンリンク制御情報は第1のタイプのダウンリンク制御情報であり、ターゲット物理アップリンク制御チャネルのリソースは、第1の物理アップリンク制御チャネルリソースセット内の物理アップリンク制御チャネルリソースであるか、または第1のダウンリンク制御情報は第2のタイプのダウンリンク制御情報であり、ターゲット物理アップリンク制御チャネルのリソースは、第2の物理アップリンク制御チャネルリソースセット内の物理アップリンク制御チャネルリソースである。第1のタイプのダウンリンク制御情報は端末デバイス固有の物理ダウンリンク制御情報であり、第2のタイプのダウンリンク制御情報は、端末デバイスグループ固有の物理ダウンリンク制御情報または共通の物理ダウンリンク制御情報であり、第1の物理アップリンク制御チャネルリソースセットおよび第2の物理アップリンク制御チャネルリソースセットの各々は、端末デバイス向けにネットワークデバイスによって構成された物理アップリンク制御チャネルリソースのセットである。
【０２１６】
さらに、第1の物理アップリンク制御チャネルリソースセットおよび第2の物理アップリンク制御チャネルリソースセットは、端末デバイス向けにネットワークデバイスによって別々に構成されたセットであるか、または第1の物理アップリンク制御チャネルリソースセットは、端末デバイス向けにネットワークデバイスによって構成されたセットであり、第2の物理アップリンク制御チャネルリソースセットは、第1の物理アップリンク制御チャネルリソースセットのサブセットである。
【０２１７】
場合によっては、第1の物理アップリンク制御チャネルリソースセットは少なくとも2つの物理アップリンク制御チャネルリソースを含み、第2の物理アップリンク制御チャネルリソースセットは1つの物理アップリンク制御チャネルリソースを含む。
【０２１８】
場合によっては、第1のダウンリンク制御情報は第2のタイプのダウンリンク制御情報であり、第2の物理アップリンク制御チャネルリソースセットは空のセットであり、送信機32は、第1のアップリンクサブフレーム内で第1のアップリンク制御情報を送信しない。
【０２１９】
別の実現可能な方式では、第1のアップリンクサブフレームは第1のタイプのアップリンクサブフレームであり、ターゲット物理アップリンク制御チャネルのリソースは、第3の物理アップリンク制御チャネルリソースセット内の物理アップリンク制御チャネルリソースであるか、または第1のアップリンクサブフレームは第2のタイプのアップリンクサブフレームであり、ターゲット物理アップリンク制御チャネルのリソースは、第4の物理アップリンク制御チャネルリソースセット内の物理アップリンク制御チャネルリソースである。第1のタイプのアップリンクサブフレームは、送信機32によって送信された物理アップリンク制御チャネルがR個のシンボルを占有するアップリンクサブフレームであり、第2のタイプのアップリンクサブフレームは、送信機32によって送信された物理アップリンク制御チャネルがR個より少ないシンボルを占有するアップリンクサブフレームであり、第3の物理アップリンク制御チャネルリソースセットおよび第4の物理アップリンク制御チャネルリソースセットの各々は、端末デバイス向けにネットワークデバイスによって構成された物理アップリンク制御チャネルリソースのセットであり、Rは整数である。
【０２２０】
さらに、第3の物理アップリンク制御チャネルリソースセットおよび第4の物理アップリンク制御チャネルリソースセットは、端末デバイス向けにネットワークデバイスによって別々に構成されたセットであるか、または第3の物理アップリンク制御チャネルリソースセットは、端末デバイス向けにネットワークデバイスによって構成されたセットであり、第4の物理アップリンク制御チャネルリソースセットは、第3の物理アップリンク制御チャネルリソースセットのサブセットである。
【０２２１】
場合によっては、第1のアップリンクサブフレームは第2のタイプのアップリンクサブフレームであり、第4の物理アップリンク制御チャネルリソースセットは空のセットであり、送信機32は、第1のアップリンクサブフレーム内で第1のアップリンク制御情報を送信しない。
【０２２２】
前述の実施形態では、第1のダウンリンク制御情報は第1の指示情報を含み、第1の指示情報が第1の情報であるとき、第1のダウンリンク制御情報は、ターゲット物理アップリンク制御チャネルを送信するように送信機32に指示するために使用され、第1の指示情報が第2の情報であるとき、第1のダウンリンク制御情報は、ターゲット物理アップリンク共有チャネルを送信するように送信機32に指示するために使用され、ターゲット物理アップリンク共有チャネルは、アップリンクデータを搬送するか、またはアップリンクデータおよびハイブリッド自動再送要求確認応答情報を搬送する。この設計では、ネットワークデバイスによってUEに送信された第1のダウンリンク制御情報は、ネットワークデバイスによってUEに送信され、アップリンク共有チャネルを送信するようにUEをスケジュールするために使用される制御情報と同じフォーマットであってもよく、その結果、UEによるブラインド検出の複雑さを低減することができる。
【０２２３】
さらに、第1のダウンリンク制御情報は第2の指示情報を含み、第2の指示情報は、送信機32によってターゲット物理アップリンク制御チャネルを送信するための第1の電力調整値を示すために使用され、送信機32によってターゲット物理アップリンク制御チャネルを送信するための送信電力は、第1の電力調整値によって示される電力調整量を含む。
【０２２４】
さらに、ターゲット物理アップリンク制御チャネルの送信電力は、第2の電力調整値によって示される電力調整量を含み、第2の電力調整値は、第1の制御情報グループに含まれるダウンリンク制御情報内の電力調整フィールドの指示値に従って、端末デバイスによって決定される電力調整値であり、第1の制御情報グループは、第2のサブフレームセット内の各サブフレーム内のダウンリンクデータに対応するダウンリンク制御情報を含み、第2のサブフレームセットは第1のサブフレームセットと同等であるか、または第2のサブフレームセットは、第1のキャリア上に位置する第1のサブフレームセット内のサブフレームのセットであるか、または第2のサブフレームセットは、第1のサブフレームセット内にあり、その中のダウンリンクデータが第1のキャリア上に位置するダウンリンク制御情報に対応する、サブフレームのセットであり、第1のキャリアはターゲット物理アップリンク制御チャネルが位置するキャリアであるか、または第1のキャリアは第1のダウンリンク制御情報が位置するキャリアである。
【０２２５】
場合によっては、第1のキャリアはキャリア構成セット内のキャリアであり、キャリア構成セットは端末デバイスがネットワークデバイスと通信するために構成されたキャリアのセットであり、キャリア構成セットはH個のキャリアを含み、第1のキャリアはキャリア構成セット内のG番目のキャリアであり、GとHの両方は正の整数であり、H≧2、1≦G≦Hであり、Gの値はすべてのサブフレーム内で変わることができる。
【０２２６】
さらに、第2のサブフレームセットは、第1のキャリア上に位置する第1のサブフレームセット内のすべてのサブフレームのセットであるか、または第2のサブフレームセットは、第1のサブフレームセット内にあり、その中のダウンリンクデータが第1のキャリア上に位置するダウンリンク制御情報に対応する、すべてのサブフレームのセットであるか、または第2のサブフレームセットは、第1のキャリア上に位置し、その中の対応するダウンリンク制御情報が第1のキャリア上に位置する、第1のサブフレームセット内のすべてのサブフレームのセットである。
【０２２７】
さらに、第1の制御情報グループ内で同じ時間を示すサブフレーム内のダウンリンク制御情報内の電力調整フィールドの指示値は同じである。
【０２２８】
この実施形態における端末デバイスは、図1に示された方法実施形態における技術的解決策を実行するように構成されてもよい。端末デバイスの実装原理は、方法実施形態における実装原理と同様であり、本明細書では再び記載されない。
【０２２９】
本発明のこの実施形態において提供される端末デバイスでは、第1のサブフレームセット内の各サブフレーム内でネットワークデバイスによって送信されたダウンリンクデータを受信した後、受信機は、ネットワークデバイスによって送信されたトリガ情報（すなわち、第1のダウンリンク制御情報）を取得して、第1のアップリンクサブフレーム内でターゲット物理アップリンク制御チャネルを送信するように送信機をトリガする。ターゲット物理アップリンク制御チャネルは、第1のサブフレームセット内の各サブフレーム内にあり、UEによって受信されたダウンリンクデータに対応するハイブリッド自動再送要求確認応答情報を含む、第1のアップリンク制御情報を搬送する。このようにして、UEが無認可スペクトルリソース上で物理アップリンク制御チャネルをどのように送信するかという問題が解決される。さらに、UEによって物理アップリンク制御チャネルを送信するためのリソースは、時間領域内の最初のアップリンクサブフレームであり、周波数領域および／または直交符号リソース領域内でネットワークデバイスによって事前構成された物理アップリンク制御チャネルリソースセット内の物理アップリンク制御チャネルリソースであってもよい。第1のダウンリンク制御情報のタイプ（ユニキャストおよびブロードキャスト）に関して、ネットワークデバイスによって事前構成された物理アップリンク制御チャネルリソースセットは互いに独立しており、UEは、第1のダウンリンク制御情報のタイプに基づいて、事前構成された物理アップリンク制御チャネルリソースセットから物理アップリンク制御チャネルリソースを選択することができる。物理アップリンク制御チャネルを送信するための電力調整値は、電力調整値を第1のダウンリンク制御情報に付加することによってUEに送信されてもよく、かつ／または物理アップリンク制御チャネルを送信するための電力調整値は、第1のサブフレームセット内のダウンリンクデータに対応するダウンリンク制御情報を使用して、各キャリア上でターゲット物理アップリンク制御チャネルを送信するための電力調整量を示すことにより、ネットワークデバイスによって実装される。このようにして、UEによって送信されたターゲット物理アップリンク制御チャネルが位置するキャリアがキャリア構成セット内で動的に変わることができるときに物理アップリンク制御チャネルを送信するためのリソースおよび電力調整値をどのように決定するかという問題が解決される。
【０２３０】
図8は、本発明による、ネットワークデバイスの実施形態4の概略構造図である。図8に示されたように、この実施形態におけるネットワークデバイスは、送信機41と受信機42とを含んでもよい。送信機41は、第1のサブフレームセット内の各サブフレーム内で端末デバイスUEにダウンリンクデータを送信するように構成される。第1のサブフレームセットはN個のサブフレームを含み、N個のサブフレームの各々はダウンリンクフルサブフレームであるか、またはN個のサブフレームのうちのM個はダウンリンク部分サブフレームであり、N個のサブフレームのうちのN−M個はダウンリンクフルサブフレームであり、MはN以下であり、MとNの両方は整数である。送信機41は、第1のダウンリンク制御情報をUEに送信するようにさらに構成される。受信機42は、第1のダウンリンク制御情報の指示に従って、第1のアップリンクサブフレーム内でUEによって送信されたターゲット物理アップリンク制御チャネルを受信するように構成される。ターゲット物理アップリンク制御チャネルは第1のアップリンク制御情報を含み、第1のアップリンク制御情報は、第1のサブフレームセット内の各サブフレーム内にあり、UEによって受信されたダウンリンクデータに対応するハイブリッド自動再送要求確認応答情報を含む。
【０２３１】
実現可能な方式では、第1のダウンリンク制御情報は第1のタイプのダウンリンク制御情報であり、ターゲット物理アップリンク制御チャネルのリソースは、第1の物理アップリンク制御チャネルリソースセット内の物理アップリンク制御チャネルリソースであるか、または第1のダウンリンク制御情報は第2のタイプのダウンリンク制御情報であり、ターゲット物理アップリンク制御チャネルのリソースは、第2の物理アップリンク制御チャネルリソースセット内の物理アップリンク制御チャネルリソースである。第1のタイプのダウンリンク制御情報はUE固有の物理ダウンリンク制御情報であり、第2のタイプのダウンリンク制御情報は、UEグループ固有の物理ダウンリンク制御情報または共通の物理ダウンリンク制御情報であり、第1の物理アップリンク制御チャネルリソースセットおよび第2の物理アップリンク制御チャネルリソースセットの各々は、UE向けにネットワークデバイスによって構成された物理アップリンク制御チャネルリソースのセットである。
【０２３２】
図9は、本発明による、ネットワークデバイスの実施形態5の概略構造図である。図9に示されたように、図8に示された装置構造に基づいて、この実施形態における装置は、第1のプロセッサ43をさらに含んでもよい。第1のプロセッサ43は、UE向けに第1の物理アップリンク制御チャネルリソースセットおよび第2の物理アップリンク制御チャネルリソースセットを別々に構成すること、またはUE向けに第1の物理アップリンク制御チャネルリソースセットを構成することであって、第2の物理アップリンク制御チャネルリソースセットが、第1の物理アップリンク制御チャネルリソースセットのサブセットである、構成することを行うように構成される。
【０２３３】
第1の物理アップリンク制御チャネルリソースセットは少なくとも2つの物理アップリンク制御チャネルリソースを含み、第2の物理アップリンク制御チャネルリソースセットは1つの物理アップリンク制御チャネルリソースを含む。
【０２３４】
場合によっては、第1のダウンリンク制御情報は第2のタイプのダウンリンク制御情報であり、第2の物理アップリンク制御チャネルリソースセットは空のセットであり、受信機42は、第1のアップリンクサブフレーム内で第1のアップリンク制御情報を受信しない。
【０２３５】
別の実現可能な方式では、第1のアップリンクサブフレームは第1のタイプのアップリンクサブフレームであり、ターゲット物理アップリンク制御チャネルのリソースは、第3の物理アップリンク制御チャネルリソースセット内の物理アップリンク制御チャネルリソースであるか、または第1のアップリンクサブフレームは第2のタイプのアップリンクサブフレームであり、ターゲット物理アップリンク制御チャネルのリソースは、第4の物理アップリンク制御チャネルリソースセット内の物理アップリンク制御チャネルリソースである。第1のタイプのアップリンクサブフレームは、UEによって送信された物理アップリンク制御チャネルがR個のシンボルを占有するアップリンクサブフレームであり、第2のタイプのアップリンクサブフレームは、UEによって送信された物理アップリンク制御チャネルがR個より少ないシンボルを占有するアップリンクサブフレームであり、第3の物理アップリンク制御チャネルリソースセットおよび第4の物理アップリンク制御チャネルリソースセットの各々は、UE向けにネットワークデバイスによって構成された物理アップリンク制御チャネルリソースのセットであり、Rは整数である。
【０２３６】
図10は、本発明による、ネットワークデバイスの実施形態6の概略構造図である。図10に示されたように、図8に示された装置構造に基づいて、この実施形態における装置は、第2のプロセッサ44をさらに含んでもよい。第2のプロセッサ44は、UE向けに第3の物理アップリンク制御チャネルリソースセットおよび第4の物理アップリンク制御チャネルリソースセットを別々に構成すること、またはUE向けに第3の物理アップリンク制御チャネルリソースセットを構成することであって、第4の物理アップリンク制御チャネルリソースセットが、第3の物理アップリンク制御チャネルリソースセットのサブセットである、構成することを行うように構成される。
【０２３７】
場合によっては、第1のアップリンクサブフレームは第2のタイプのアップリンクサブフレームであり、第4の物理アップリンク制御チャネルリソースセットは空のセットであり、受信機42は、第1のアップリンクサブフレーム内で第1のアップリンク制御情報を受信しない。
【０２３８】
前述の実施形態では、第1のダウンリンク制御情報は第1の指示情報を含み、第1の指示情報が第1の情報であるとき、第1のダウンリンク制御情報は、ターゲット物理アップリンク制御チャネルを送信するように送信機41に指示するために使用され、第1の指示情報が第2の情報であるとき、第1のダウンリンク制御情報は、ターゲット物理アップリンク共有チャネルを送信するように送信機41に指示するために使用され、ターゲット物理アップリンク共有チャネルは、アップリンクデータを搬送するか、またはアップリンクデータおよびハイブリッド自動再送要求確認応答情報を搬送する。この設計では、ネットワークデバイスによってUEに送信された第1のダウンリンク制御情報は、ネットワークデバイスによってUEに送信され、アップリンク共有チャネルを送信するようにUEをスケジュールするために使用される制御情報と同じフォーマットであってもよく、その結果、UEによるブラインド検出の複雑さを低減することができる。
【０２３９】
さらに、第1のダウンリンク制御情報は第2の指示情報を含み、第2の指示情報は、送信機41によってターゲット物理アップリンク制御チャネルを送信するための第1の電力調整値を示すために使用され、送信機41によってターゲット物理アップリンク制御チャネルを送信するための送信電力は、第1の電力調整値によって示される電力調整量を含む。
【０２４０】
さらに、ターゲット物理アップリンク制御チャネルの送信電力は、第2の電力調整値によって示される電力調整量を含み、第2の電力調整値は、第1の制御情報グループに含まれるダウンリンク制御情報内の電力調整フィールドの指示値に従って、端末デバイスによって決定される電力調整値であり、第1の制御情報グループは、第2のサブフレームセット内の各サブフレーム内のダウンリンクデータに対応するダウンリンク制御情報を含み、第2のサブフレームセットは第1のサブフレームセットと同等であるか、または第2のサブフレームセットは、第1のキャリア上に位置する第1のサブフレームセット内のサブフレームのセットであるか、または第2のサブフレームセットは、第1のサブフレームセット内にあり、その中のダウンリンクデータが第1のキャリア上に位置するダウンリンク制御情報に対応する、サブフレームのセットであり、第1のキャリアはターゲット物理アップリンク制御チャネルが位置するキャリアであるか、または第1のキャリアは第1のダウンリンク制御情報が位置するキャリアである。
【０２４１】
場合によっては、第1のキャリアはキャリア構成セット内のキャリアであり、キャリア構成セットは端末デバイスがネットワークデバイスと通信するために構成されたキャリアのセットであり、キャリア構成セットはH個のキャリアを含み、第1のキャリアはキャリア構成セット内のG番目のキャリアであり、GとHの両方は正の整数であり、H≧2、1≦G≦Hであり、Gの値はすべてのサブフレーム内で変わることができる。
【０２４２】
さらに、第2のサブフレームセットは、第1のキャリア上に位置する第1のサブフレームセット内のすべてのサブフレームのセットであるか、または第2のサブフレームセットは、第1のサブフレームセット内にあり、その中のダウンリンクデータが第1のキャリア上に位置するダウンリンク制御情報に対応する、すべてのサブフレームのセットであるか、または第2のサブフレームセットは、第1のキャリア上に位置し、その中の対応するダウンリンク制御情報が第1のキャリア上に位置する、第1のサブフレームセット内のすべてのサブフレームのセットである。
【０２４３】
さらに、第1の制御情報グループ内で同じ時間を示すサブフレーム内のダウンリンク制御情報内の電力調整フィールドの指示値は同じである。
【０２４４】
図8〜図10に示された端末デバイスは、図1に示された方法実施形態における技術的解決策を実行するように構成されてもよい。端末デバイスの実装原理は、方法実施形態における実装原理と同様であり、本明細書では再び記載されない。
【０２４５】
前述の実施形態において提供された端末デバイスでは、第1のサブフレームセット内の各サブフレーム内でUEにダウンリンクデータを送信した後、送信機は、UEにトリガ情報（すなわち、第1のダウンリンク制御情報）を送信して、第1のアップリンクサブフレーム内でターゲット物理アップリンク制御チャネルを送信するようにUEをトリガする。ターゲット物理アップリンク制御チャネルは、第1のサブフレームセット内の各サブフレーム内にあり、UEによって受信されたダウンリンクデータに対応するハイブリッド自動再送要求確認応答情報を含む、第1のアップリンク制御情報を搬送する。受信機は、第1のアップリンクサブフレーム内でUEによって送信されたターゲット物理アップリンク制御チャネルを受信する。このようにして、UEが無認可スペクトルリソース上で物理アップリンク制御チャネルをどのように送信するかという問題が解決される。さらに、UEによって物理アップリンク制御チャネルを送信するためのリソースは、時間領域内の最初のアップリンクサブフレームであり、周波数領域および／または直交符号リソース領域内でネットワークデバイスによって事前構成された物理アップリンク制御チャネルリソースセット内の物理アップリンク制御チャネルリソースであってもよい。第1のダウンリンク制御情報のタイプ（ユニキャストおよびブロードキャスト）に関して、ネットワークデバイスによって事前構成された物理アップリンク制御チャネルリソースセットは互いに独立しており、UEは、第1のダウンリンク制御情報のタイプに基づいて、事前構成された物理アップリンク制御チャネルリソースセットから物理アップリンク制御チャネルリソースを選択することができる。物理アップリンク制御チャネルを送信するための電力調整値は、電力調整値を第1のダウンリンク制御情報に付加することによってUEに送信されてもよく、かつ／または物理アップリンク制御チャネルを送信するための電力調整値は、第1のサブフレームセット内のダウンリンクデータに対応するダウンリンク制御情報を使用して、各キャリア上でターゲット物理アップリンク制御チャネルを送信するための電力調整量を示すことにより、ネットワークデバイスによって実装される。このようにして、UEによって送信されたターゲット物理アップリンク制御チャネルが位置するキャリアがキャリア構成セット内で動的に変わることができるときに物理アップリンク制御チャネルを送信するためのリソースおよび電力調整値をどのように決定するかという問題が解決される。
【０２４６】
図11は、本発明による、アップリンク制御チャネル送受信方法の実施形態2の概略フローチャートである。図11に示されたように、この実施形態における方法は以下のステップを含む。
【０２４７】
S201．ネットワークデバイスが第1のサブフレームセット内の各サブフレーム内で端末デバイスUEにダウンリンクデータを送信し、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数である。
【０２４８】
具体的には、S201における実装形態は、S101に記載された実装形態と同じであり、本明細書では再び記載されない。
【０２４９】
S202．ネットワークデバイスがUEに第1のダウンリンク制御情報を送信する。
【０２５０】
具体的には、S202における実装形態は、S102に記載された実装形態と同じであり、本明細書では再び記載されない。
【０２５１】
S203．UEが第1のサブフレームセット内の各サブフレーム内でネットワークデバイスによって送信されたダウンリンクデータを受信し、UEがネットワークデバイスによって送信された第1のダウンリンク制御情報を取得する。
【０２５２】
S201およびS202に記載されたように、UEは、第1のサブフレームセット内の各サブフレーム内でネットワークデバイスによってUEに送信されたダウンリンクデータを受信し、ネットワークデバイスによって送信された第1のダウンリンク制御情報を取得することができる。
【０２５３】
S204．UEが、リソース割振りインデックス値に基づいて、第1のダウンリンク制御情報の指示に従って、第1のアップリンクサブフレーム内のターゲット物理アップリンク制御チャネルリソース上で第1のアップリンク制御情報を送信するべきかどうかを判定する。
【０２５４】
第1のダウンリンク制御情報を取得した後、UEは、リソース割振りインデックス値に基づいて、第1のダウンリンク制御情報の指示に従って、第1のアップリンクサブフレーム内のターゲット物理アップリンク制御チャネルリソース上で第1のアップリンク制御情報を送信するべきかどうかを判定する。本明細書では、リソース割振りインデックス値は、第1のサブフレームセット内のいくつかまたはすべてのサブフレーム内のダウンリンクデータに対応するダウンリンク制御情報内の指示情報である。第1のアップリンク制御情報は、第1のサブフレームセット内の各サブフレーム内にあり、UEによって受信されたダウンリンクデータに対応するハイブリッド自動再送要求確認応答情報を含む。
【０２５５】
具体的には、リソース割振りインデックス値は、ターゲット物理アップリンク制御チャネルリソースを決定するためにUEによって使用される。リソース割振りインデックス値は、第1のタイプのインデックス値または第2のタイプのインデックス値である。第1のタイプのインデックス値は、基準物理アップリンク制御チャネルリソースセット内のターゲット物理アップリンク制御チャネルリソースのインデックス値に対応する。第2のタイプのインデックス値は、ターゲット物理アップリンク制御チャネルリソースが存在しないことを示す。基準物理アップリンク制御チャネルリソースセットは、UE向けにネットワークデバイスによって構成された物理アップリンク制御チャネルリソースのセットである。
【０２５６】
第1のダウンリンク制御情報を取得した後、UEは、リソース割振りインデックス値に基づいて、第1のダウンリンク制御情報の指示に従って、第1のアップリンクサブフレーム内のターゲット物理アップリンク制御チャネルリソース上で第1のアップリンク制御情報を送信することを決定するか、または第1のアップリンクサブフレーム内で第1のアップリンク制御情報を送信しないことを決定する。一実装形態では、リソース割振りインデックス値が第1のタイプのインデックス値である場合、UEは、第1のアップリンクサブフレーム内にあり、リソース割振りインデックス値に対応するターゲット物理アップリンク制御チャネルリソース上で第1のアップリンク制御情報を送信するか、またはリソース割振りインデックス値が第2のタイプのインデックス値である場合、UEは、第1のアップリンクサブフレーム内で第1のアップリンク制御情報を送信しない。
【０２５７】
第2のタイプのインデックス値は、ターゲット物理アップリンク制御チャネルリソースが存在しないことを示すことに留意されたい。可能な実装形態では、ネットワークデバイスは、UE向けに基準物理アップリンク制御チャネルリソースセットを構成し、基準物理アップリンク制御チャネルリソースセットは、Np個の物理アップリンク制御チャネルリソースを含む。第1のタイプのインデックス値は、Np個の物理アップリンク制御チャネルリソースのうちのどれがターゲット物理アップリンク制御チャネルリソースであるか、すなわち、基準物理アップリンク制御チャネルリソースセット内のターゲット物理アップリンク制御チャネルリソースのインデックス値を示す。第2のタイプのインデックス値は、ターゲット物理アップリンク制御チャネルリソースが存在しないことを示すリソース割振りインデックス値に対応する。Np＝3の一例では、リソース割振りインデックス値は、以下の表に示されたように、2ビットの指示情報によって示されてもよい。
【０２５８】
【表２】
2019520759.tif 000008
【０２５９】
第2のタイプのインデックス値は、ターゲット物理アップリンク制御チャネルリソースが存在しないことを示すことに留意されたい。別の可能な実装形態では、ネットワークデバイスは、UE向けにNp個の物理アップリンク制御チャネルリソースを構成するが、第2のタイプのインデックス値であるリソース割振りインデックス値は、ターゲット物理アップリンク制御チャネルリソースのインデックス番号が、Np個の物理アップリンク制御チャネルリソースのうちのいずれか1つに対応するインデックス番号ではないことを示す。現在のリソース割振りインデックス値が第2のタイプのインデックス値であるとUEが判断した場合、UEは、ターゲット物理アップリンク制御チャネルリソースが存在しないと判断する。Np＝3である場合、UE向けにネットワークデバイスによって構成された3つの物理アップリンク制御チャネルリソースのインデックス番号は、01、10、および11である。現在のリソース割振りインデックス値が01、10、および11のどれでもないとUEが判断した場合、UEは、ターゲット物理アップリンク制御チャネルリソースが存在しないと判断する。Np＝2である場合、UE向けにネットワークデバイスによって構成された2つの物理アップリンク制御チャネルリソースのインデックス番号は、10および11である。現在のリソース割振りインデックス値が10でも11でもないとUEが判断した場合、UEは、ターゲット物理アップリンク制御チャネルリソースが存在しないと判断する。
【０２６０】
すなわち、UEは、リソース割振りインデックス値に基づいて、ターゲット物理アップリンク制御チャネルリソースが存在しないか、またはターゲット物理アップリンク制御チャネルリソースが基準物理アップリンク制御チャネルリソースセット内の物理アップリンク制御チャネルリソースであると判断することができる。リソース割振りインデックス値に基づいて、ターゲット物理アップリンク制御チャネルリソースが存在しないとUEが判断した場合、UEは、第1のダウンリンク制御情報を受信した場合でも、第1のダウンリンク制御情報に対応する第1のアップリンクサブフレーム内で第1のアップリンク制御情報を送信しない。
【０２６１】
リソース割振りインデックス値に基づいて、ターゲット物理アップリンク制御チャネルリソースが基準物理アップリンク制御チャネルリソースセット内の物理アップリンク制御チャネルリソースであるとUEが判断した場合、UEは、第1のアップリンクサブフレーム内のターゲット物理アップリンク制御情報上で第1のアップリンク制御情報を送信する。好ましくは、本明細書における第1のダウンリンク制御情報は、UEグループ固有の物理ダウンリンク制御情報または共通の物理ダウンリンク制御情報である。
【０２６２】
場合によっては、リソース割振りインデックス値は、第1のサブフレームセット内のいくつかまたはすべてのサブフレーム内のダウンリンクデータに対応するダウンリンク制御情報内の指示情報である。ネットワークデバイスによってUEに送信され、ダウンリンクデータをスケジュールするために使用されるダウンリンク制御情報は、リソース割振りインデックスフィールドを含む。具体的には、リソース割振りインデックス値は、第3の制御情報グループ内のダウンリンク制御情報を使用してUEによって決定される。第3の制御情報グループは、第3のサブフレームセット内の各サブフレーム内にダウンリンクデータに対応するダウンリンク制御情報を含む。本明細書では、第3のサブフレームセットは第1のサブフレームセットと同等であるか、または第3のサブフレームセットは、第1のキャリア上に位置する第1のサブフレームセット内のサブフレームのセットであるか、または第3のサブフレームセットは、第1のサブフレームセット内にあり、その中のダウンリンクデータが第1のキャリア上に位置するダウンリンク制御情報に対応するサブフレームのセットである。第1のキャリアは、ターゲット物理アップリンク制御チャネルが位置するキャリアであるか、または第1のキャリアは、ネットワークデバイスによって第1のダウンリンク制御情報を送信するためのキャリアである。
【０２６３】
場合によっては、第1のキャリアはキャリア構成セット内のキャリアである。本明細書では、キャリア構成セットは、UEがネットワークデバイスと通信するために構成されたキャリアのセットであり、キャリア構成セットはH個のキャリアを含む。第1のキャリアはキャリア構成セット内のG番目のキャリアであり、ここで、GとHの両方は正の整数であり、H≧2、1≦G≦Hであり、Gの値はすべてのサブフレーム内で変わることができる。
【０２６４】
場合によっては、リソース割振りインデックス値は、第3の制御情報グループ内のダウンリンク制御情報を使用してUEによって決定される。場合によっては、第3の制御情報グループ内で同じ時間を示すサブフレーム内のダウンリンク制御情報内のリソース割振りインデックスフィールドの指示値は同じである。たとえば、第3の制御情報グループは、キャリアA上のT1番目のサブフレーム、キャリアA上のT2番目のサブフレーム、キャリアA上のT4番目のサブフレーム、キャリアB上のT1番目のサブフレーム、およびキャリアB上のT4番目のサブフレーム内のダウンリンク制御情報を含む。キャリアA上のT1番目のサブフレームとキャリアB上のT1番目のサブフレームは同じ時間を示すので、キャリアA上のT1番目のサブフレームおよびキャリアB上のT1番目のサブフレーム内のダウンリンク制御情報内のリソース割振りインデックスフィールドの指示値は同じである。同様に、キャリアA上のT4番目のサブフレームおよびキャリアB上のT4番目のサブフレーム内のダウンリンク制御情報内のリソース割振りインデックスフィールドの指示値は同じである。
【０２６５】
UEは、第3の制御情報グループ内のすべてまたは一部のダウンリンク制御情報に基づいて、リソース割振りインデックス値を決定することができる。場合によっては、リソース割振りインデックス値は、第3の制御情報グループ内の最後のサブフレーム位置にあるダウンリンク制御情報内のリソース割振りインデックスフィールドの指示値を使用して決定される。たとえば、第3の制御情報グループは、キャリアA上のT1番目のサブフレーム、キャリアA上のT2番目のサブフレーム、キャリアA上のT4番目のサブフレーム、キャリアB上のT1番目のサブフレーム、およびキャリアB上のT4番目のサブフレーム内のダウンリンク制御情報を含む。T1＜T2＜T3＜T4である場合、リソース割振りインデックス値は、キャリアA上のT4サブフレーム内のダウンリンク制御情報内のリソース割振りインデックスフィールドの指示値を使用して決定される（言い換えれば、2つは同等なので、リソース割振りインデックス値は、キャリアB上のT4サブフレーム内のダウンリンク制御情報内のリソース割振りインデックスフィールドの指示値を使用して決定される）。
【０２６６】
さらに、UEが第1のアップリンクサブフレーム内のターゲット物理アップリンク制御チャネルリソース上で第1のアップリンク制御情報を送信する場合、UEの対応する送信電力については、S104においてUEによってターゲット物理アップリンク制御チャネルを送信するための送信電力を決定するための方法を参照されたい。詳細は本明細書では再び記載されない。
【０２６７】
S205．ネットワークデバイスが、第1のアップリンクサブフレーム内のターゲット物理アップリンク制御チャネルリソース上で、UEによって送信された第1のアップリンク制御情報を受信するか、またはネットワークデバイスが、第1のアップリンクサブフレーム内のターゲット物理アップリンク制御チャネルリソース上で第1のアップリンク制御情報を受信しない。
【０２６８】
本発明のこの実施形態において提供されるアップリンク制御チャネル送受信方法では、第1のサブフレームセット内の各サブフレーム内でUEにダウンリンクデータを送信した後、ネットワークデバイスは、UEにトリガ情報（すなわち、第1のダウンリンク制御情報）を送信して、第1のアップリンクサブフレーム内でターゲット物理アップリンク制御チャネルを送信するようにUEをトリガする。ターゲット物理アップリンク制御チャネルは、第1のサブフレームセット内の各サブフレーム内にあり、UEによって受信されたダウンリンクデータに対応するハイブリッド自動再送要求確認応答情報を含む、第1のアップリンク制御情報を搬送する。本発明のこの実施形態における方法では、ネットワークデバイスが、UEグループ固有のダウンリンク制御情報または共通のダウンリンク制御情報を使用して、同じアップリンクサブフレーム内でターゲット物理アップリンク制御チャネルを送信するように複数のUEに指示するとき、同じ時間周波数リソース上でターゲット物理アップリンク制御チャネルを送信するUEの数が、時間周波数リソースを多重化することができるサポートされたUEの数を超えた場合、ネットワークデバイスは、ターゲット物理アップリンク制御チャネルが存在しないことを示す第2のインデックス値に、いくつかのUEのリソース割振りインデックス値を設定することができる。このようにして、複数のUEによってターゲット物理アップリンク制御チャネルを送信することによって引き起こされる相互干渉の問題が解決される。
【０２６９】
図12は、本発明による、端末デバイスの実施形態3の概略構造図である。図12に示されたように、この実施形態における端末デバイスは、受信モジュール51と送信モジュール52とを含む。受信モジュール51は、第1のサブフレームセット内の各サブフレーム内でネットワークデバイスによって送信されたダウンリンクデータを受信するように構成される。第1のサブフレームセットはN個のサブフレームを含み、N個のサブフレームの各々はダウンリンクフルサブフレームであるか、またはN個のサブフレームのうちのM個はダウンリンク部分サブフレームであり、N個のサブフレームのうちのN−M個はダウンリンクフルサブフレームであり、MはN以下であり、MとNの両方は整数である。受信モジュール51は、ネットワークデバイスによって送信された第1のダウンリンク制御情報を取得するようにさらに構成される。送信モジュール52は、リソース割振りインデックス値に基づいて、第1のダウンリンク制御情報の指示に従って、第1のアップリンクサブフレーム内のターゲット物理アップリンク制御チャネルリソース上で第1のアップリンク制御情報を送信するべきかどうかを判定するように構成される。リソース割振りインデックス値は、ターゲット物理アップリンク制御チャネルリソースを決定するためにUEによって使用され、第1のアップリンク制御情報は、第1のサブフレームセット内の各サブフレーム内にあり、UEによって受信されたダウンリンクデータに対応するハイブリッド自動再送要求確認応答情報を含む。
【０２７０】
リソース割振りインデックス値は、第1のサブフレームセット内のいくつかまたはすべてのサブフレーム内のダウンリンクデータに対応するダウンリンク制御情報内の指示情報である。
【０２７１】
場合によっては、リソース割振りインデックス値は第1のタイプのインデックス値または第2のタイプのインデックス値であり、第1のタイプのインデックス値は、基準物理アップリンク制御チャネルリソースセット内のターゲット物理アップリンク制御チャネルリソースのインデックス値に対応し、第2のタイプのインデックス値は、ターゲット物理アップリンク制御チャネルリソースが存在しないことを示し、基準物理アップリンク制御チャネルリソースセットは、UE向けにネットワークデバイスによって構成された物理アップリンク制御チャネルリソースのセットである。送信モジュール52は、具体的に、リソース割振りインデックス値が第1のタイプのインデックス値である場合、第1のアップリンクサブフレーム内にあり、リソース割振りインデックス値に対応するターゲット物理アップリンク制御チャネルリソース上で第1のアップリンク制御情報を送信するか、またはリソース割振りインデックス値が第2のタイプのインデックス値である場合、第1のアップリンクサブフレーム内で第1のアップリンク制御情報を送信することをスキップするように構成される。
【０２７２】
この実施形態における端末デバイスは、図11に示された方法実施形態における技術的解決策を実行するように構成されてもよい。端末デバイスの実装原理および技術的効果は、方法実施形態におけるそれらと同様であり、本明細書では再び記載されない。
【０２７３】
図13は、本発明による、ネットワークデバイスの実施形態7の概略構造図である。図13に示されたように、この実施形態におけるネットワークデバイスは、送信モジュール61と受信モジュール62とを含んでもよい。送信モジュール61は、第1のサブフレームセット内の各サブフレーム内で端末デバイスUEにダウンリンクデータを送信するように構成される。第1のサブフレームセットはN個のサブフレームを含み、N個のサブフレームの各々はダウンリンクフルサブフレームであるか、またはN個のサブフレームのうちのM個はダウンリンク部分サブフレームであり、N個のサブフレームのうちのN−M個はダウンリンクフルサブフレームであり、MはN以下であり、MとNの両方は整数である。送信モジュール61は、第1のダウンリンク制御情報をUEに送信するようにさらに構成される。受信モジュール62は、第1のアップリンクサブフレーム内のターゲット物理アップリンク制御チャネルリソース上で、UEによって送信された第1のアップリンク制御情報を受信するか、または第1のアップリンクサブフレーム内のターゲット物理アップリンク制御チャネルリソース上で第1のアップリンク制御情報を受信することをスキップするように構成される。
【０２７４】
リソース割振りインデックス値は、第1のサブフレームセット内のいくつかまたはすべてのサブフレーム内のダウンリンクデータに対応するダウンリンク制御情報内の指示情報である。
【０２７５】
場合によっては、リソース割振りインデックス値は、第1のタイプのインデックス値または第2のタイプのインデックス値であり、第1のタイプのインデックス値は基準物理アップリンク制御チャネルリソースセット内のターゲット物理アップリンク制御チャネルリソースのインデックス値に対応し、第2のタイプのインデックス値は、ターゲット物理アップリンク制御チャネルリソースが存在しないことを示し、基準物理アップリンク制御チャネルリソースセットは、UE向けにネットワークデバイスによって構成された物理アップリンク制御チャネルリソースのセットである。
【０２７６】
この実施形態におけるネットワークデバイスは、図11に示された方法実施形態における技術的解決策を実行するように構成されてもよい。ネットワークデバイスの実装原理および技術的効果は、方法実施形態におけるそれらと同様であり、本明細書では再び記載されない。
【０２７７】
図14は、本発明による、端末デバイスの実施形態4の概略構造図である。図14に示されたように、この実施形態における端末デバイスは、受信機71と送信機72とを含む。受信機71は、第1のサブフレームセット内の各サブフレーム内でネットワークデバイスによって送信されたダウンリンクデータを受信するように構成される。第1のサブフレームセットはN個のサブフレームを含み、N個のサブフレームの各々はダウンリンクフルサブフレームであるか、またはN個のサブフレームのうちのM個はダウンリンク部分サブフレームであり、N個のサブフレームのうちのN−M個はダウンリンクフルサブフレームであり、MはN以下であり、MとNの両方は整数である。受信機71は、ネットワークデバイスによって送信された第1のダウンリンク制御情報を取得するようにさらに構成される。送信機72は、リソース割振りインデックス値に基づいて、第1のダウンリンク制御情報の指示に従って、第1のアップリンクサブフレーム内のターゲット物理アップリンク制御チャネルリソース上で第1のアップリンク制御情報を送信するべきかどうかを判定するように構成される。リソース割振りインデックス値は、ターゲット物理アップリンク制御チャネルリソースを決定するためにUEによって使用され、第1のアップリンク制御情報は、第1のサブフレームセット内の各サブフレーム内にあり、UEによって受信されたダウンリンクデータに対応するハイブリッド自動再送要求確認応答情報を含む。
【０２７８】
リソース割振りインデックス値は、第1のサブフレームセット内のいくつかまたはすべてのサブフレーム内のダウンリンクデータに対応するダウンリンク制御情報内の指示情報である。
【０２７９】
場合によっては、リソース割振りインデックス値は第1のタイプのインデックス値または第2のタイプのインデックス値であり、第1のタイプのインデックス値は、基準物理アップリンク制御チャネルリソースセット内のターゲット物理アップリンク制御チャネルリソースのインデックス値に対応し、第2のタイプのインデックス値は、ターゲット物理アップリンク制御チャネルリソースが存在しないことを示し、基準物理アップリンク制御チャネルリソースセットは、UE向けにネットワークデバイスによって構成された物理アップリンク制御チャネルリソースのセットである。送信機72は、具体的に、リソース割振りインデックス値が第1のタイプのインデックス値である場合、第1のアップリンクサブフレーム内にあり、リソース割振りインデックス値に対応するターゲット物理アップリンク制御チャネルリソース上で第1のアップリンク制御情報を送信するか、またはリソース割振りインデックス値が第2のタイプのインデックス値である場合、第1のアップリンクサブフレーム内で第1のアップリンク制御情報を送信することをスキップするように構成される。
【０２８０】
この実施形態における端末デバイスは、図11に示された方法実施形態における技術的解決策を実行するように構成されてもよい。端末デバイスの実装原理および技術的効果は、方法実施形態におけるそれらと同様であり、本明細書では再び記載されない。
【０２８１】
図15は、本発明による、ネットワークデバイスの実施形態8の概略構造図である。図15に示されたように、この実施形態におけるネットワークデバイスは、送信機81と受信機82とを含んでもよい。送信機81は、第1のサブフレームセット内の各サブフレーム内で端末デバイスUEにダウンリンクデータを送信するように構成される。第1のサブフレームセットはN個のサブフレームを含み、N個のサブフレームの各々はダウンリンクフルサブフレームであるか、またはN個のサブフレームのうちのM個はダウンリンク部分サブフレームであり、N個のサブフレームのうちのN−M個はダウンリンクフルサブフレームであり、MはN以下であり、MとNの両方は整数である。送信機81は、第1のダウンリンク制御情報をUEに送信するようにさらに構成される。受信機82は、第1のアップリンクサブフレーム内のターゲット物理アップリンク制御チャネルリソース上で、UEによって送信された第1のアップリンク制御情報を受信するか、または第1のアップリンクサブフレーム内のターゲット物理アップリンク制御チャネルリソース上で第1のアップリンク制御情報を受信することをスキップするように構成される。
【０２８２】
リソース割振りインデックス値は、第1のサブフレームセット内のいくつかまたはすべてのサブフレーム内のダウンリンクデータに対応するダウンリンク制御情報内の指示情報である。
【０２８３】
場合によっては、リソース割振りインデックス値は、第1のタイプのインデックス値または第2のタイプのインデックス値であり、第1のタイプのインデックス値は基準物理アップリンク制御チャネルリソースセット内のターゲット物理アップリンク制御チャネルリソースのインデックス値に対応し、第2のタイプのインデックス値は、ターゲット物理アップリンク制御チャネルリソースが存在しないことを示し、基準物理アップリンク制御チャネルリソースセットは、UE向けにネットワークデバイスによって構成された物理アップリンク制御チャネルリソースのセットである。
【０２８４】
この実施形態におけるネットワークデバイスは、図11に示された方法実施形態における技術的解決策を実行するように構成されてもよい。ネットワークデバイスの実装原理および技術的効果は、方法実施形態におけるそれらと同様であり、本明細書では再び記載されない。
【０２８５】
本明細書における実施形態はすべて進行方式で記載され、実施形態内の同じまたは同様の部分については、これらの実施形態に対して参照が行われる場合があり、各実施形態は他の実施形態との違いに焦点を当てる。特に、システム実施形態は、方法実施形態と基本的に同様であり、したがって簡潔に記載され、関係する部分については、方法実施形態内の部分説明に対して参照が行われる場合がある。
【０２８６】
当業者なら、本出願の各態様または各態様の可能な実装形態は、システム、方法、またはコンピュータプログラム製品として具体的に実装されてもよいことを理解されよう。したがって、本出願の態様または態様の可能な実装形態は、本明細書では「回路」、「モジュール」、または「システム」と一律に呼ばれる、ハードウェアのみの実施形態、（ファームウェア、常駐ソフトウェアなどを含む）ソフトウェアのみの実施形態、またはソフトウェアとハードウェアの組合せを有する実施形態の形態を使用することができる。加えて、本出願の態様または態様の可能な実装形態は、コンピュータプログラム製品の形態を取ることができ、コンピュータプログラム製品は、コンピュータ可読媒体に記憶されたコンピュータ可読プログラムコードである。
【０２８７】
コンピュータ可読媒体は、コンピュータ可読信号媒体またはコンピュータ可読記憶媒体であってもよい。コンピュータ可読記憶媒体には、電子、磁気、光学、電磁気、赤外線、もしくは半導体のシステム、デバイス、もしくは装置、またはランダムアクセスメモリ（RAM）、読取り専用メモリ（ROM）、消去可能プログラマブル読取り専用メモリ（EPROMもしくはフラッシュメモリ）、光ファイバ、およびコンパクトディスク読取り専用メモリ（CD−ROM）などのそれらの任意の適切な組合せが含まれるが、それらに限定されない。
【０２８８】
コンピュータ内のプロセッサは、コンピュータ可読媒体に記憶されたコンピュータ可読プログラムコードを読み取り、その結果、プロセッサは、フローチャート内の各ステップまたはステップの組合せに指定された機能および動作を実行することができ、装置は、ブロック図の各ブロックまたはブロックの組合せに指定された機能および動作を実装するように生成される。
【０２８９】
すべてのコンピュータ可読プログラムコードは、ユーザコンピュータ上でローカルに実行されてもよく、またはスタンドアロンソフトウェアパッケージとしてユーザコンピュータ上でローカルに実行されてもよく、または一部はリモートコンピュータ上で実行されながら、一部はユーザのローカルコンピュータ上で実行されてもよく、またはすべてのコードはリモートコンピュータもしくはサーバ上で実行されてもよい。いくつかの代替の実装形態の解決策では、フローチャート内の各ステップまたはブロック図内の各ブロックに指定された機能は、示された順序で行われくてもよいことにも留意されたい。たとえば、関与する機能に依存する、図の中の2つの連続するステップまたは2つのブロックは、実際には実質的に同時に実行されてもよく、またははこれらのブロックは、時々逆の順序で実行されてもよい。
【０２９０】
明らかに、当業者は、本出願の趣旨および範囲から逸脱することなく、本出願に対して様々な修正および変形を行うことができる。本出願は、以下の特許請求の範囲およびそれらの等価な技術によって規定される保護範囲内に入るという条件で、本出願のこれらの修正および変形を包含するものである。
【符号の説明】
【０２９１】
11  受信モジュール
12  送信モジュール
21  送信モジュール
22  受信モジュール
23  第1の構成モジュール
24  第2の構成モジュール
31  受信機
32  送信機
41  送信機
42  受信機
43  第1のプロセッサ
44  第2のプロセッサ
51  受信モジュール
52  送信モジュール
61  送信モジュール
62  受信モジュール
71  受信機
72  送信機
81  送信機
82  受信機
【図１】
2019520759.tif 000009
【図２】
2019520759.tif 000010
【図３】
2019520759.tif 000011
【図４】
2019520759.tif 000012
【図５】
2019520759.tif 000013
【図６】
2019520759.tif 000014
【図７】
2019520759.tif 000015
【図８】
2019520759.tif 000016
【図９】
2019520759.tif 000017
【図１０】
2019520759.tif 000018
【図１１】
2019520759.tif 000019
【図１２】
2019520759.tif 000020
【図１３】
2019520759.tif 000021
【図１４】
2019520759.tif 000022
【図１５】
2019520759.tif 000023
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
端末デバイスによって実装される、アップリンク制御チャネル送信方法であって、
第1のサブフレームセット内の各サブフレーム内でネットワークデバイスからのダウンリンクデータを受信するステップであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数である、ステップと、
前記ネットワークデバイスからの第1のダウンリンク制御情報を取得するステップであって、前記第1のダウンリンク制御情報が第1の指示情報を含むものである、ステップと、
前記第1の指示情報が第1の情報であるときに、前記第1のダウンリンク制御情報の指示に従って第1のアップリンクサブフレーム内でターゲット物理アップリンク制御チャネルを送信するステップであって、前記ターゲット物理アップリンク制御チャネルが第1のアップリンク制御情報を備え、前記第1のアップリンク制御情報が、前記第1のサブフレームセット内の各サブフレーム内にあり、前記端末デバイスによって受信された前記ダウンリンクデータに対応するハイブリッド自動再送要求確認応答情報を備える、ステップと、
前記第1の指示情報が第2の情報であるときに、ターゲット物理アップリンク共有チャネルを送信するステップと
を備える、アップリンク制御チャネル送信方法。
【請求項２】
前記第１のダウンリンク制御情報が第2の指示情報を有し、前記第2の指示情報が第1の電力調整値を示すものであり、
前記方法は更に、
前記端末デバイスによって、前記第1の電力調整値に基づいて、前記ターゲット物理アップリンク制御チャネルの送信電力を調整するステップを備える、
請求項1に記載の方法。
【請求項３】
前記ターゲット物理アップリンク制御チャネルの送信電力が、第2の電力調整値に対応する電力調整量を備え、前記第2の電力調整値が、第1の制御情報グループにおいて備えられるダウンリンク制御情報内の電力調整フィールドの指示値によって示され、
前記第1の制御情報グループが、第2のサブフレームセット内の各サブフレーム内のダウンリンクデータに対応するダウンリンク制御情報から構成され、前記第2のサブフレームセットが、第1のキャリア上に位置する前記第1のサブフレームセット内のサブフレームのセットであり、前記第1のキャリアが、前記ターゲット物理アップリンク制御チャネルが位置するキャリアであり、
前記方法は更に、
前記第2の電力調整値に基づいて、前記ターゲット物理アップリンク制御チャネルの送信電力を調整するステップを備える、
請求項1または2に記載の方法。
【請求項４】
前記第1のキャリアがキャリア構成セット内のキャリアであり、前記キャリア構成セットが、前記端末デバイスが前記ネットワークデバイスと通信するために構成されたキャリアのセットであり、前記キャリア構成セットがH個のキャリアを備え、前記第1のキャリアが前記キャリア構成セット内のG番目のキャリアであり、GとHの両方が正の整数であり、H≧2、1≦G≦Hであり、Gの値がすべてのサブフレーム内で変わることができる、
請求項3に記載の方法。
【請求項５】
前記第1の指示情報が第1の情報である場合に、前記第1のダウンリンク制御情報のフォーマットが第3の指示情報の指示ビットを備え、前記第3の指示情報の指示ビットは、前記ターゲット物理アップリンク制御チャネルの、リソースブロック割当て、復調基準信号巡回シフト、および、復調基準信号直交符号インデックスを示すために使用される、
請求項1から4のいずれか1項に記載の方法。
【請求項６】
第1のサブフレームセット内の各サブフレーム内で端末デバイスにダウンリンクデータを送信するステップであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数である、ステップと、
前記端末デバイスに第1のダウンリンク制御情報を送信するステップであって、前記第1のダウンリンク制御情報が第1の指示情報を含むものである、ステップと、
前記第1の指示情報が第1の情報であるときに、前記第1のダウンリンク制御情報が前記端末デバイスにターゲット物理アップリンク制御チャネルを送信するよう指示するために用いられるものであり、前記第1のダウンリンク制御情報の指示に従って第1のアップリンクサブフレーム内で前記端末デバイスによって送信されたターゲット物理アップリンク制御チャネルを受信するステップであって、前記ターゲット物理アップリンク制御チャネルが第1のアップリンク制御情報を備え、前記第1のアップリンク制御情報が、前記第1のサブフレームセット内の各サブフレーム内にあり、前記端末デバイスによって受信された前記ダウンリンクデータに対応するハイブリッド自動再送要求確認応答情報を備える、ステップと、
前記第1の指示情報が第1の情報であるときに、前記第1のダウンリンク制御情報が前記端末デバイスにターゲット物理アップリンク共有チャネルを送信するよう指示するために用いられるものであり、前記第1のダウンリンク制御情報の指示に従って第1のアップリンクサブフレーム内で前記端末デバイスによって送信されたターゲット物理アップリンク共有チャネルを受信するステップと
を備える、ネットワークデバイスにより実装される、アップリンク制御チャネル受信方法。
【請求項７】
前記第1のダウンリンク制御情報が第2の指示情報を備え、前記第2の指示情報が第1の電力調整値を示し、前記第1の電力調整値が、前記端末デバイスが前記ターゲット物理アップリンク制御チャネルの送信電力を調整するために用いられる、
請求項6に記載の方法。
【請求項８】
前記ターゲット物理アップリンク制御チャネルの送信電力が、第2の電力調整値に対応する電力調整量を備え、前記第2の電力調整値が、第1の制御情報グループにおいて備えられるダウンリンク制御情報内の電力調整フィールドの指示値によって示され、
前記第1の制御情報グループが、第2のサブフレームセット内の各サブフレーム内のダウンリンクデータに対応するダウンリンク制御情報から構成され、前記第2のサブフレームセットが、第1のキャリア上に位置する前記第1のサブフレームセット内のサブフレームのセットであり、前記第1のキャリアが、前記ターゲット物理アップリンク制御チャネルが位置するキャリアである、
請求項6もしくは7に記載の方法。
【請求項９】
前記第1のキャリアがキャリア構成セット内のキャリアであり、前記キャリア構成セットが、前記端末デバイスが前記ネットワークデバイスと通信するために構成されたキャリアのセットであり、前記キャリア構成セットがH個のキャリアを備え、前記第1のキャリアが前記キャリア構成セット内のG番目のキャリアであり、GとHの両方が正の整数であり、H≧2、1≦G≦Hであり、Gの値がすべてのサブフレーム内で変わることができる、
請求項8に記載の方法。
【請求項１０】
前記第1の指示情報が第1の情報である場合に、前記第1のダウンリンク制御情報のフォーマットが第3の指示情報の指示ビットを備え、前記第3の指示情報の指示ビットは、前記ターゲット物理アップリンク制御チャネルの、リソースブロック割当て、復調基準信号巡回シフト、および、復調基準信号直交符号インデックスを示すために使用される、
請求項6から9のいずれか1項に記載の方法。
【請求項１１】
第1のサブフレームセット内の各サブフレーム内でネットワークデバイスから送信されたダウンリンクデータを受信するように構成された受信モジュールであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数であり、
前記受信モジュールが、前記ネットワークデバイスから送信された第1のダウンリンク制御情報を取得するようにさらに構成される、受信モジュールであって、前記第1のダウンリンク制御情報が第1の指示情報を含むものである、前記受信モジュールと、
前記第1の指示情報が第1の情報であるときに、前記第1のダウンリンク制御情報の指示に従って第1のアップリンクサブフレーム内でターゲット物理アップリンク制御チャネルを送信するように構成された送信モジュールであって、前記ターゲット物理アップリンク制御チャネルが第1のアップリンク制御情報を備え、前記第1のアップリンク制御情報が、前記第1のサブフレームセット内の各サブフレーム内にあり、前記受信モジュールによって受信された前記ダウンリンクデータに対応するハイブリッド自動再送要求確認応答情報を備える、送信モジュールであって、
前記第1の指示情報が第2の情報であるときに、前記送信モジュールがターゲット物理アップリンク共有チャネルを送信するよう構成されたものである、前記送信モジュールと
を備える、端末デバイス。
【請求項１２】
前記第１のダウンリンク制御情報が第2の指示情報を有し、前記第2の指示情報が第1の電力調整値を示すものであり、
前記送信モジュールは、前記第1の電力調整値に基づいて、前記ターゲット物理アップリンク制御チャネルの送信電力を調整するよう、更に構成された、
請求項11に記載の端末デバイス。
【請求項１３】
前記ターゲット物理アップリンク制御チャネルの送信電力が、第2の電力調整値に対応する電力調整量を備え、前記第2の電力調整値が、第1の制御情報グループにおいて備えられるダウンリンク制御情報内の電力調整フィールドの指示値によって示され、
前記第1の制御情報グループが、第2のサブフレームセット内の各サブフレーム内のダウンリンクデータに対応するダウンリンク制御情報から構成され、前記第2のサブフレームセットが、第1のキャリア上に位置する前記第1のサブフレームセット内のサブフレームのセットであり、前記第1のキャリアが、前記ターゲット物理アップリンク制御チャネルが位置するキャリアであり、
前記送信モジュールは更に、前記第2の電力調整値に基づいて、前記ターゲット物理アップリンク制御チャネルの送信電力を調整するよう、更に構成される、
請求項11もしくは12に記載の端末デバイス。
【請求項１４】
前記第1のキャリアがキャリア構成セット内のキャリアであり、前記キャリア構成セットが、前記端末デバイスが前記ネットワークデバイスと通信するために構成されたキャリアのセットであり、前記キャリア構成セットがH個のキャリアを備え、前記第1のキャリアが前記キャリア構成セット内のG番目のキャリアであり、GとHの両方が正の整数であり、H≧2、1≦G≦Hであり、Gの値がすべてのサブフレーム内で変わることができる、
請求項13に記載の端末デバイス。
【請求項１５】
前記第1の指示情報が第1の情報である場合に、前記第1のダウンリンク制御情報のフォーマットが第3の指示情報の指示ビットを備え、前記第3の指示情報の指示ビットは、前記ターゲット物理アップリンク制御チャネルの、リソースブロック割当て、復調基準信号巡回シフト、および、復調基準信号直交符号インデックスを示すために使用される、
請求項11から14のいずれか1項に記載の端末デバイス。
【請求項１６】
第1のサブフレームセット内の各サブフレーム内において端末デバイスからのダウンリンクデータを受信するように構成された受信モジュールであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数であり、
前記受信モジュールが、第1のダウンリンク制御情報を前記ネットワークデバイスから取得するように構成され、前記第1のダウンリンク制御情報はUEグループ固有の物理ダウンリンク制御情報または共通の物理ダウンリンク制御情報である、前記受信モジュールと、
前記第1のダウンリンク制御情報の指示に従って第1のアップリンクサブフレーム内においてターゲット物理アップリンク制御チャネルを送信するように構成された送信モジュールであって、前記ターゲット物理アップリンク制御チャネルが第1のアップリンク制御情報を備え、前記第1のアップリンク制御情報が、前記第1のサブフレームセット内の各サブフレーム内にあり、前記受信モジュールによって受信された前記ダウンリンクデータに対応するハイブリッド自動再送要求確認応答情報を備える、前記送信モジュールと
を備える端末デバイス。
【請求項１７】
前記ターゲット物理アップリンク制御チャネルの前記送信電力が、第2の電力調整値によって示される電力調整量を備え、前記第2の電力調整値が、第1の制御情報グループに備えられるダウンリンク制御情報内の電力調整フィールドの指示値に従って、前記端末デバイスによって決定される電力調整値であり、前記第1の制御情報グループが、第2のサブフレームセット内の各サブフレーム内のダウンリンクデータに対応するダウンリンク制御情報から構成され、
前記第2のサブフレームセットが前記第1のサブフレームセットと同等であるか、または前記第2のサブフレームセットが、第1のキャリア上に位置する前記第1のサブフレームセット内のサブフレームのセットである、
請求項16に記載の端末デバイス。
【請求項１８】
前記第1のキャリアがキャリア構成セット内のキャリアであり、前記キャリア構成セットが、前記端末デバイスが前記ネットワークデバイスと通信するために構成されたキャリアのセットであり、前記キャリア構成セットがH個のキャリアを備え、前記第1のキャリアが前記キャリア構成セット内のG番目のキャリアであり、GとHの両方が正の整数であり、H≧2、1≦G≦Hであり、Gの値がすべてのサブフレーム内で変わることができる、
請求項17に記載の端末デバイス。
【請求項１９】
第1のサブフレームセット内の各サブフレーム内で端末デバイスにダウンリンクデータを送信するように構成された送信モジュールであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数であり、
前記送信モジュールが、前記端末デバイスに第1のダウンリンク制御情報を送信するようにさらに構成され、前記第1のダウンリンク制御情報が第1の指示情報を含むものである、送信モジュールと、
前記第1のダウンリンク制御情報の指示に従って第1のアップリンクサブフレーム内で前記端末デバイスによって送信されたターゲット物理アップリンク制御チャネルを受信するように構成された受信モジュールであって、前記ターゲット物理アップリンク制御チャネルが第1のアップリンク制御情報を備え、前記第1のアップリンク制御情報が、前記第1のサブフレームセット内の各サブフレーム内にあり、前記端末デバイスによって受信された前記ダウンリンクデータに対応するハイブリッド自動再送要求確認応答情報を備え、
前記第1の指示情報が第1の情報であるときに、前記第1のダウンリンク制御情報が前記端末デバイスにターゲット物理アップリンク共有チャネルを送信するよう指示するために用いられるものであり、前記第1のダウンリンク制御情報の指示に従って第1のアップリンクサブフレーム内で前記端末デバイスによって送信されたターゲット物理アップリンク共有チャネルを受信するよう構成された受信モジュールと
を備える、ネットワークデバイス。
【請求項２０】
前記第1のダウンリンク制御情報が第2の指示情報を備え、前記第2の指示情報が第1の電力調整値を示し、前記第1の電力調整値が、前記端末デバイスが前記ターゲット物理アップリンク制御チャネルの送信電力を調整するために用いられる、
請求項19に記載のネットワークデバイス。
【請求項２１】
前記ターゲット物理アップリンク制御チャネルの送信電力が、第2の電力調整値に対応する電力調整量を備え、前記第2の電力調整値が、第1の制御情報グループにおいて備えられるダウンリンク制御情報内の電力調整フィールドの指示値によって示され、
前記第1の制御情報グループが、第2のサブフレームセット内の各サブフレーム内のダウンリンクデータに対応するダウンリンク制御情報から構成され、前記第2のサブフレームセットが、第1のキャリア上に位置する前記第1のサブフレームセット内のサブフレームのセットであり、前記第1のキャリアが、前記ターゲット物理アップリンク制御チャネルが位置するキャリアである、
請求項19もしくは20に記載のネットワークデバイス。
【請求項２２】
前記第1のキャリアがキャリア構成セット内のキャリアであり、前記キャリア構成セットが、前記端末デバイスが前記ネットワークデバイスと通信するために構成されたキャリアのセットであり、前記キャリア構成セットがH個のキャリアを備え、前記第1のキャリアが前記キャリア構成セット内のG番目のキャリアであり、GとHの両方が正の整数であり、H≧2、1≦G≦Hであり、Gの値がすべてのサブフレーム内で変わることができる、
請求項21に記載のネットワークデバイス。
【請求項２３】
前記第1の指示情報が第1の情報である場合に、前記第1のダウンリンク制御情報のフォーマットが第3の指示情報の指示ビットを備え、前記第3の指示情報の指示ビットは、前記ターゲット物理アップリンク制御チャネルの、リソースブロック割当て、復調基準信号巡回シフト、および、復調基準信号直交符号インデックスを示すために使用される、
請求項19から22のいずれか1項に記載のネットワークデバイス。
【請求項２４】
第1のサブフレームセット内の各サブフレーム内で端末デバイスにダウンリンクデータを送信するように構成された送信モジュールであって、前記第1のサブフレームセットがN個のサブフレームを備え、前記N個のサブフレームの各々がダウンリンクフルサブフレームであるか、または前記N個のサブフレームのうちのM個がダウンリンク部分サブフレームであり、前記N個のサブフレームのうちのN−M個がダウンリンクフルサブフレームであり、MがN以下であり、MとNの両方が整数であり、
前記送信モジュールが、前記端末デバイスに第1のダウンリンク制御情報を送信するようにさらに構成され、前記第1のダウンリンク制御情報はUEグループ固有の物理ダウンリンク制御情報または共通の物理ダウンリンク制御情報である、前記送信モジュールと、
前記第1のダウンリンク制御情報の指示に従って第1のアップリンクサブフレーム内で前記端末デバイスによって送信されたターゲット物理アップリンク制御チャネルを受信するように構成された受信モジュールであって、前記ターゲット物理アップリンク制御チャネルが第1のアップリンク制御情報を備え、前記第1のアップリンク制御情報が、前記第1のサブフレームセット内の各サブフレーム内にあり、前記端末デバイスによって受信された前記ダウンリンクデータに対応するハイブリッド自動再送要求確認応答情報を備え、前記第1の指示情報が第1の情報であるときに、前記第1のダウンリンク制御情報が前記端末デバイスにターゲット物理アップリンク共有チャネルを送信するよう指示するために用いられるものであり、前記第1のダウンリンク制御情報の指示に従って第1のアップリンクサブフレーム内で前記端末デバイスによって送信されたターゲット物理アップリンク共有チャネルを受信するよう構成された前記受信モジュールと
を備えるネットワークデバイス。
【請求項２５】
前記ターゲット物理アップリンク制御チャネルの前記送信電力が、第2の電力調整値によって示される電力調整量を備え、前記第2の電力調整値が、第1の制御情報グループに備えられるダウンリンク制御情報内の電力調整フィールドの指示値に従って、前記端末デバイスによって決定される電力調整値であり、前記第1の制御情報グループが、第2のサブフレームセット内の各サブフレーム内のダウンリンクデータに対応するダウンリンク制御情報から構成され、
前記第2のサブフレームセットが前記第1のサブフレームセットと同等であるか、または前記第2のサブフレームセットが、第1のキャリア上に位置する前記第1のサブフレームセット内のサブフレームのセットである、
請求項24に記載のネットワークデバイス。
【請求項２６】
前記第1のキャリアがキャリア構成セット内のキャリアであり、前記キャリア構成セットが、前記端末デバイスが前記ネットワークデバイスと通信するために構成されたキャリアのセットであり、前記キャリア構成セットがH個のキャリアを備え、前記第1のキャリアが前記キャリア構成セット内のG番目のキャリアであり、GとHの両方が正の整数であり、H≧2、1≦G≦Hであり、Gの値がすべてのサブフレーム内で変わることができる、
請求項25に記載のネットワークデバイス。
【請求項２７】
請求項1から5のいずれか1項に記載の方法をコンピュータに実行させる、プログラム。
【請求項２８】
請求項6から10のいずれか1項に記載の方法をコンピュータに実行させる、プログラム。
【手続補正２】
【補正対象書類名】明細書
【補正対象項目名】０００２
【補正方法】変更
【補正の内容】
【０００２】
ロングタームエボリューション（LTE）システムでは、時間周波数リソースは、時間領域内の時間領域シンボルと周波数領域内のサブキャリアに分割され、最小リソース粒度はリソース要素（RE）と呼ばれ、すなわち、時間領域内の時間領域シンボルおよび周波数領域内のサブキャリアを含む時間周波数グリッドである。LTEシステムにおけるサービス伝送は、基地局によるスケジューリングに基づいている。基地局によるスケジューリングの基本時間単位はサブフレームであり、1つのサブフレームは複数の時間領域シンボルを含む。具体的なスケジューリング手順は以下の通りである：基地局は、物理ダウンリンク制御チャネル（PDCCH）または拡張PDCCH（EPDCCH）などの制御チャネルを送信する。制御チャネルは、物理ダウンリンク共有チャネル（PDSCH）または物理アップリンク共有チャネル（PUSCH）などのデータチャネルのスケジューリング情報を搬送することができ、スケジューリング情報は、リソース割振り情報ならびに変調および符号化方式などの制御情報を含む。ユーザ機器（UE）は、サブフレーム内の制御チャネルを検出し、検出された制御チャネル上で搬送されるスケジューリング情報に基づいて、ダウンリンクデータチャネルを受信するか、またはアップリンクデータチャネルを送信する。LTEは、周波数分割複信（FDD）および時分割複信（TDD）をサポートする。FDDシステムでは、ダウンリンク送信およびアップリンク送信は異なるキャリア上で実行される。TDDシステムでは、ダウンリンク送信およびアップリンク送信は異なる時間に同じキャリア上で実行される。LTEは現在、7つの異なる固定TDDアップリンク−ダウンリンクサブフレーム構成をサポートしており、LTEではハイブリッド自動再送要求（HARQ）メカニズムが使用されている。一例として、ダウンリンク送信が使用される。PDSCHを受信した後に、UEは、物理アップリンク制御チャネル（PUCCH）上で肯定応答（ACK）または否定応答（NACK）をフィードバックして、PDSCHが正しく受信されたかどうかを示す。FDDでは、UEは、PDSCHを受信する時間、およびPDSCHとHARQ−ACKとの間の事前設定されたタイミング関係に基づいて、PUCCHを送信することを決定する。たとえば、サブフレームn−4内でPD
SCHを受信した後、UEはサブフレームn内でACK／NACKをフィードバックし、これはTDDでも同様である。LTEはさらに、キャリアアグリゲーション（CA）技術をサポートする、すなわち、基地局は、UEのデータレートを向上させるようにUE用の複数のキャリアを構成する。複数のキャリアは時間領域内で同期して送信され、UEは、PDCCH、および各キャリアをスケジュールするためのPDCCHに対応するPDSCHを別々に検出することができる。各キャリアの具体的な検出プロセスは、前述の単一キャリアの場合と同様である。
【手続補正３】
【補正対象書類名】明細書
【補正対象項目名】０００３
【補正方法】変更
【補正の内容】
【０００３】
LTEは、エアインターフェース上の2つのフレーム構造：Type1およびType2をサポートする。Type1はFDDに使用される。Type2はTDDに使用され、無線フレームの長さは10msである。TDDにおける10msの無線フレームは10個のサブフレームを含む。10個のサブフレームの各々がダウンリンクサブフレームまたはアップリンクサブフレームまたは特殊サブフレームとして構成されることは、構成情報を使用することによってUE向けに事前構成される。無認可スペクトルリソース上で、複数の通信システムが互いに影響することなく無認可スペクトルリソースを占有するという共存特性を実現するために、リッスンビフォアトーク（LBT）チャネルアクセスメカニズムが使用されてもよい。すなわち、UEが無認可スペクトルリソース上でデータを送信する前に、UEは最初に、リスニングを介して、チャネルがアイドルであるかどうかを検出し、チャネルがアイドルである場合、UEは無認可スペクトルリソース上でチャネルを使用することができる。既存のLTEシステムでは、UE向けに基地局によってダウンリンクデータをスケジュールするためのダウンリンク制御情報は、2つの制御情報を含む。第1の制御情報はダウンリンク割当てインデックス（DAI）であり、第2の制御情報は物理アップリンク制御チャネルの電力制御インデックスである。UEは、受信されたダウンリンクデータに対応するダウンリンク制御情報内の2つの制御情報に基づいて、物理アップリンク制御チャネルの電力調整値および物理アップリンク制御チャネルのリソースを決定する。アンカーキャリア上のDAI＝1のダウンリンク制御情報内の第2の制御情報は、UEによって物理アップリンク制御チャネルを送信するための電力調整値を決定するために使用され、他のダウンリンク制御情報内の第2の制御情報は、複数の事前構成されたリソースのうちのどれがUEによってPUCCHを送信するためのリソースであるかを判定するために使用される。
【手続補正４】
【補正対象書類名】明細書
【補正対象項目名】００２２
【補正方法】変更
【補正の内容】
【００２２】
第2の態様によれば、本発明の一実施形態は、
ネットワークデバイスにより、第1のサブフレームセット内の各サブフレーム内で端末デバイスUEにダウンリンクデータを送信するステップであって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数である、ステップと、ネットワークデバイスにより、UEに第1のダウンリンク制御情報を送信するステップと、ネットワークデバイスにより、第1のダウンリンク制御情報の指示に従って第1のアップリンクサブフレーム内でUEによって送信されたターゲット物理アップリンク制御チャネルを受信するステップであって、ターゲット物理アップリンク制御チャネルが第1のアップリンク制御情報を含み、第1のアップリンク制御情報が、第1のサブフレームセット内の各サブフレーム内にあり、UEによって受信されたダウンリンクデータに対応するハイブリッド自動再送要求確認応答情報を含む、ステップと
を含む、アップリンク制御チャネル受信方法を提供する。本発明のこの実施形態において提供されるアップリンク制御チャネル受信方法では、第1のサブフレームセット内の各サブフレーム内でUEにダウンリンクデータを送信した後、ネットワークデバイスは、トリガ情報（すなわち、第1のダウンリンク制御情報）をUEに送信して、第1のアップリンクサブフレーム内でターゲット物理アップリンク制御チャネルを送信するようにUEをトリガする。ターゲット物理アップリンク制御チャネルは、第1のサブフレームセット内の各サブフレーム内にあり、UEによって受信されたダウンリンクデータに対応するハイブリッド自動再送要求確認応答情報を含む、第1のアップリンク制御情報を搬送する。このようにして、UEが無認可スペクトルリソース上で物理アップリンク制御チャネルをどのように送信するかという問題が解決される。
【手続補正５】
【補正対象書類名】明細書
【補正対象項目名】００６７
【補正方法】変更
【補正の内容】
【００６７】
第5の態様によれば、本発明の一実施形態は、
第1のサブフレームセット内の各サブフレーム内でネットワークデバイスによって送信されたダウンリンクデータを受信するように構成された受信機であって、第1のサブフレームセットがN個のサブフレームを含み、N個のサブフレームの各々がダウンリンクフルサブフレームであるか、またはN個のサブフレームのうちのM個がダウンリンク部分サブフレームであり、N個のサブフレームのうちのN−M個がダウンリンクフルサブフレームであり、MがN以下であり、MとNの両方が整数であり、受信機が、ネットワークデバイスによって送信された第1のダウンリンク制御情報を取得するようにさらに構成される、受信機と、第1のダウンリンク制御情報の指示に従って第1のアップリンクサブフレーム内でターゲット物理アップリンク制御チャネルを送信するように構成された送信機であって、ターゲット物理アップリンク制御チャネルが第1のアップリンク制御情報を含み、第1のアップリンク制御情報が、第1のサブフレームセット内の各サブフレーム内にあり、送信機によって受信されたダウンリンクデータに対応するハイブリッド自動再送要求確認応答情報を含む、送信機と
を含む、端末デバイスを提供する。
【手続補正６】
【補正対象書類名】明細書
【補正対象項目名】０１２１
【補正方法】変更
【補正の内容】
【０１２１】
本発明の実施形態の目的、技術的解決策、および利点をより明確にするために、以下で、本発明の実施形態における添付図面を参照して、本発明の実施形態における技術的解決策を明確に記載する。明らかに、記載される実施形態は、本発明の実施形態のうちのいくつかであるが、すべてではない。創造的な努力なしに本発明の実施形態に基づいて、当業者によって取得されるすべての他の実施形態は、本発明の保護範囲内に入るべきである。
【手続補正７】
【補正対象書類名】明細書
【補正対象項目名】０１２２
【補正方法】変更
【補正の内容】
【０１２２】
本発明の実施形態における技術的解決策は、モバイル通信用グローバルシステム（GSM（登録商標））、符号分割多元接続（CDMA）システム、広帯域符号分割多元接続（WCDMA（登録商標））システム、汎用パケット無線サービス（GPRS）システム、LTEシステム、およびユニバーサルモバイルテレコミュニケーションシステム（UMTS）などの、ワイヤレスセルラーネットワーク内の様々な通信システムに適用されてもよく、これは本発明の実施形態では限定されない。
【手続補正８】
【補正対象書類名】明細書
【補正対象項目名】０１２３
【補正方法】変更
【補正の内容】
【０１２３】
本発明の実施形態における技術的解決策は、主にLTEシステムに適用され、詳細には、無認可スペクトルリソース上でアップリンクデータを送信するためのシステムに適用される。本発明の実施形態が適用される通信システムでは、ネットワーク要素には、（ネットワークデバイスとも呼ばれる）基地局および端末デバイス（例えば、UE）が含まれる。
【手続補正９】
【補正対象書類名】明細書
【補正対象項目名】０１２７
【補正方法】変更
【補正の内容】
【０１２７】
ダウンリンクフルサブフレームは、ネットワークデバイスによってUEに送信されたダウンリンクデータがサブフレーム内のすべてのシンボルを占有するサブフレームであり、ダウンリンク部分サブフレームは、ネットワークデバイスによってUEに送信されたダウンリンクデータがサブフレーム内のいくつかではあるが、すべてではないシンボルを占有するサブフレームである。ネットワークデバイスは、1つまたは複数のダウンリンクバースト（DL Burst）内のN個のサブフレーム内でUEにダウンリンクデータを送信し、N個のサブフレームは連続していても、連続していなくてもよい。ネットワークデバイスは、各ダウンリンクバーストの時間に基づいて、第1のサブフレームセット内の各サブフレーム内でUEにダウンリンクデータを送信する。第1のサブフレームセットはN個のサブフレームを含み、N個のサブフレームの各々はダウンリンクフルサブフレームであるか、またはN個のサブフレームのうちのM個はダウンリンク部分サブフレームであり、N個のサブフレームのうちのN−M個はダウンリンクフルサブフレームであり、MはN以下であり、MとNの両方は整数である。
【手続補正１０】
【補正対象書類名】明細書
【補正対象項目名】０１２８
【補正方法】変更
【補正の内容】
【０１２８】
ダウンリンクバーストとは、複数のサブフレームが時間的に連続して占有されていることを意味する。たとえば、基地局（たとえば、eNB）または基地局のセルが無認可スペクトルリソースを先取りした後、無認可スペクトルリソースは、競合メカニズム（たとえば、LBT）なしにデータ伝送に使用される。ダウンリンクバーストの時間長は、競合メカニズムなしに無認可スペクトルリソース上で基地局（またはセル）による連続送信のための最大時間以下であり、最大時間は最大チャネル占有時間（MCOT）と呼ばれる場合もある。MCOTは現地の法律に関係する場合がある。たとえば、日本では、MCOTは4msに等しくてもよく、ヨーロッパでは、MCOTは8ms、10ms、または13msに等しくてもよい。あるいは、MCOTは、リスニングデバイス（たとえば、基地局またはユーザ機器）によって使用される競合メカニズムに関係する場合がある。短いリスニング時間は、通常、短いMCOTを示す。あるいは、MCOTの長さは、データ伝送におけるサービスクラスに関係する場合がある。たとえば、インターネット電話サービスの場合、サービスの優先順位が高いと、MCOTは、通常、2msであってもよい。したがって、基地局が競合を介して無認可スペクトルリソースを取得した後、基地局は2ミリ秒無許可スペクトルリソースを連続して占有することができる。たとえば、データ伝送サービスの場合、サービスの優先順位がより低いと、基地局は、通常、8または10ミリ秒無許可スペクトルリソースを連続して占有することができる。
【手続補正１１】
【補正対象書類名】明細書
【補正対象項目名】０１３０
【補正方法】変更
【補正の内容】
【０１３０】
第1のダウンリンク制御情報は、第1のアップリンクサブフレーム内でターゲット物理アップリンク制御チャネルを送信するようにUEに指示するために使用される。第1のダウンリンク制御情報は、第1のタイプのダウンリンク制御情報または第2のタイプのダウンリンク制御情報であってもよい。第1のタイプのダウンリンク制御情報は、UE固有の物理ダウンリンク制御情報（ネットワークデバイスによってユニキャストされたダウンリンク制御情報）であり、第2のタイプのダウンリンク制御情報は、UEグループ固有の物理ダウンリンク制御情報または共通の物理ダウンリンク制御情報（ネットワークデバイスによってブロードキャストされたダウンリンク制御情報）である。たとえば、第1のタイプのダウンリンク制御情報はUE固有の制御情報であり、符号化される前のCRCチェック情報に制御情報が付加され、CRCチェック情報は、CRCチェック情報内のUE固有のRNTIを使用してスクランブルされる。特定のUEのみが第1のタイプのダウンリンク制御情報を受信し復調することができる。たとえば、第1のタイプのダウンリンク制御情報は、物理アップリンク制御チャネルのスケジューリング指示情報であり、ダウンリンク制御情報は、物理アップリンク制御チャネルを送信するようにUEに指示するためにネットワークデバイスによって使用される。第2のタイプのダウンリンク制御情報は、共通の物理ダウンリンク制御情報である。たとえば、第2のタイプのダウンリンク制御情報はC−PDCCHであり、符号化される前のCRCチェック情報にC−PDCCH内の制御情報が付加され、CRCチェック情報は、CRCチェック情報内のセル固有の共通無線ネットワーク一時識別子（RNTI）を使用してスクランブルされる。ネットワークデバイスによってサービスされる各UEは、第2のタイプのダウンリンク制御情報を受信し復調することができる。あるいは、第2のタイプのダウンリンク制御情報は、UEグループ固有の物理ダウンリンク制御情報である。たとえば、第2のタイプのダウンリンク制御情報内の制御情報が、符号化される前のCRCチェック情報に付加され、CRCチェック情報は、CRCチェック情報内のUEグループ固有のRNTIを使用してスクランブルされる。ネットワークデバイスによってサービスされ、それ向きにネットワークデバイスによっ
てUEグループ固有のRNTIが事前構成された各UEは、第2のタイプのダウンリンク制御情報を受信し復調することができる。別の例を挙げると、ネットワークデバイスは、UEが属するUEグループのインデックス番号をUE向けに事前構成することができ、ネットワークデバイスによって送信される第1のダウンリンク制御情報は、UEグループのインデックス番号を搬送する指示情報を含む。UEが第1のダウンリンク制御情報を受信し復調した後、第1のダウンリンク制御情報内の第1のダウンリンクUEグループのインデックス番号の指示情報が、UEが属するUEグループのインデックス番号であり、UE向けにネットワークデバイスによって構成されたインデックス番号と一致する場合、UEは、第1のダウンリンク制御情報の指示に従って、第1のアップリンクサブフレーム内でターゲット物理アップリンク制御チャネルを送信する。逆に、UEが第1のダウンリンク制御情報を受信し復調した後、第1のダウンリンク制御情報内の第1のダウンリンクUEグループのインデックス番号の指示情報が、UEが属するUEグループのインデックス番号であり、UE向けにネットワークデバイスによって構成されたインデックス番号と一致しない場合、UEは、第1のアップリンクサブフレーム内で第1のアップリンク制御チャネルを送信しない。たとえば、第2のタイプのダウンリンク制御情報は、セル共通の物理ダウンリンク制御情報である。ダウンリンク制御情報は、物理アップリンク制御チャネルを送信するようにUEに指示するためにネットワークデバイスによって使用され、現在のサブフレームがダウンリンクフルサブフレームであるかダウンリンク部分サブフレームであるかをUEに示し、かつ／またはダウンリンクバースト内の現在のサブフレームの次のサブフレームがダウンリンクフルサブフレームであるかダウンリンク部分サブフレームであるかなどをUEに示すためにさらに使用されてもよい。
【手続補正１２】
【補正対象書類名】明細書
【補正対象項目名】０１３６
【補正方法】変更
【補正の内容】
【０１３６】
第1のダウンリンク制御情報を取得した後、UEは、第1のダウンリンク制御情報の指示に従って、第1のアップリンクサブフレーム内でターゲット物理アップリンク制御チャネルを送信する。UEによって送信されるターゲット物理アップリンク制御チャネルは第1のアップリンク制御情報を含み、第1のアップリンク制御情報は、第1のサブフレームセット内の各サブフレーム内にあり、UEによって受信されたダウンリンクデータに対応するハイブリッド自動再送要求確認応答情報を含む。第1のサブフレームセット内の各ダウンリンクサブフレーム内でダウンリンクデータを受信した後、UEは、復調、復号などを介して、各ダウンリンクサブフレームのハイブリッド自動再送要求確認応答情報を特定する。ダウンリンクデータが正しく受信されたダウンリンクサブフレームの場合、対応するハイブリッド自動再送要求確認応答情報は、肯定応答（ACK）情報である。ダウンリンクデータが正しく受信されなかったダウンリンクサブフレームの場合、対応するハイブリッド自動再送要求確認応答情報は、否定応答（NACK）情報である。ACK情報およびNACK情報は、ハイブリッド自動再送要求確認応答情報と総称される。場合によっては、第1のサブフレームセット内の各サブフレーム内にあり、UEによって受信されたダウンリンクデータに対応するHARQ−ACK情報に加えて、第1のアップリンク制御情報は、チャネル状態情報およびアップリンクスケジューリング要求ステータス情報のうちの少なくとも1つを含んでもよい。本明細書におけるアップリンクスケジューリング要求ステータス情報は、UEがアップリンクスケジューリングを要求している状態、またはUEがアップリンクスケジューリングを要求していない状態である。好ましくは、第1のサブフレームセット内の各サブフレーム内にあり、UEによって受信されたダウンリンクデータに対応するHARQ−ACK情報に加えて、第1のアップリンク制御情報は、周期的チャネル状態情報およびアップリンクスケジューリング要求ステータス情報のうちの少なくとも1つを含んでもよいが、非周期的チャネル状態情報を含まない。
【手続補正１３】
【補正対象書類名】明細書
【補正対象項目名】０１４７
【補正方法】変更
【補正の内容】
【０１４７】
ネットワークデバイスによってUEに送信される第1のダウンリンク制御情報は、UE向けにネットワークデバイスによって構成された第3の物理アップリンク制御チャネルリソースセットが、物理アップリンク制御チャネルリソース1および物理アップリンク制御チャネルリソース2のセットであることを示す情報を含む。ネットワークデバイスによってUEに送信される第1のダウンリンク制御情報は、ターゲット物理アップリンク制御チャネルのリソースが、物理アップリンク制御チャネルリソース1であるか、物理アップリンク制御チャネルリソース2であるかを示す情報を含む。UEが第1のダウンリンク制御情報を受信した後、第1のアップリンクサブフレームが第1のタイプのアップリンクサブフレームであるとUEが判断した場合、UEは、第1のダウンリンク制御情報の指示に従って、第3の物理アップリンク制御チャネルリソースセット内のターゲット物理アップリンク制御チャネルのリソースを特定し、ターゲット物理アップリンク制御チャネルのリソース上で第1のアップリンク制御情報を送信することができる。
【手続補正１４】
【補正対象書類名】明細書
【補正対象項目名】０１５２
【補正方法】変更
【補正の内容】
【０１５２】
第1のダウンリンク制御情報は、ターゲット物理アップリンク制御チャネルを送信するようにUEに指示し、ターゲット物理アップリンク制御チャネルのリソースを特定した後、UEは、ターゲット物理アップリンク制御チャネルのリソース上で第1のアップリンク制御情報を送信する。第1のアップリンク制御情報は、第1のサブフレームセット内の各サブフレーム内にあり、UEによって受信されたダウンリンクデータに対応するハイブリッド自動再送要求確認応答情報を含む。さらに、UEは、ネットワークデバイスの構成または命令に基づいて、ターゲット物理アップリンク制御チャネルのリソース上で、チャネル状態情報およびアップリンクスケジューリング要求ステータス情報のうちの少なくとも1つをさらに送信することができる。本明細書におけるアップリンクスケジューリング要求ステータス情報は、UEがアップリンクスケジューリングを要求している状態、またはUEがアップリンクスケジューリングを要求していない状態である。好ましくは、第1のサブフレームセット内の各サブフレーム内にあり、UEによって受信されたダウンリンクデータに対応するHARQ−ACK情報に加えて、第1のアップリンク制御情報は、周期的チャネル状態情報およびアップリンクスケジューリング要求ステータス情報のうちの少なくとも1つを含んでもよいが、非周期的チャネル状態情報を含まない。
【手続補正１５】
【補正対象書類名】明細書
【補正対象項目名】０１８０
【補正方法】変更
【補正の内容】
【０１８０】
第1のサブフレームセット内の各サブフレーム内でUEにダウンリンクデータを送信し、UEに第1のアップリンク制御情報を送信した後、ネットワークデバイスは、それに対応して、UEによって送信されたターゲット物理アップリンク制御チャネルを受信する。ターゲット物理アップリンク制御チャネルは、UEによって送信された第1のアップリンク制御情報を含む。第1のアップリンク制御情報は、第1のサブフレームセット内の各サブフレーム内のダウンリンクデータに対応するハイブリッド自動再送要求確認応答情報を含む。
【国際調査報告】
2019520759.tif 000024
2019520759.tif 000025
2019520759.tif 000026
2019520759.tif 000027
2019520759.tif 000028
2019520759.tif 000029